(57)【要約】  本出願は、通信方法、ネットワークデバイス、および端末を提供する。通信方法は、第1の指示情報を端末に送信することであって、第1の指示情報は、フィードバック時間の関連情報のN個の集合を示すために使用され、フィードバック時間の関連情報の各集合の中のフィードバック時間の関連情報は、データブロックのフィードバック時間に含まれる時間単位の数量を示すために使用され、データブロックのフィードバック時間は、応答メッセージの送信時間とデータブロックの受信時間との間の差を含む、送信することと、第2の指示情報を端末に送信することであって、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである、送信することと、第1のデータブロックに対する、第1の指示情報および第2の指示情報に基づいて端末によって送信された応答メッセージを受信することと、を含む。本出願における通信方法、ネットワークデバイス、および端末は、通信信頼性を向上させるのに役立つ。
2020523903.tif 000002
【特許請求の範囲】
【請求項１】
通信方法であって、
第1の指示情報を端末に送信するステップであって、前記第1の指示情報は、フィードバック時間の関連情報のN個の集合を示すために使用され、フィードバック時間の関連情報の前記N個の集合の各々は、フィードバック時間の少なくとも1つの関連情報を含み、フィードバック時間の前記関連情報は、データブロックのフィードバック時間に含まれる時間単位の数量を示すために使用され、前記データブロックの前記フィードバック時間は、前記データブロックに対する応答メッセージの送信時間と前記データブロックの受信時間との間の時間差を含み、Nは1より大きい整数である、ステップと、
第2の指示情報を前記端末に送信するステップであって、前記第2の指示情報は、第1のデータブロックのフィードバック時間の第1の関連情報を示すために使用され、フィードバック時間の前記第1の関連情報は、フィードバック時間の関連情報の第1の集合に属し、フィードバック時間の関連情報の前記第1の集合は、フィードバック時間の関連情報の前記N個の集合のうちの1つである、ステップと、
前記第1のデータブロックに対する、前記第1の指示情報および前記第2の指示情報に基づいて前記端末によって送信された応答メッセージを受信するステップと
を含む、通信方法。
【請求項２】
フィードバック時間の関連情報の前記N個の集合において、フィードバック時間の関連情報の異なる集合の中のフィードバック時間の関連情報は、同じ時間単位に対応する、請求項1に記載の通信方法。
【請求項３】
フィードバック時間の関連情報の前記集合の中のフィードバック時間の前記関連情報に対応する前記時間単位は、予め設定される、請求項2に記載の通信方法。
【請求項４】
フィードバック時間の関連情報の前記集合の中のフィードバック時間の前記関連情報に対応する前記時間単位の長さは、前記第1のデータブロックの伝送時間の長さに等しい、請求項2に記載の通信方法。
【請求項５】
フィードバック時間の関連情報の前記N個の集合において、フィードバック時間の関連情報の異なる集合の中のフィードバック時間の関連情報は、異なる時間単位に対応する、請求項1に記載の通信方法。
【請求項６】
フィードバック時間の関連情報の前記集合の中のフィードバック時間の前記関連情報に対応する時間単位は、前記第1のデータブロックに対応するアップリンク制御チャネルによって占有された時間単位である、請求項1に記載の通信方法。
【請求項７】
第3の指示情報を前記端末に送信するステップであって、前記第3の指示情報は、フィードバック時間の関連情報の前記N個の集合の中のフィードバック時間の関連情報の前記第1の集合を示すために使用される、ステップ
をさらに含む、請求項1から6のいずれか一項に記載の通信方法。
【請求項８】
通信方法であって、
ネットワークデバイスによって送信された第1の指示情報を受信するステップであって、前記第1の指示情報は、フィードバック時間の関連情報のN個の集合を示すために使用され、フィードバック時間の関連情報の前記N個の集合の各々は、フィードバック時間の少なくとも1つの関連情報を含み、フィードバック時間の前記関連情報は、データブロックのフィードバック時間に含まれる時間単位の数量を示すために使用され、前記データブロックの前記フィードバック時間は、前記データブロックに対する応答メッセージの送信時間と前記データブロックの受信時間との間の時間差を含み、Nは1より大きい整数である、ステップと、
前記ネットワークデバイスによって送信された第2の指示情報を受信するステップであって、前記第2の指示情報は、第1のデータブロックのフィードバック時間の第1の関連情報を示すために使用され、フィードバック時間の前記第1の関連情報は、フィードバック時間の関連情報の第1の集合に属し、フィードバック時間の関連情報の前記第1の集合は、フィードバック時間の関連情報の前記N個の集合のうちの1つである、ステップと、
前記第1の指示情報および前記第2の指示情報に基づいて、前記第1のデータブロックに対する応答メッセージを前記ネットワークデバイスに送信するステップと
を含む、通信方法。
【請求項９】
フィードバック時間の関連情報の前記N個の集合において、フィードバック時間の関連情報の異なる集合の中のフィードバック時間の関連情報は、同じ時間単位に対応する、請求項8に記載の通信方法。
【請求項１０】
フィードバック時間の関連情報の前記集合の中のフィードバック時間の前記関連情報に対応する前記時間単位は、予め定義される、請求項9に記載の通信方法。
【請求項１１】
フィードバック時間の関連情報の前記集合の中のフィードバック時間の前記関連情報に対応する前記時間単位の長さは、前記第1のデータブロックの伝送時間の長さに等しい、請求項9に記載の通信方法。
【請求項１２】
フィードバック時間の関連情報の前記N個の集合において、フィードバック時間の関連情報の異なる集合の中のフィードバック時間の関連情報は、異なる時間単位に対応する、請求項8に記載の通信方法。
【請求項１３】
フィードバック時間の関連情報の前記集合の中のフィードバック時間の前記関連情報に対応する時間単位は、前記第1のデータブロックに対応するアップリンク制御チャネルによって占有された時間単位である、請求項8に記載の通信方法。
【請求項１４】
前記ネットワークデバイスによって送信された第3の指示情報を受信するステップであって、前記第3の指示情報は、フィードバック時間の関連情報の前記N個の集合の中のフィードバック時間の関連情報の前記第1の集合を示すために使用される、ステップ
をさらに含む、請求項8から13のいずれか一項に記載の通信方法。
【請求項１５】
通信方法であって、
第1の指示情報を端末に送信するステップであって、前記第1の指示情報は、フィードバック時間の関連情報の第1の集合を示すために使用され、フィードバック時間の関連情報の前記第1の集合は、フィードバック時間の少なくとも1つの関連情報を含み、フィードバック時間の各関連情報は、第1のデータブロックのフィードバック時間に含まれる時間単位の数量を示すために使用され、前記第1のデータブロックの前記フィードバック時間は、前記第1のデータブロックに対する応答メッセージの送信時間と前記第1のデータブロックの受信時間との間の時間差を含む、ステップと、
第2の指示情報を前記端末に送信するステップであって、前記第2の指示情報は、前記第1のデータブロックのフィードバック時間の第1の関連情報を示すために使用され、フィードバック時間の前記第1の関連情報は、フィードバック時間の関連情報の前記第1の集合に属する、ステップと、
前記第1のデータブロックに対する、前記第2の指示情報および前記第1の指示情報に基づいて前記端末によって送信された前記応答メッセージを受信するステップと
を含む、通信方法。
【請求項１６】
通信方法であって、
ネットワークデバイスによって送信された第1の指示情報を受信するステップであって、前記第1の指示情報は、フィードバック時間の関連情報の第1の集合を示すために使用され、フィードバック時間の関連情報の前記第1の集合は、フィードバック時間の少なくとも1つの関連情報を含み、フィードバック時間の各関連情報は、第1のデータブロックのフィードバック時間に含まれる時間単位の数量を示すために使用され、前記第1のデータブロックの前記フィードバック時間は、前記第1のデータブロックに対する応答メッセージの送信時間と前記第1のデータブロックの受信時間との間の時間差を含む、ステップと、
前記ネットワークデバイスによって送信された第2の指示情報を受信するステップであって、前記第2の指示情報は、前記第1のデータブロックのフィードバック時間の第1の関連情報を示すために使用され、フィードバック時間の前記第1の関連情報は、フィードバック時間の関連情報の前記第1の集合に属する、ステップと、
前記第2の指示情報および前記第1の指示情報に基づいて、前記第1のデータブロックに対する前記応答メッセージを前記ネットワークデバイスに送信するステップと
を含む、通信方法。
【請求項１７】
前記応答メッセージは、ハイブリッド自動再送要求HARQ応答メッセージでありうる、請求項15または16に記載の通信方法。
【請求項１８】
前記第1のデータブロックの前記フィードバック時間に含まれる前記時間単位の長さは、予め定義される、請求項15から17のいずれか一項に記載の通信方法。
【請求項１９】
前記第2の指示情報は、フィードバック時間の関連情報の前記第1の集合の中の前記第1のデータブロックのフィードバック時間の前記第1の関連情報の位置またはインデックスを示すために使用される、請求項15から18のいずれか一項に記載の通信方法。
【請求項２０】
フィードバック時間の関連情報の前記第1の集合は、フィードバック時間の関連情報のN個の集合のうちの1つであり、フィードバック時間の関連情報の前記N個の集合は、全体でフィードバック時間の16個の関連情報を含み、Nは正の整数である、請求項15から19のいずれか一項に記載の通信方法。
【請求項２１】
フィードバック時間の前記第1の関連情報を示すために使用される前記第2の指示情報におけるビット数は、フィードバック時間の関連情報の前記第1の集合のサイズに基づいて決定され、フィードバック時間の関連情報の前記第1の集合の前記サイズは、Pであり、フィードバック時間の前記第1の関連情報を示すために使用される前記第2の指示情報の中に少なくともH個のビットがあり、Hは、log2P以上の最も小さい整数である、請求項15から20のいずれか一項に記載の通信方法。
【請求項２２】
フィードバック時間の関連情報の前記第1の集合の前記サイズは、8であり、フィードバック時間の前記第1の関連情報を示すために使用される前記第2の指示情報における前記ビット数は、3である、請求項15から21のいずれか一項に記載の通信方法。
【請求項２３】
通信装置であって、
第1の指示情報を端末に送信するように構成された送信モジュールであって、前記第1の指示情報は、フィードバック時間の関連情報のN個の集合を示すために使用され、フィードバック時間の関連情報の前記N個の集合の各々は、フィードバック時間の少なくとも1つの関連情報を含み、フィードバック時間の前記関連情報は、データブロックのフィードバック時間に含まれる時間単位の数量を示すために使用され、前記データブロックの前記フィードバック時間は、前記データブロックに対する応答メッセージの送信時間と前記データブロックの受信時間との間の時間差を含み、Nは1より大きい整数であり、
第2の指示情報を前記端末に送信するようにさらに構成され、前記第2の指示情報は、第1のデータブロックのフィードバック時間の第1の関連情報を示すために使用され、前記第1のデータブロックのフィードバック時間の前記第1の関連情報は、フィードバック時間の関連情報の第1の集合に属し、フィードバック時間の関連情報の前記第1の集合は、フィードバック時間の関連情報の前記N個の集合のうちの1つである、
送信モジュールと、
前記第1のデータブロックに対する、前記第1の指示情報および前記第2の指示情報に基づいて前記端末によって送信された応答メッセージを受信するように構成された受信モジュールと
を備える、通信装置。
【請求項２４】
フィードバック時間の関連情報の前記N個の集合において、フィードバック時間の関連情報の異なる集合の中のフィードバック時間の関連情報は、同じ時間単位に対応する、請求項23に記載の通信装置。
【請求項２５】
フィードバック時間の関連情報の前記集合の中のフィードバック時間の前記関連情報に対応する前記時間単位は、予め設定される、請求項24に記載の通信装置。
【請求項２６】
フィードバック時間の関連情報の前記集合の中のフィードバック時間の前記関連情報に対応する前記時間単位の長さは、前記第1のデータブロックの伝送時間の長さに等しい、請求項24に記載の通信装置。
【請求項２７】
フィードバック時間の関連情報の前記N個の集合において、フィードバック時間の関連情報の異なる集合の中のフィードバック時間の関連情報は、異なる時間単位に対応する、請求項23に記載の通信装置。
【請求項２８】
フィードバック時間の関連情報の前記集合の中のフィードバック時間の前記関連情報に対応する時間単位は、前記第1のデータブロックに対応するアップリンク制御チャネルによって占有された時間単位である、請求項23に記載の通信装置。
【請求項２９】
前記送信モジュールは、
第3の指示情報を前記端末に送信することであって、前記第3の指示情報は、フィードバック時間の関連情報の前記N個の集合の中のフィードバック時間の関連情報の前記第1の集合を示すために使用される、送信すること
を行うようにさらに構成される、請求項23から28のいずれか一項に記載の通信装置。
【請求項３０】
通信装置であって、
ネットワークデバイスによって送信された第1の指示情報を受信するように構成された受信モジュールであって、前記第1の指示情報は、フィードバック時間の関連情報のN個の集合を示すために使用され、フィードバック時間の関連情報の前記N個の集合の各々は、フィードバック時間の少なくとも1つの関連情報を含み、フィードバック時間の前記関連情報は、データブロックのフィードバック時間に含まれる時間単位の数量を示すために使用され、前記データブロックの前記フィードバック時間は、前記データブロックに対する応答メッセージの送信時間と前記データブロックの受信時間との間の時間差を含み、Nは1より大きい整数であり、
前記ネットワークデバイスによって送信された第2の指示情報を受信するようにさらに構成され、前記第2の指示情報は、第1のデータブロックのフィードバック時間の第1の関連情報を示すために使用され、フィードバック時間の前記第1の関連情報は、フィードバック時間の関連情報の第1の集合に属し、フィードバック時間の関連情報の前記第1の集合は、フィードバック時間の関連情報の前記N個の集合のうちの1つである、
受信モジュールと、
前記第1の指示情報および前記第2の指示情報に基づいて、前記第1のデータブロックに対する応答メッセージを前記ネットワークデバイスに送信するように構成された送信モジュールと
を備える、通信装置。
【請求項３１】
フィードバック時間の関連情報の前記N個の集合において、フィードバック時間の関連情報の異なる集合の中のフィードバック時間の関連情報は、同じ時間単位に対応する、請求項30に記載の通信装置。
【請求項３２】
フィードバック時間の関連情報の前記集合の中のフィードバック時間の前記関連情報に対応する前記時間単位は、予め設定される、請求項31に記載の通信装置。
【請求項３３】
フィードバック時間の関連情報の前記集合の中のフィードバック時間の前記関連情報に対応する前記時間単位の長さは、前記第1のデータブロックの伝送時間の長さに等しい、請求項31に記載の通信装置。
【請求項３４】
フィードバック時間の関連情報の前記N個の集合において、フィードバック時間の関連情報の異なる集合の中のフィードバック時間の関連情報は、異なる時間単位に対応する、請求項30に記載の通信装置。
【請求項３５】
フィードバック時間の関連情報の前記集合の中のフィードバック時間の前記関連情報に対応する時間単位は、前記第1のデータブロックに対応するアップリンク制御チャネルによって占有された時間単位である、請求項30に記載の通信装置。
【請求項３６】
前記受信モジュールは、
前記ネットワークデバイスによって送信された第3の指示情報を受信することであって、前記第3の指示情報は、フィードバック時間の関連情報の前記N個の集合の中のフィードバック時間の関連情報の前記第1の集合を示すために使用される、受信すること
を行うようにさらに構成される、請求項30から35のいずれか一項に記載の通信装置。
【請求項３７】
通信装置であって、
第1の指示情報を端末に送信するように構成された送信モジュールであって、前記第1の指示情報は、フィードバック時間の関連情報の第1の集合を示すために使用され、フィードバック時間の関連情報の前記第1の集合は、フィードバック時間の少なくとも1つの関連情報を含み、フィードバック時間の各関連情報は、第1のデータブロックのフィードバック時間に含まれる時間単位の数量を示すために使用され、前記第1のデータブロックの前記フィードバック時間は、前記第1のデータブロックに対する応答メッセージの送信時間と前記第1のデータブロックの受信時間との間の時間差を含み、
第2の指示情報を前記端末に送信するようにさらに構成され、前記第2の指示情報は、前記第1のデータブロックのフィードバック時間の第1の関連情報を示すために使用され、フィードバック時間の前記第1の関連情報は、フィードバック時間の関連情報の前記第1の集合に属する、
送信モジュールと、
前記第1のデータブロックに対する、前記第2の指示情報および前記第1の指示情報に基づいて前記端末によって送信された前記応答メッセージを受信するように構成された受信モジュールと
を備える、通信装置。
【請求項３８】
通信装置であって、
ネットワークデバイスによって送信された第1の指示情報を受信するように構成された受信モジュールであって、前記第1の指示情報は、フィードバック時間の関連情報の第1の集合を示すために使用され、フィードバック時間の関連情報の前記第1の集合は、フィードバック時間の少なくとも1つの関連情報を含み、フィードバック時間の各関連情報は、第1のデータブロックのフィードバック時間に含まれる時間単位の数量を示すために使用され、前記第1のデータブロックの前記フィードバック時間は、前記第1のデータブロックに対する応答メッセージの送信時間と前記第1のデータブロックの受信時間との間の時間差を含み、
前記ネットワークデバイスによって送信された第2の指示情報を受信するようにさらに構成され、前記第2の指示情報は、前記第1のデータブロックのフィードバック時間の第1の関連情報を示すために使用され、フィードバック時間の前記第1の関連情報は、フィードバック時間の関連情報の前記第1の集合に属する、
受信モジュールと、
前記第2の指示情報に基づいて前記第1のデータブロックに対する前記応答メッセージを前記ネットワークデバイスに送信するように構成された送信モジュールと
を備える、通信装置。
【請求項３９】
前記応答メッセージは、ハイブリッド自動再送要求HARQ応答メッセージでありうる、請求項37または38に記載の通信装置。
【請求項４０】
前記第1のデータブロックの前記フィードバック時間に含まれる前記時間単位の長さは、予め定義される、請求項37から39のいずれか一項に記載の通信装置。
【請求項４１】
前記第2の指示情報は、フィードバック時間の関連情報の前記第1の集合の中の前記第1のデータブロックのフィードバック時間の前記第1の関連情報の位置またはインデックスを示すために使用される、請求項37から40のいずれか一項に記載の通信装置。
【請求項４２】
フィードバック時間の関連情報の前記第1の集合は、フィードバック時間の関連情報のN個の集合のうちの1つであり、フィードバック時間の関連情報の前記N個の集合は、全体でフィードバック時間の16個の関連情報を含み、Nは正の整数である、請求項37から41のいずれか一項に記載の通信装置。
【請求項４３】
フィードバック時間の前記第1の関連情報を示すために使用される前記第2の指示情報におけるビット数は、フィードバック時間の関連情報の前記第1の集合のサイズに基づいて決定され、フィードバック時間の関連情報の前記第1の集合の前記サイズは、Pであり、フィードバック時間の前記第1の関連情報を示すために使用される前記第2の指示情報の中に少なくともH個のビットがあり、Hは、log2P以上の最も小さい整数である、請求項37から42のいずれか一項に記載の通信装置。
【請求項４４】
フィードバック時間の関連情報の前記第1の集合の前記サイズは、8であり、フィードバック時間の前記第1の関連情報を示すために使用される前記第2の指示情報における前記ビット数は、3である、請求項37から43のいずれか一項に記載の通信装置。
【請求項４５】
コンピュータプログラムを格納するコンピュータ可読記録媒体であって、前記コンピュータプログラムは、請求項1から22のいずれか一項に記載の方法を実施するために、プロセッサによって実行されることが可能な、コンピュータ可読記録媒体。
【発明の詳細な説明】
【技術分野】
【０００１】
本出願は、その全体が参照により本明細書に組み込まれる、2017年6月14日に中国特許庁に出願された「COMMUNICATION METHOD, NETWORK DEVICE, AND TERMINAL」という名称の中国特許出願第201710448527.4号に基づき優先権を主張する。
【０００２】
本出願は、通信分野に関連し、より詳細には、通信方法、ネットワークデバイス、および端末に関する。
【背景技術】
【０００３】
通信システムにおいて、物理ダウンリンク共有チャネル(physical downlink shared channel、PDSCH)において搬送されるダウンリンクデータを受信した後、ユーザ機器は、例えば、ダウンリンクデータがうまく受信されたことを示す肯定応答(acknowledgement、ACK)メッセージ、またはダウンリンクデータが受信されることに失敗したことを示す否定応答(negative acknowledgment、NACK)メッセージといった、データのデコード結果に基づいてハイブリッド自動再送要求(hybrid automatic repeat request、HARQ)応答メッセージをネットワークデバイスにフィードバックする。
【０００４】
一般的なケースにおいて、ユーザ機器がダウンリンクデータを受信する時間、およびユーザ機器がHARQ応答メッセージをネットワークデバイスに送信する時間は、n+k1という関係を満たす。本明細書において、nは、ユーザ機器がダウンリンクデータを受信する伝送時間単位の一連の番号であり、k1は、ユーザ機器がHARQ応答メッセージをネットワークデバイスに送信する時間とユーザ機器がダウンリンクデータを受信する時間との間の伝送時間単位の数量である。具体的には、ユーザ機器は、ダウンリンクデータが受信された時間を開始点として使用することによって、k1個の伝送時間単位の後、ダウンリンクデータに対するHARQ応答メッセージを送信する。
【０００５】
例えば、ロングタームエボリューション(long term evolution、LTE)システムにおいて、k1は4であり、伝送時間単位はサブフレームである。具体的には、LTEシステムにおいて、ユーザ機器は、ダウンリンクデータが受信されたサブフレームを開始点として使用することによって、4つのサブフレームの後、ダウンリンクデータに対するHARQ応答メッセージを送信する。
【０００６】
しかし、5G通信システムなどの新無線(new radio、NR)通信システムにおいて、基本伝送時間は、1つのシンボルから複数のスロット(slot)まで多様でありうる。HARQ応答メッセージをフィードバックする全てのシナリオにおいて前述の一般的な通信方法が使用される場合、いくつかのシナリオにおいて、HARQ応答メッセージは伝送されることができず、結果として通信信頼性が影響を受ける。
【０００７】
例えば、ネットワークデバイスは、まず、伝送時間が4つのスロットであるトランスポートブロック(transport block、TB)をユーザ機器に送信し、次に、伝送時間が2つのシンボルであるTBをユーザ機器に送信する。
【０００８】
2つのTBに対するHARQ応答メッセージが前述の通信方法に従ってフィードバックされ、k1が3に等しい場合、TBのフィードバック開始時間は、後者のTBが受信された後の第6のシンボルである。
【０００９】
しかし、前者のTBのデコード時間は、6つのシンボルを超過する。具体的には、ユーザ機器が後者のTBを受信した後の第6のシンボルの時に、ユーザ機器は、前者のTBに対するデコードを完了しておらず、したがって、順次デコードされる必要がある後者のTBをデコードできない。必然的に、ユーザ機器は、ユーザ機器が後者のTBを受信した後の第6のシンボルにおいて後者のTBに対するHARQ応答メッセージを伝送することができない。
【発明の概要】
【課題を解決するための手段】
【００１０】
本出願は、通信信頼性を向上させるのに役立つ通信方法、ネットワークデバイス、および端末を提供する。
【００１１】
第1の態様によれば、本出願は、通信方法を提供する。通信方法は、第1の指示情報を端末に送信することであって、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の各関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である、送信することと、第2の指示情報を端末に送信することであって、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである、送信することと、第1のデータブロックに対する、第1の指示情報および第2の指示情報に基づいて端末によって送信された応答メッセージを受信することと、を含む。
【００１２】
本通信方法において、ネットワークデバイスは、フィードバック時間の関連情報の第1の集合の中の第1のデータブロックのフィードバック時間の第1の関連情報を示すために第2の指示情報を端末に送信し、その結果、端末は、第2の指示情報に基づいてフィードバック時間の第1の関連情報を決定し、フィードバック時間の第1の関連情報に基づいて第1のデータブロックに対する応答メッセージを送信することができ、ネットワークデバイスは、応答メッセージに基づいて、再伝送が行われる必要があるかどうかを決定し、このことにより、通信信頼性を向上させる。
【００１３】
任意選択で、第1の指示情報は、より高いレイヤの設定情報であってもよく、第1の指示情報は、フィードバック時間の関連情報のN個の集合を含んでもよい。
【００１４】
任意選択で、前述の応答メッセージは、HARQ応答メッセージであってもよい。
【００１５】
任意選択で、第2の指示情報は、フィードバック時間の関連情報の第1の集合の中のフィードバック時間の第1の関連情報の位置を含んでもよく、その結果、端末は、第2の指示情報に基づいて、フィードバック時間の関連情報の第1の集合から第1のデータブロックのフィードバック時間の第1の関連情報を取得することができる。
【００１６】
この場合、フィードバック時間の関連情報の第1の集合は、フィードバック時間の関連情報のN個の集合のうちの任意の1つである。言い換えると、フィードバック時間の全ての可能な関連情報は、フィードバック時間の関連情報のN個の集合にグループ化されうる。したがって、フィードバック時間の第1の関連情報の位置を示すとき、第2の指示情報は、フィードバック時間の関連情報の第1の集合の中のフィードバック時間の第1の関連情報の位置のみを示す。全ての可能なフィードバック時間が示される方法と比較して、第2の指示情報において、より少なくビットが使用されうる。このことは、第2の指示情報の通信オーバヘッドを低減させることができ、このことにより、通信効率を向上させる。
【００１７】
フィードバック時間の関連情報の第1の集合の中の第1のデータブロックのフィードバック時間の第1の関連情報の位置は、フィードバック時間の関連情報の第1の集合の中の第1のデータブロックのフィードバック時間の第1の関連情報のインデックスとして理解されうることに留意されたい。
【００１８】
第1の態様を参照して、第1の可能な実装形態において、フィードバック時間の関連情報のN個の集合の中で、フィードバック時間の関連情報の異なる集合の中のフィードバック時間の関連情報は、同じ時間単位に対応する。このことは、ネットワークデバイスと端末の間の通信の複雑性を低減させることができる。
【００１９】
第1の可能な実装形態を参照して、第2の可能な実装形態において、フィードバック時間の関連情報の集合の中のフィードバック時間の関連情報に対応する時間単位は、予め設定される。
【００２０】
具体的には、フィードバック時間の関連情報の異なる集合の中のフィードバック時間の関連情報によって示されるフィードバック時間に含まれる時間単位は、同じであってもよいだけでなく、また、システムにおいて予め設定された固定時間単位、またはプロトコルにおいて予め定義された固定時間単位であってもよい。このことは、ネットワークデバイスと端末の間の通信の複雑性をさらに低減させることができる。
【００２１】
第1の可能な実装形態を参照して、第3の可能な実装形態において、フィードバック時間の関連情報の集合の中のフィードバック時間の関連情報に対応する時間単位の長さは、第1のデータブロックの伝送時間の長さに等しい。
【００２２】
具体的には、フィードバック時間の関連情報の異なる集合の中のフィードバック時間の関連情報によって示されるフィードバック時間に含まれる時間単位は、現在のデータブロック(すなわち、第1のデータブロック)の伝送時間の長さでありうる。現在のデータブロックの伝送時間の長さが異なる場合、フィードバック時間の関連情報によって示されるフィードバック時間に含まれる時間単位は、異なりうる。このようにして、通信複雑性と通信柔軟性の両方が考慮されうる。
【００２３】
第1の態様を参照して、第4の可能な実装形態において、フィードバック時間の関連情報のN個の集合において、フィードバック時間の関連情報の異なる集合の中のフィードバック時間の関連情報は、異なる時間単位に対応する。このことは、通信柔軟性を向上させることができる。
【００２４】
第1の態様を参照して、第5の可能な実装形態において、フィードバック時間の関連情報の集合の中のフィードバック時間の関連情報に対応する時間単位は、第1のデータブロックに対応するアップリンク制御チャネルによって占有された時間単位である。このことは、通信柔軟性を向上させることができる。
【００２５】
第1の態様または前述の可能な実装形態のうちのいずれか1つを参照して、第6の可能な実装形態において、通信方法は、第3の指示情報を端末に送信することであって、第3の指示情報は、フィードバック時間の関連情報のN個の集合の中のフィードバック時間の関連情報の第1の集合を示すために使用される、送信すること、をさらに含む。
【００２６】
具体的には、第3の指示情報は、フィードバック時間の関連情報のN個の集合のうちのいずれの1つが、第2の指示情報によって示されるフィードバック時間の第1の関連情報が属するフィードバック時間の関連情報の第1の集合であるか、を示すために端末に送信され、その結果、端末は、シナリオ情報などの他の情報に依存せずに、フィードバック時間の関連情報の第1の集合を決定することができる。このことは、端末の複雑性を低減させることができる。
【００２７】
第2の態様によれば、本出願は、通信方法を提供する。通信方法は、ネットワークデバイスによって送信された第1の指示情報を受信することであって、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である、受信することと、ネットワークデバイスによって送信された第2の指示情報を受信することであって、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである、受信することと、第1の指示情報および第2の指示情報に基づいて、第1のデータブロックに対する応答メッセージをネットワークデバイスに送信することと、を含む。
【００２８】
通信方法において、ネットワークデバイスによって送信された第2の指示情報を受信した後、端末は、第2の指示情報に基づいて、第1のデータブロックのフィードバック時間の第1の関連情報を決定してもよく、その結果、端末は、第1のデータブロックに対する応答メッセージをネットワークデバイスに送信しうる。このことは、通信信頼性を向上させうる。
【００２９】
任意選択で、第1の指示情報は、より高いレイヤの設定情報であり、第1の指示情報は、フィードバック時間の関連情報のN個の集合を含みうる。
【００３０】
任意選択で、前述の応答メッセージは、HARQ応答メッセージであってもよい。
【００３１】
任意選択で、第2の指示情報は、フィードバック時間の関連情報の第1の集合の中のフィードバック時間の第1の関連情報の位置を含んでもよい。このようにして、端末は、第2の指示情報に基づいて、フィードバック時間の関連情報の第1の集合から第1のデータブロックのフィードバック時間の第1の関連情報を取得することができる。
【００３２】
この場合、フィードバック時間の関連情報の第1の集合は、フィードバック時間の関連情報のN個の集合のうちの任意の1つである。言い換えると、フィードバック時間の全ての可能な関連情報は、フィードバック時間の関連情報のN個の集合にグループ化されうる。したがって、フィードバック時間の第1の関連情報の位置を示すとき、第2の指示情報は、フィードバック時間の関連情報の第1の集合の中のフィードバック時間の第1の関連情報の位置のみを示す。全ての可能なフィードバック時間が示される方法と比較して、第2の指示情報において、より少なくビットが使用されうる。このことは、第2の指示情報の通信オーバヘッドを低減させることができ、このことにより、通信効率を向上させる。
【００３３】
フィードバック時間の関連情報の第1の集合の中の第1のデータブロックのフィードバック時間の第1の関連情報の位置は、フィードバック時間の関連情報の第1の集合の中の第1のデータブロックのフィードバック時間の第1の関連情報のインデックスとして理解されうることに留意されたい。
【００３４】
第2の態様を参照して、第1の可能な実装形態において、フィードバック時間の関連情報のN個の集合において、フィードバック時間の関連情報の異なる集合の中のフィードバック時間の関連情報は、同じ時間単位に対応する。このことは、ネットワークデバイスと端末の間の通信の複雑性を低減させることができる。
【００３５】
第1の可能な実装形態を参照して、第2の可能な実装形態において、フィードバック時間の関連情報の集合の中のフィードバック時間の関連情報に対応する時間単位は、予め設定される。
【００３６】
具体的には、フィードバック時間の関連情報の異なる集合の中のフィードバック時間の関連情報によって示されるフィードバック時間に含まれる時間単位は、同じであるだけでなく、システムにおいて予め設定された固定時間単位、またはプロトコルにおいて指定された固定時間単位であってもよい。このことは、ネットワークデバイスと端末の間の通信の複雑性をさらに低減させることができる。
【００３７】
第1の可能な実装形態を参照して、第3の可能な実装形態において、フィードバック時間の関連情報の集合の中のフィードバック時間の関連情報に対応する時間単位の長さは、第1のデータブロックの伝送時間の長さに等しい。
【００３８】
具体的には、フィードバック時間の関連情報の異なる集合の中のフィードバック時間の関連情報によって示されるフィードバック時間に含まれる時間単位は、現在のデータブロック(すなわち、第1のデータブロック)の伝送時間の長さでありうる。現在のデータブロックの伝送時間の長さが異なる場合、フィードバック時間の関連情報によって示されるフィードバック時間に含まれる時間単位は、異なりうる。このようにして、通信複雑性と通信柔軟性の両方が考慮されることができる。
【００３９】
第2の態様を参照して、第4の可能な実装形態において、フィードバック時間の関連情報のN個の集合において、フィードバック時間の関連情報の異なる集合の中のフィードバック時間の関連情報は、異なる時間単位に対応する。このことは、通信柔軟性を向上させることができる。
【００４０】
第2の態様を参照して、第5の可能な実装形態において、フィードバック時間の関連情報の集合の中のフィードバック時間の関連情報に対応する時間単位は、第1のデータブロックに対応するアップリンク制御チャネルによって占有された時間単位である。このことは、通信柔軟性を向上させることができる。
【００４１】
第2の態様または前述の可能な実装形態のうちのいずれか1つを参照して、第6の可能な実装形態において、通信方法は、ネットワークデバイスによって送信された第3の指示情報を受信することであって、第3の指示情報は、フィードバック時間の関連情報のN個の集合の中のフィードバック時間の関連情報の第1の集合を示すために使用される、受信すること、をさらに含む。
【００４２】
第3の態様によれば、本出願は、ネットワークデバイスを提供する。ネットワークデバイスは、第1の態様または第1の態様の可能な実装形態のうちのいずれか1つで通信方法を行うように構成されたモジュールを含む。
【００４３】
第4の態様によれば、本出願は、端末を提供する。端末は、第2の態様または第2の態様の可能な実装形態のうちのいずれか1つで通信方法を行うように構成されたモジュールを含む。
【００４４】
第5の態様によれば、本出願は、ネットワークデバイスを提供する。ネットワークデバイスは、プロセッサ、送信器、および受信器を含む。プロセッサは、プログラムコードを実行するように構成される。プロセッサがプログラムコードを実行するとき、プロセッサ、送信器、および受信器は、第1の態様または第1の態様の可能な実装形態のうちのいずれか1つで通信方法を実施する。
【００４５】
任意選択で、ネットワークデバイスは、メモリをさらに含んでもよく、メモリは、プロセッサによって実行されるコードを格納するように構成される。
【００４６】
第6の態様によれば、本出願は、端末を提供する。端末は、プロセッサ、受信器、および送信器を含む。プロセッサは、プログラムコードを実行するように構成される。プロセッサがプログラムコードを実行するとき、プロセッサ、受信器、および送信器は、第2の態様または第2の態様の可能な実装形態のうちのいずれか1つで通信方法を実施する。
【００４７】
任意選択で、端末は、メモリをさらに含んでもよく、メモリは、プロセッサによって実行されるプログラムコードを格納するように構成される。
【００４８】
第7の態様によれば、本出願は、コンピュータ可読記録媒体を提供する。コンピュータ可読記録媒体は、ネットワークデバイスによって実行されるべきプログラムコードを格納する。プログラムコードは、第1の態様または第1の態様の可能な実装形態のうちのいずれか1つで通信方法を行うために使用される命令を含む。
【００４９】
第8の態様によれば、本出願は、コンピュータ可読記録媒体を提供する。コンピュータ可読記録媒体は、端末によって実行されるべきプログラムコードを格納する。プログラムコードは、第2の態様または第2の態様の可能な実装形態のうちのいずれか1つで通信方法を行うために使用される命令を含む。
【００５０】
第9の態様によれば、本出願は、命令を含むコンピュータプログラム製品を提供する。コンピュータプログラム製品がネットワークデバイス上で動くとき、ネットワークデバイスは、第1の態様または第1の態様の可能な実装形態のうちのいずれか1つで通信方法を行うことを可能にされる。
【００５１】
第10の態様によれば、本出願は、命令を含むコンピュータプログラム製品を提供する。コンピュータプログラム製品が端末上で動くとき、端末は、第2の態様または第2の態様の可能な実装形態のうちのいずれか1つで通信方法を行うことを可能にされる。
【００５２】
第11の態様によれば、本出願は、通信方法を提供する。通信方法は、第1の指示情報を第1の端末に送信することであって、第1の指示情報は、フィードバック時間の関連情報の第1の集合を示すために使用され、フィードバック時間の関連情報の第1の集合は、フィードバック時間の少なくとも1つの関連情報を含み、フィードバック時間の各関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む、送信することと、第2の指示情報を第1の端末に送信することであって、第2の指示情報は、第1のデータブロックのフィードバック時間の第1の関連情報を示すために使用され、フィードバック時間の第1の関連情報は、フィードバック時間の関連情報の第1の集合に属する、送信することと、第1のデータブロックに対する、第1の指示情報および第2の指示情報に基づいて第1の端末によって送信された応答メッセージを受信することと、を含む。
【００５３】
通信方法によれば、第1の端末は、第1の指示情報および第2の指示情報に基づいて、応答メッセージを送信するための時間を決定することができ、その結果、通信信頼性が向上されうる。
【００５４】
任意選択で、前述の応答メッセージは、HARQ応答メッセージであってもよい。
【００５５】
任意選択で、第2の指示情報は、ダウンリンク制御情報DCIの中で搬送され、第2の指示情報に含まれるビット数は、フィードバック時間の関連情報の第1の集合のサイズに基づいて決定されてもよい。
【００５６】
第11の態様を参照して、第1の可能な実装形態において、第1のデータブロックのフィードバック時間に含まれる時間単位は、第1のデータブロックの伝送時間の長さに基づいて決定される。第1のデータブロックのフィードバック時間に含まれる時間単位は、第1のデータブロックの伝送時間の長さに基づいて決定されるので、伝送時間の長さが異なるデータブロックのフィードバック時間は、フィードバック時間の同じ関連情報を使用することによって示されてもよく、その結果、伝送時間の長さが異なるデータブロックのフィードバック時間は、フィードバック時間の関連情報の同じ集合を使用することによって決定されうる。このことは、フィードバック時間の関連情報の伝送されるべき集合の数量を低減させることができ、第1の指示情報の伝送オーバヘッドおよび複雑性を低減させるのに役立つ。他の観点から、このことは、フィードバック時間の関連情報の総数を低減させることができ、このことにより、第2の指示情報の伝送オーバヘッドを低減させるのに役立つ。結論として、通信効率が向上されうる。
【００５７】
任意選択で、第1のデータブロックの前にある第2のデータブロックの伝送時間の長さが第1のデータブロックの伝送時間の長さより長いとき、フィードバック時間の第1の関連情報に対応するフィードバック時間に含まれる時間単位の長さは、第2のデータブロックの伝送時間の長さであってもよい。
【００５８】
あるいは、第1のデータブロックの前にある第2のデータブロックの伝送時間の長さが第1のデータブロックの伝送時間の長さ以下であるとき、フィードバック時間の第1の関連情報に対応するフィードバック時間に含まれる時間単位の長さは、第1のデータブロックの伝送時間の長さであってもよい。
【００５９】
本明細書において、第2のデータブロックが第1のデータブロックの前にあるということは、第2のデータブロックの伝送時間が第1のデータブロックの伝送時間の前にあるということを意味してもよく、より具体的には、第2のデータブロックの伝送時間が第1のデータブロックの伝送時間の前にあり、第2のデータブロックの伝送時間と第1のデータブロックの伝送時間との間の間隔が特定の時間範囲より小さいか、それ以下であるということを意味してもよく、その結果、第1のデータブロックに対する応答メッセージは、第1のデータブロックの伝送時間の長さを時間単位として使用することによって送信されることができない、ということが理解されよう。
【００６０】
あるいは、第1のデータブロックの伝送時間と第2のデータブロックの伝送時間との間の間隔が、特定の時間範囲より大きいか、それ以上であるとき、フィードバック時間の第1の関連情報に対応するフィードバック時間に含まれる時間単位の長さは、第1のデータブロックの伝送時間の長さであってもよい。
【００６１】
この場合、第1のデータブロックに対する応答メッセージおよび第2のデータブロックの応答メッセージは、互いに影響を及ぼさないということが理解されよう。
【００６２】
第11の態様を参照して、第2の可能な実装形態において、第1のデータブロックのフィードバック時間に含まれる時間単位は、予め設定される。
【００６３】
具体的には、データブロックのフィードバック時間に含まれる時間単位は、システムにおいて予め設定された固定時間単位、またはプロトコルにおいて予め定義された固定時間単位であってもよい。このことは、ネットワークデバイスと端末の間の通信の複雑性をさらに低減させうる。
【００６４】
第11の態様を参照して、第3の可能な実装形態において、フィードバック時間の第1の関連情報に対応するフィードバック時間に含まれる時間単位は、第1のデータブロックに対応するアップリンク制御チャネルによって占有された時間単位である。このことは、通信柔軟性を向上させうる。
【００６５】
第11の態様を参照して、第4の可能な実装形態において、通信方法は、第3の指示情報を第2の端末に送信することであって、第3の指示情報は、フィードバック時間の関連情報の第2の集合を示すために使用され、フィードバック時間の関連情報の第2の集合は、フィードバック時間の少なくとも1つの関連情報を含み、フィードバック時間の各関連情報は、第3のデータブロックのフィードバック時間に含まれる時間単位の数量を示すために使用され、第3のデータブロックのフィードバック時間は、第3のデータブロックに対する応答メッセージの送信時間と第3のデータブロックの受信時間との間の時間差を含む、送信することと、第4の指示情報を第2の端末に送信することであって、第4の指示情報は、第3のデータブロックのフィードバック時間の第2の関連情報を示すために使用され、フィードバック時間の第2の関連情報は、フィードバック時間の関連情報の第2の集合に属する、送信することと、第3のデータブロックに対する、第3の指示情報および第4の指示情報に基づいて第2の端末によって送信された応答メッセージを受信することと、をさらに含む。
【００６６】
任意選択で、フィードバック時間の関連情報の第1の集合は、フィードバック時間の関連情報の第2の集合とは異なる。具体的には、フィードバック時間の関連情報の第1の集合のサイズは、フィードバック時間の関連情報の第2の集合のサイズとは異なる。この場合、第2の指示情報の中で使用されるビット数は、第4の指示情報の中で使用されるビット数とは異なる。
【００６７】
任意選択で、フィードバック時間の関連情報の第1の集合のサイズは、フィードバック時間の関連情報の第2の集合のサイズと同じであり、フィードバック時間の関連情報の第1の集合の中の少なくとも1つの要素は、フィードバック時間の関連情報の第2の集合の中の少なくとも1つの要素とは異なる。この場合、第2の指示情報の中で使用されるビット数は、第4の指示情報の中で使用されるビット数と同じである。
【００６８】
第12の態様によれば、本出願は、通信方法を提供する。通信方法は、ネットワークデバイスによって送信された第1の指示情報を受信することであって、第1の指示情報は、フィードバック時間の関連情報の第1の集合を示すために使用され、フィードバック時間の関連情報の第1の集合は、フィードバック時間の少なくとも1つの関連情報を含み、フィードバック時間の関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む、受信することと、ネットワークデバイスによって送信された第2の指示情報を受信することであって、第2の指示情報は、第1のデータブロックのフィードバック時間の第1の関連情報を示すために使用され、フィードバック時間の第1の関連情報は、フィードバック時間の関連情報の第1の集合に属する、受信することと、第2の指示情報に基づいて、第1のデータブロックに対する応答メッセージをネットワークデバイスに送信することと、を含む。
【００６９】
通信方法によれば、端末は、第1の指示情報および第2の指示情報に基づいて、応答メッセージを送信するための時間を決定することができ、その結果、通信信頼性が向上されうる。
【００７０】
任意選択で、前述の応答メッセージは、HARQ応答メッセージであってもよい。
【００７１】
任意選択で、第2の指示情報に含まれるビット数は、フィードバック時間の関連情報の第1の集合のサイズに基づいて決定されてもよい。
【００７２】
第12の態様を参照して、第1の可能な実装形態において、データブロックのフィードバック時間に含まれる時間単位は、データブロックの伝送時間の長さに基づいて決定される。データブロックのフィードバック時間に含まれる時間単位は、データブロックの伝送時間の長さに基づいて決定されるので、伝送時間の長さが異なるデータブロックのフィードバック時間は、フィードバック時間の同じ関連情報を使用することによって示されてもよく、その結果、伝送時間の長さが異なるデータブロックのフィードバック時間は、フィードバック時間の関連情報の同じ集合を使用することによって決定されてもよい。このことは、フィードバック時間の関連情報の伝送されるべき集合の数量を低減させることができ、第1の指示情報の伝送オーバヘッドおよび複雑性を低減させるのに役立つ。他の観点から、このことは、フィードバック時間の関連情報の総数を低減させることができ、このことにより、第2の指示情報の伝送オーバヘッドを低減させるのに役立つ。結論として、通信効率が向上されうる。
【００７３】
任意選択で、第1のデータブロックの前にある第2のデータブロックの伝送時間の長さが第1のデータブロックの伝送時間の長さより長いとき、フィードバック時間の第1の関連情報に対応するフィードバック時間に含まれる時間単位の長さは、第2のデータブロックの伝送時間の長さであってもよい。
【００７４】
あるいは、第1のデータブロックの前にある第2のデータブロックの伝送時間の長さが第1のデータブロックの伝送時間の長さ以下であるとき、フィードバック時間の第1の関連情報に対応するフィードバック時間に含まれる時間単位の長さは、第1のデータブロックの伝送時間の長さであってもよい。
【００７５】
本明細書において、第2のデータブロックが第1のデータブロックの前にあるということは、第2のデータブロックの伝送時間が第1のデータブロックの伝送時間の前にあるということを意味してもよく、より具体的には、第2のデータブロックの伝送時間が第1のデータブロックの伝送時間の前にあり、第2のデータブロックの伝送時間と第1のデータブロックの伝送時間との間の間隔が特定の時間範囲より小さいか、それ以下であるということを意味してもよく、その結果、第1のデータブロックに対する応答メッセージは、第1のデータブロックの伝送時間の長さを時間単位として使用することによって送信されることができない、ということが理解されよう。
【００７６】
あるいは、第1のデータブロックの伝送時間と第2のデータブロックの伝送時間との間の間隔が、特定の時間範囲より大きいか、それ以上であるとき、フィードバック時間の第1の関連情報に対応するフィードバック時間に含まれる時間単位の長さは、第1のデータブロックの伝送時間の長さであってもよい。
【００７７】
この場合、第1のデータブロックに対する応答メッセージおよび第2のデータブロックの応答メッセージは、互いに影響を及ぼさないということが理解されよう。
【００７８】
第12の態様に関して、第2の可能な実装形態において、データブロックのフィードバック時間に含まれる時間単位は、予め設定される。
【００７９】
具体的には、データブロックのフィードバック時間に含まれる時間単位は、システムにおいて予め設定された固定時間単位、またはプロトコルにおいて予め定義された固定時間単位であってもよい。このことは、ネットワークデバイスと端末の間の通信の複雑性をさらに低減させうる。
【００８０】
第12の態様を参照して、第3の可能な実装形態において、フィードバック時間の関連情報に対応するフィードバック時間に含まれる時間単位は、データブロックに対応するアップリンク制御チャネルによって占有された時間単位である。このことは、通信柔軟性を向上させうる。
【００８１】
第12の態様を参照して、第4の可能な実装形態において、フィードバック時間の関連情報の第1の集合は、フィードバック時間の関連情報の第2の集合とは異なり、フィードバック時間の関連情報の第2の集合は、第2の端末のフィードバック時間の関連情報の集合である。
【００８２】
第4の可能な実装形態を参照して、第5の可能な実装形態において、フィードバック時間の関連情報の第1の集合のサイズは、フィードバック時間の関連情報の第2の集合のサイズとは異なり、第2の指示情報の中で使用されるビット数は、第4の指示情報の中で使用されるビット数とは異なり、第4の指示情報は、フィードバック時間の関連情報の第2の集合の中の第2の端末のフィードバック時間の第2の関連情報を示す。
【００８３】
第4の可能な実装形態を参照して、第6の可能な実装形態において、フィードバック時間の関連情報の第1の集合のサイズは、フィードバック時間の関連情報の第2の集合のサイズと同じであり、フィードバック時間の関連情報の第1の集合の中の少なくとも1つの要素は、フィードバック時間の関連情報の第2の集合の中の少なくとも1つの要素とは異なり、第2の指示情報の中で使用されるビット数は、第4の指示情報の中で使用されるビット数と同じである。
【００８４】
第13の態様によれば、本出願は、ネットワークデバイスを提供する。ネットワークデバイスは、第11の態様または第11の態様の可能な実装形態のうちのいずれか1つで通信方法を行うように構成されたモジュールを含む。
【００８５】
第14の態様によれば、本出願は、端末を提供する。端末は、第12の態様または第12の態様の可能な実装形態のうちのいずれか1つで通信方法を行うように構成されたモジュールを含む。
【００８６】
第15の態様によれば、本出願は、ネットワークデバイスを提供する。ネットワークデバイスは、プロセッサ、送信器、および受信器を含む。プロセッサは、プログラムコードを実行するように構成される。プロセッサがプログラムコードを実行するとき、プロセッサ、送信器、および受信器は、第11の態様または第11の態様の可能な実装形態のうちのいずれか1つで通信方法を実施する。
【００８７】
任意選択で、ネットワークデバイスは、メモリをさらに含んでもよく、メモリは、プロセッサによって実行されるプログラムコードを格納するように構成される。
【００８８】
第16の態様によれば、本出願は、端末を提供する。端末は、プロセッサ、受信器、および送信器を含む。プロセッサは、プログラムコードを実行するように構成される。プロセッサがプログラムコードを実行するとき、プロセッサ、受信器、および送信器は、第12の態様または第12の態様の可能な実装形態のうちのいずれか1つで通信方法を実施する。
【００８９】
任意選択で、端末は、メモリをさらに含んでもよく、メモリは、プロセッサによって実行されるプログラムコードを格納するように構成される。
【００９０】
第17の態様によれば、本出願は、コンピュータ可読記録媒体を提供する。コンピュータ可読記録媒体は、ネットワークデバイスによって実行されるべきプログラムコードを格納する。プログラムコードは、第11の態様または第11の態様の可能な実装形態のうちのいずれか1つで通信方法を行うために使用される命令を含む。
【００９１】
第18の態様によれば、本出願は、コンピュータ可読記録媒体を提供する。コンピュータ可読記録媒体は、端末によって実行されるべきプログラムコードを格納する。プログラムコードは、第12の態様または第12の態様の可能な実装形態のうちのいずれか1つで通信方法を行うために使用される命令を含む。
【００９２】
第19の態様によれば、本出願は、命令を含むコンピュータプログラム製品を提供する。コンピュータプログラム製品がネットワークデバイス上で動くとき、ネットワークデバイスは、第11の態様または第11の態様の可能な実装形態のうちのいずれか1つで通信方法を行うことが可能とされる。
【００９３】
第20の態様によれば、本出願は、命令を含むコンピュータプログラム製品を提供する。コンピュータプログラム製品が端末上で動くとき、端末は、第12の態様または第12の態様の可能な実装形態のうちのいずれか1つで通信方法を行うことが可能とされる。
【図面の簡単な説明】
【００９４】
【図１】本出願の実施形態による通信方法が適用されうる通信システムの概略アーキテクチャ図である。
【図２】本出願の実施形態による通信方法の応用シナリオの概略図である。
【図３】本出願の実施形態による通信方法の概略流れ図である。
【図４】本出願の他の実施形態による通信方法の概略流れ図である。
【図５】本出願の実施形態による通信方法の概略的な対話の流れ図である。
【図６】本出願の実施形態によるネットワークデバイスの概略構造図である。
【図７】本出願の実施形態による端末の概略構造図である。
【図８】本出願の他の実施形態によるネットワークデバイスの概略構造図である。
【図９】本出願の他の実施形態による端末の概略構造図である。
【発明を実施するための形態】
【００９５】
理解を容易にするために、本出願の実施形態における通信方法を実施することができる通信システムの概略アーキテクチャ図が、最初に全体的に説明される。本出願の実施形態は、図1に示されるシステムアーキテクチャに限定されないことが理解されよう。さらに、図1における装置はハードウェアであってもよく、または機能ソフトウェアまたはこれらの組合せであってもよい。
【００９６】
図1に示される通信システムのインスタンスは、5G通信システムなどのNR通信システムである。図1に示される通信システムは、ネットワークデバイス110および端末120を含みうる。ネットワークデバイス110および端末120は、互いに通信することができる。
【００９７】
ネットワークデバイス110の例は基地局である。基地局の具体的なタイプは、本出願における実施形態に限定されないということが理解されよう。異なる無線アクセス技術を使用するシステムにおいて、基地局の機能を有するデバイスの名前は異なりうる。説明を容易にするために、本出願の全ての実施形態において、例えば、将来のネットワークにおける基地局デバイスおよびピコ(pico)基地局デバイスなどの、端末にワイヤレス通信機能を提供するための装置は、基地局として総称される。
【００９８】
端末120は、ユーザ機器(user equipment、UE)でありうる。UEは、無線アクセスネットワーク(radio access network、RAN)上で1つまたは複数のコアネットワーク(core network、CN)と通信しうる。UEは、アクセス端末、端末デバイス、加入者ユニット、加入者局、移動局、モバイルコンソール、リモート局、リモート端末、モバイルデバイス、ユーザ端末、無線ネットワークデバイス、ユーザエージェント、またはユーザ装置と呼ばれてもよい。UEは、セルラー電話、コードレス電話、セッション開始プロトコル(session initiation protocol、SIP)電話、ワイヤレスローカルループ(wireless local loop、WLL)局、パーソナルデジタルアシスタント(personal digital assistant、PDA)、ワイヤレス通信機能を有するハンドヘルドデバイス、ワイヤレスモデムに接続されたコンピューティングデバイスもしくは他のデバイス、車載デバイス、ウェアラブルデバイス、モノのインターネットまたは車両のインターネットにおける端末デバイス、将来のネットワークにおける端末デバイスのいずれかの形式、または同様のものでありうる。
【００９９】
図2は、本出願の実施形態による応用シナリオの概略図である。図2に示される応用シナリオは例にすぎず、本出願の本実施形態における通信方法、ネットワークデバイス、および端末に対する限定とみなされるべきではないということが理解されよう。
【０１００】
図2に示されるように、ネットワークデバイス110は、データブロックを端末120に送信する。データブロックを受信した後、端末120は、データブロックをデコードする。データブロックの例は、TB、コードブロック(code block、CB)、またはコードブロックグループ(code block group、CBG)でありうる。
【０１０１】
端末120によるデコードが成功した場合、これは、端末120がデータブロックをうまく受信したことを示しうる。端末120によるデコードが失敗した場合、これは、端末120がデータブロックの受信に失敗したことを示しうる。
【０１０２】
端末120は、ネットワークデバイス110に応答メッセージを送信するはずである。応答メッセージは、データブロックの受信ステータスが成功であるか、失敗であるかをネットワークデバイス110に通知するために、ACKおよび/またはNACKを搬送する。
【０１０３】
応答メッセージを受信した後、ネットワークデバイス110は、応答メッセージの中で搬送されたACKおよび/またはNACK情報に基づいて、データブロックが再伝送される必要があるかどうかを判断することができる。ネットワークデバイス110が、応答メッセージに基づいて、端末がデータブロックの受信に失敗したと判断する場合、ネットワークデバイス110は、通信信頼性を向上させるために、端末120にデータブロックを再伝送してもよい。
【０１０４】
端末120がデータブロックに対する応答メッセージを送信する時に、受信したデータブロックに対して端末120が処理を完了していること、例えばデコードを完了していること、を保証するために、端末120がデータブロックに対する応答メッセージを送信した時刻と端末120がデータブロックを受信した時刻との間に遅延が存在する必要がある。以下の説明を容易にするために、遅延は、データブロックのフィードバック時間と呼ばれる。端末120がデータブロックを受信した時刻は、データブロックの受信終了時刻とも呼ばれうる。
【０１０５】
端末120は、データブロックの受信終了時刻を直接的に決定することができるので、端末120は、データブロックの受信終了時刻およびデータブロックのフィードバック時間に基づいて、データブロックに対する応答メッセージのフィードバック時間を決定して、データブロックの受信ステータスをさらにフィードバックするために、データブロックのフィードバック時間を知る必要がある。
【０１０６】
本出願は、HARQ応答メッセージを送信してデータブロックの受信ステータスをフィードバックするために、端末120がデータブロックのフィードバック時間をどのように知るかについての問題に対する新しい通信方法を提案する。
【０１０７】
図3は、本出願の実施形態による通信方法の概略流れ図である。図3は、通信方法のステップまたは動作を示しているが、これらのステップまたは動作は例にすぎないということが理解されよう。本出願の本実施形態において、図3における他の動作または動作の変形形態が、さらに行われうる。本出願の本実施形態における通信方法は、ネットワークデバイス110などのネットワークデバイスによって行われうる。
【０１０８】
S310。第1の指示情報を端末に送信し、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０１０９】
具体的には、ネットワークデバイスは、第1の指示情報を端末に送信する。第1の指示情報は、フィードバック時間の関連情報のN個の集合を含む。次に、端末は、第1の指示情報に基づいて、フィードバック時間の関連情報のN個の集合を決定する。フィードバック時間の各関連情報は、具体的には、データブロックのフィードバック時間に含まれる時間単位の数量といった値でありうる。時間単位は、1つの時間ドメインのシンボルから複数のスロット(slot)まで異なり得る。
【０１１０】
応答メッセージは、HARQ応答メッセージでありうる。
【０１１１】
一般的なケースにおいて、端末がネットワークデバイスと同期した後、ネットワークデバイスは、フィードバック時間の関連情報のN個の集合の設定情報を端末に送信してもよく、例えば、より高いレイヤのシグナリングを使用することによってフィードバック時間の関連情報のN個の集合の設定情報を端末に送信する。異なる端末のフィードバック時間の関連情報の集合の数量は異なっていてよく、言い換えると、Nは異なってもよい。さらに、異なる端末に対して設定されたフィードバック時間の関連情報の集合は異なっていてもよく、具体的には、集合の中の要素は完全に同じというわけではない。さらに、フィードバック時間の関連情報の異なる集合の中のフィードバック時間の関連情報の数量は異なっていてよく、具体的には、フィードバック時間の関連情報の集合が4つの要素を含み、フィードバック時間の関連情報の他の集合が8つの要素を含む、などである。例えば、フィードバック時間の関連情報の2つの集合は、それぞれ{1, 2, 4, 8}および{2, 4, 8, 16}であり、第1の端末に対して設定され、フィードバック時間の関連情報の3つの集合は、それぞれ{1, 2, 6, 8}、{2, 3, 4, 6}、および{3, 5, 7, 9, 11}であり、他の端末に対して設定される。
【０１１２】
S320。第2の指示情報を端末に送信し、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである。
【０１１３】
具体的には、端末に対するフィードバック時間の関連情報のN個の集合を構成した後、ネットワークデバイスは、第1のデータブロックのフィードバック時間の第1の関連情報を示すために第2の指示情報を端末に送信し、データブロックを送信してもよい(その後の説明を容易にするために、データブロックは第1のデータブロックと呼ばれる)。
【０１１４】
第1のデータブロックのフィードバック時間の第1の関連情報は、応答メッセージの送信時間と第1のデータブロックの受信時間との間の時間差に含まれる時間単位の数量を示すために使用される。
【０１１５】
第1のデータブロックに対する応答メッセージの送信時間と第1のデータブロックの受信時間との間の時間差は、第1のデータブロックのフィードバック時間と呼ばれてもよい。具体的には、フィードバック時間の第1の関連情報は、第1のデータブロックのフィードバック時間に含まれる時間単位の数量を示すために使用される。
【０１１６】
ネットワークデバイスは、ダウンリンク制御情報を使用することによって、第2の指示情報を端末に送信してもよい。第2の指示情報は、ダウンリンク制御情報の中で搬送されうる。
【０１１７】
任意選択で、第2の指示情報は、具体的には、フィードバック時間の関連情報のN個の集合の中のフィードバック時間の関連情報の第1の集合におけるフィードバック時間の第1の関連情報の位置またはインデックスを示すために使用されてもよい。
【０１１８】
S330。第1のデータブロックに対する、第1の指示情報および第2の指示情報に基づいて端末によって送信された応答メッセージを受信する。
【０１１９】
第2の指示情報を受信した後、端末は、フィードバック時間の第1の関連情報に基づいて、第1のデータブロックのフィードバック時間に含まれる時間単位の数量を決定しうる。
【０１２０】
任意選択で、フィードバック時間の関連情報の第1の集合の中のフィードバック時間の第1の関連情報の位置を示すために第2の指示情報が使用される場合、端末は、第2の指示情報に基づいて、フィードバック時間の関連情報の第1の集合の中の対応する位置における、第1のデータブロックのフィードバック時間の第1の関連情報を取得し、フィードバック時間の第1の関連情報に基づいて、第1のデータブロックのフィードバック時間に含まれる時間単位の数量を決定しうる。
【０１２１】
次に、端末は、第1のデータブロックの受信終了時刻を開始点として使用することによって、第1のデータブロックのフィードバック時間の後、具体的には、時間単位の対応する数量の後、第1のデータブロックに対する応答メッセージをネットワークデバイスに送信することができる。
【０１２２】
それに対応して、ネットワークデバイスは、第1のデータブロックに対する、指示情報に基づいて端末によって送信された応答メッセージを受信し、第1のデータブロックに対する応答メッセージに基づいてその後の処理を行う。このことは、通信信頼性を向上させることができる。
【０１２３】
フィードバック時間の関連情報の第1の集合は、フィードバック時間の関連情報の複数の集合のうちの1つであるということに留意されたい。具体的には、フィードバック時間の全ての関連情報は、フィードバック時間の関連情報の複数の集合にグループ化されうる。フィードバック時間の全ての関連情報は、フィードバック時間の関連情報の1つの総合的な集合にグループ化される方法と比較して、フィードバック時間の関連情報の第1の集合は、フィードバック時間のより少ない数量の関連情報を含むことができる。例えば、全体でフィードバック時間の16個の関連情報がある。指示が直接行われる場合、第2の指示情報は、指示のために4ビットを必要とする。しかし、フィードバック時間の16個の関連情報は、フィードバック時間の関連情報の4つの集合にグループ化される場合、第2の指示情報は、2ビットしか必要としない。このようにして、フィードバック時間の関連情報の第1の集合の中のフィードバック時間の第1の関連情報の位置またはインデックスを第2の指示情報が示すとき、より少ないビット・オーバヘッドが使用されうる。このことは、第2の指示情報の通信オーバヘッドを低減させることができ、このことにより、通信効率を向上させる。
【０１２４】
本出願の本実施形態において、フィードバック時間の関連情報のN個の集合は、ネットワークデバイスにおいて予め設定されてもよい。フィードバック時間の関連情報の異なる集合は、異なるデータブロック伝送シナリオに対応しうる。
【０１２５】
例えば、フィードバック時間の関連情報の2つの集合は、以下の2つのデータブロック伝送シナリオ、すなわち、デフォルトのシナリオと呼ばれうる第1のデータブロック伝送シナリオであって、例えば、現在のデータブロック(すなわち、第1のデータブロック)のフィードバック時間に対する他のデータブロックのインパクトが考えられないシナリオ、すなわち、第1のデータブロックの前にあるデータブロックが、第1のデータブロックに対する応答に影響を及ぼさないシナリオと、第2のデータブロック伝送シナリオ、すなわち、第1のデータブロックの伝送時間の長さが第1のデータブロックの前に伝送される(第2のデータブロックと呼ばれうる)データブロックの伝送時間の長さより短く、第1のデータブロックの伝送時間と第2のデータブロックの伝送時間との間の間隔が、特定の時間範囲より小さいか、それ以下であり、それにより、デフォルトのシナリオにおける第1のデータブロックのフィードバック時間が、第2のデータブロックのフィードバック時間の前である、シナリオとのために、ネットワークデバイスにおいて設定されうる。
【０１２６】
2つのデータブロック伝送シナリオは、フィードバック時間の関連情報の2つの集合と1対1の対応関係である。フィードバック時間の関連情報の各集合は、フィードバック時間の関連情報の集合に対応するデータブロック伝送シナリオにおいて伝送時間の長さが異なる第1のデータブロックのフィードバック時間に含まれる時間単位の数量を含むことができる。
【０１２７】
第2の指示情報を送信するとき、ネットワークデバイスは、フィードバック時間の第1の関連情報を最初に決定することができる。具体的には、ネットワークデバイスは、第1のデータブロックのデータブロック伝送シナリオに基づいて、フィードバック時間の関連情報の2つの集合の中のフィードバック時間の関連情報の1つの集合、すなわち、フィードバック時間の関連情報の第1の集合を最初に決定し、次に、フィードバック時間の関連情報の第1の集合の中のフィードバック時間の1つの関連情報、すなわち、フィードバック時間の第1の関連情報を決定することができる。このようにして、フィードバック時間の関連情報の第1の集合の中のフィードバック時間の第1の関連情報の位置またはインデックスが送信されうる。
【０１２８】
前述の2つのデータブロック伝送シナリオは例にすぎないということが理解されよう。フィードバック時間の関連情報の異なる集合に対応する特定のシナリオは、本出願の本実施形態において限定されない。本出願の本実施形態は、他のデータブロック伝送シナリオにも適用可能である。
【０１２９】
さらに、第1の指示情報を使用することによって、端末に対するフィードバック時間の関連情報のN個の集合を設定するとき、ネットワークデバイスは、フィードバック時間の関連情報のN個の集合とデータブロック伝送シナリオとの間の対応関係をさらに設定することができる。
【０１３０】
このようにして、端末は、第1のデータブロックのデータブロック伝送シナリオに基づいて、フィードバック時間の関連情報のN個の集合の中の対応するフィードバック時間の関連情報の第1の集合を最初に決定すること、および受信した第2の指示情報に基づいて、フィードバック時間の関連情報の第1の集合の中にあり、第2の指示情報によって示される位置にある、フィードバック時間の関連情報をフィードバック時間の第1の関連情報と決定することができる。最終的に、端末は、フィードバック時間の第1の関連情報によって示される値に、フィードバック時間の第1の関連情報に対応する時間単位を乗じて、第1のデータブロックのフィードバック時間を取得することができる。
【０１３１】
たしかに、あるいは、ネットワークデバイスは、フィードバック時間の関連情報のN個の集合とデータブロック伝送シナリオとの間の対応関係を端末に対して設定する必要がないことがある。この場合、ネットワークデバイスは、第3の指示情報を端末に送信してもよい。第3の指示情報は、第1のデータブロックのフィードバック時間の第1の関連情報を含むフィードバック時間の関連情報のN個の集合の中のフィードバック時間の関連情報の特定の集合を示すため、具体的には、フィードバック時間の関連情報のN個の集合の中のフィードバック時間の関連情報の第1の集合を示すために使用される。
【０１３２】
フィードバック時間の関連情報のN個の集合とデータブロック伝送シナリオとの間の対応関係をネットワークデバイスが設定する方法は、フィードバック時間の関連情報のN個の集合とデータブロック伝送シナリオとの間の対応関係をネットワークデバイスが設定しない方法と比較され、第1の方法において、ネットワークデバイスは、第2の指示情報を後で送信するときに第3の指示情報をもはや送信する必要がなく、その結果、第3の指示情報のオーバヘッドが回避されることができ、通信効率がさらに向上されることができ、第2の方法において、フィードバック時間の関連情報のN個の集合とデータブロック伝送シナリオとの間の対応関係は端末に格納されて維持される必要がなく、その結果、端末の実行複雑性が低減されることができる。
【０１３３】
本出願の本実施形態において、任意選択で、フィードバック時間の関連情報のN個の集合において、フィードバック時間の関連情報の異なる集合の中のフィードバック時間の関連情報によって示されたフィードバック時間に含まれる時間単位は、同じであってもよい。このことは、ネットワークデバイスおよび端末の複雑性をさらに低減させうる。
【０１３４】
言い換えると、フィードバック時間の第1の関連情報は、第1のデータブロックのフィードバック時間に含まれる第1の時間単位の数量を示すために使用される。フィードバック時間の関連情報のN個の集合において、フィードバック時間の関連情報の第2の集合の中のフィードバック時間の第2の関連情報は、第2のデータブロックのフィードバック時間に含まれる第2の時間単位の数量を示すために使用され、第1の時間単位と第2の時間単位は同じ時間単位である。
【０１３５】
フィードバック時間の関連情報の異なる集合の中のフィードバック時間の関連情報によって示されるフィードバック時間に含まれる時間単位が同じであるとき、または、言い換えると、第1の時間単位と第2の時間単位が同じ時間単位であるとき、任意選択で、同じ時間単位は、システムにおいて予め設定された時間単位であってもよい。例えば、同じ時間単位は、通信規格もしくはプロトコルの中で指定された時間単位、またはより高いレイヤのシグナリングを使用することによって予め設定された時間単位であってもよい。本明細書における予め設定された時間単位は、1つもしくは複数のシンボル、1つもしくは複数のスロット(slot)、1つもしくは複数のサブフレーム、または同様のものであってもよい。このことは、ネットワークデバイスと端末の間の通信の複雑性を低減させることができる。
【０１３６】
フィードバック時間の関連情報の異なる集合の中のフィードバック時間の関連情報によって示されるフィードバック時間に含まれる時間単位が同じであるとき、または、言い換えると、第1の時間単位と第2の時間単位が同じ時間単位であるとき、任意選択で、第1の時間単位の時間の長さは、第1のデータブロックの伝送時間の長さに等しくともよい。
【０１３７】
具体的には、フィードバック時間の第1の関連情報を決定した後、端末は、例えば、フィードバック時間の第1の関連情報に対応する値に、第1のデータブロックの伝送時間の長さを乗じることによって、第1のデータブロックの伝送時間の長さに基づいて第1のデータブロックのフィードバック時間を決定する。第1のデータブロックの伝送時間の長さは、1つの時間ドメインのシンボルから複数のスロットまで異なってもよく、第1のデータブロックの伝送時間は、時間ドメインの中で不連続であってもよい。この場合、本明細書における伝送時間の長さは、伝送のために実際に使用される時間単位の全体の長さである。例えば、時間ドメインの中の3つの不連続の時間ドメインのシンボルを第1のデータブロックが占有する場合、第1のデータブロックの対応する伝送時間の長さは、3つの時間ドメインのシンボルの全体の時間の長さである。
【０１３８】
任意選択で、フィードバック時間の関連情報のN個の集合において、フィードバック時間の関連情報の異なる集合の中のフィードバック時間の関連情報によって示されるフィードバック時間に含まれる時間単位は、異なってもよい。このことは、フィードバック時間の指示の柔軟性を向上させることができる。
【０１３９】
言い換えると、フィードバック時間の関連情報のN個の集合において、フィードバック時間の関連情報の第3の集合の中のフィードバック時間の第3の関連情報は、第3のデータブロックのフィードバック時間に含まれる第3の時間単位の数量を示すために使用され、第1の時間単位と第3の時間単位は異なる時間単位である。例えば、シナリオ1において、第1のデータブロックのフィードバック時間の第1の関連情報に対応する時間単位の長さは、第1のデータブロックの伝送時間単位の長さに等しい。シナリオ2において、第1のデータブロックのフィードバック時間の第1の関連情報に対応する時間単位の長さは、第2のトランスポートブロックの伝送時間単位の長さに等しい。
【０１４０】
任意選択で、フィードバック時間の関連情報のN個の集合の中のフィードバック時間の関連情報の集合の中のフィードバック時間の関連情報に対応する時間単位は、第1のデータブロックに対応するアップリンク制御チャネルによって占有された時間単位であってもよく、本明細書におけるアップリンク制御チャネルは、第1のデータブロックに対する応答メッセージを伝送するために使用される。例えば、第1のデータブロックに対応するアップリンク制御チャネルが、2つの時間ドメインのシンボルを占有する場合、フィードバック時間の第1の関連情報に対応する時間単位は、2つの時間ドメインのシンボルである。このことは、データブロックのフィードバック時間の指示の柔軟性を向上させることができる。
【０１４１】
図4は、本出願の他の実施形態による通信方法の概略流れ図である。図4は、通信方法のステップまたは動作を示すが、これらのステップまたは動作は例にすぎないということが理解されよう。本出願の本実施形態において、図4における他の動作または動作の変形形態がさらに行われうる。本出願の本実施形態における通信方法は、端末120などの端末によって行われうる。
【０１４２】
S410。ネットワークデバイスによって送信された第1の指示情報を受信し、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０１４３】
データブロックに対する応答メッセージは、データブロックに対するHARQ応答メッセージであってもよい。
【０１４４】
S420。ネットワークデバイスによって送信された第2の指示情報を受信し、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである。
【０１４５】
S430。第1の指示情報および第2の指示情報に基づいて、第1のデータブロックに対する応答メッセージをネットワークデバイスに送信する。
【０１４６】
通信方法において、端末は、ネットワークデバイスから第2の指示情報を受信し、第2の指示情報に基づいて、第1のデータブロックのフィードバック時間の第1の関連情報を決定する。このようにして、第1のデータブロックに対する応答メッセージは、フィードバック時間の第1の関連情報に対応するフィードバック時間において送信されることができ、このことにより、通信信頼性を向上させる。
【０１４７】
さらに、第2の指示情報は、フィードバック時間の関連情報のN個の集合のうちの1つにおけるフィードバック時間の第1の関連情報の位置を示す。したがって、第2の指示情報において、より少ないビットが使用されうる。このことは、第2の指示情報のシグナリングオーバヘッドを低減させることができ、このことにより、通信効率を向上させる。
【０１４８】
任意選択で、端末は、ネットワークデバイスによって送信された第3の指示情報をさらに受信してもよい。第3の指示情報は、フィードバック時間の関連情報のN個の集合の中のフィードバック時間の関連情報の第1の集合を示すために使用される。
【０１４９】
図4に示される通信方法は、図3に示される通信方法における端末によって行われてもよい。したがって、図3に示される通信方法における端末の技術的特徴は、図4に示される通信方法にも適用可能である。簡潔さのために、詳細は本明細書において説明されない。
【０１５０】
図5は、本出願の他の実施形態による通信方法の概略的な対話の流れ図である。図5は、通信方法のステップまたは動作を示しているが、これらのステップまたは動作は例にすぎないということが理解されよう。本出願の本実施形態において、図5における他の動作または動作の変形形態がさらに行われうる。
【０１５１】
S510。ネットワークデバイスは、第1の指示情報を端末に送信し、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０１５２】
それに対応して、端末は、第1の指示情報を受信する。
【０１５３】
S520。ネットワークデバイスは、第2の指示情報を端末に送信し、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報の複数の集合のうちの1つである。
【０１５４】
それに対応して、端末は、第2の指示情報を受信する。
【０１５５】
S530。端末は、第1の指示情報および第2の指示情報に基づいて、第1のデータブロックに対する応答メッセージを送信する。
【０１５６】
それに対応して、ネットワークデバイスは、第1のデータブロックに対する応答メッセージを受信する。
【０１５７】
通信方法において、ネットワークデバイスは、フィードバック時間の関連情報のN個の集合を示すために、第1の指示情報を端末に送信し、フィードバック時間の関連情報の第1の集合の中の第1のデータブロックのフィードバック時間の第1の関連情報を示すために、第2の指示情報を送信する。このようにして、端末は、第1の指示情報および第2の指示情報に基づいて、フィードバック時間の第1の関連情報を決定し、フィードバック時間の第1の関連情報に基づいて第1のデータブロックに対する応答メッセージを送信することができ、その結果、ネットワークデバイスは、応答メッセージに基づいて、再伝送が行われる必要があるかどうかを決定し、このことにより、通信信頼性を向上させる。
【０１５８】
ネットワークデバイスは、図3に示される通信方法におけるネットワークデバイスであってもよい。端末は、図3に示される通信方法における端末であってもよい。具体的には、図3に示される通信方法におけるネットワークデバイスおよび端末の技術的特徴は、図5に示される通信方法におけるネットワークデバイスおよび端末にも適用可能である。簡潔さのために、詳細は本明細書において説明されない。
【０１５９】
以下は、いくつかのより具体的な実施形態を使用することによって、本出願における通信方法を詳細にさらに説明する。
【０１６０】
第1の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０１６１】
第1のデータブロック伝送シナリオに対応するフィードバック時間の関連情報の集合において、フィードバック時間の各関連情報に対応するフィードバック時間に含まれる時間単位の長さは、第2の指示情報に対応するデータブロックの伝送時間の長さに等しい。
【０１６２】
第2のデータブロック伝送シナリオに対応するフィードバック時間の関連情報の集合において、フィードバック時間の各関連情報に対応するフィードバック時間に含まれる時間単位は、第2の指示情報に対応するデータブロックの前にあるデータブロックの伝送時間の長さと同じである。
【０１６３】
ネットワークデバイスは、第1の指示情報を使用することによって、フィードバック時間の関連情報の2つの集合、およびフィードバック時間の関連情報の2つの集合と2つのデータブロック伝送シナリオとの間の対応関係を端末に送信する。例えば、端末がネットワークデバイスと同期した後、ネットワークデバイスは、より高いレイヤのシグナリングを使用することによって、フィードバック時間の関連情報の2つの集合、および前述の対応関係を端末に送信する。
【０１６４】
フィードバック時間の関連情報の2つの集合、および前述の対応関係を受信した後、端末は、フィードバック時間の関連情報の2つの集合、および前述の対応関係を格納しうる。
【０１６５】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、次に、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０１６６】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定することができる。
【０１６７】
ネットワークデバイスは、ダウンリンク制御情報を端末に送信してもよい。ダウンリンク制御情報は、第2の指示情報を搬送する。
【０１６８】
端末は、第1のデータブロックおよび第2の指示情報を受信し、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の第1の集合をフィードバック時間の関連情報のN個の集合から決定し、次に、第2の指示情報に基づいて、フィードバック時間の関連情報の第1の集合からフィードバック時間の第1の関連情報を取得する。
【０１６９】
フィードバック時間の関連情報の第1の集合が、第1のデータブロック伝送シナリオに対応する場合、端末は、フィードバック時間の第1の関連情報に対応する値に、第1のデータブロックの伝送時間を乗じることによって、第1のデータブロックのフィードバック時間を取得しうる。
【０１７０】
第1のデータブロックのフィードバック時間を端末が取得した後、第1のケースにおいて、(より高いレイヤのシグナリング指示情報もしくは動的なシグナリング指示情報であってもよく、また第1の指示情報もしくは第2の指示情報であってもよい)他の指示情報に基づいて、複数の他のデータブロックに対する応答メッセージとともに第1のデータブロックに対する応答メッセージがフィードバックされると端末が決定する場合、端末は、複数のデータブロックの受信終了時刻を開始点として使用することによって、フィードバック時間の中で、第1のデータブロックに対する応答メッセージをネットワークデバイスに送信すること、または第2のケースにおいて、他の指示情報に基づいて、第1のデータブロックがデータブロックの冗長バージョン(RV)であると端末が決定する場合、端末は、正しくデコードされたRVの受信終了時刻を開始点として使用することによって、フィードバック時間の中で、第1のデータブロックに対する応答メッセージをネットワークデバイスに送信すること、または、そうでなければ、第1のデータブロックの受信終了時刻を開始点として使用することによって、フィードバック時間の中で、第1のデータブロックに対する応答メッセージをネットワークデバイスに送信すること、を行う。
【０１７１】
フィードバック時間の関連情報の第1の集合が、第2のデータブロック伝送シナリオに対応する場合、端末は、フィードバック時間の第1の関連情報に対応する値に、第1のデータブロックの前にある第2のデータブロックの伝送時間の長さを乗じることによって、第1のデータブロックのフィードバック時間を取得しうる。
【０１７２】
第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０１７３】
それに対応して、ネットワークデバイスは、第1のデータブロックに対する、端末によって送信された応答メッセージを受信する。
【０１７４】
第2の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０１７５】
フィードバック時間の関連情報の2つの集合において、フィードバック時間の各関連情報に対応するフィードバック時間に含まれる時間単位は、通信規格またはプロトコルに従ってネットワークデバイスによって設定された時間単位である。予め設定された時間単位は、1つもしくは複数のシンボル、または1つもしくは複数のスロット(slot)、または1つもしくは複数のサブフレームでありうる。
【０１７６】
ネットワークデバイスは、第1の指示情報を使用することによって、フィードバック時間の関連情報の2つの集合、およびフィードバック時間の関連情報の2つの集合と2つのデータブロック伝送シナリオとの間の対応関係を端末に送信する。例えば、端末がネットワークデバイスと同期した後、ネットワークデバイスは、より高いレイヤのシグナリングを使用することによって、フィードバック時間の関連情報の2つの集合、および前述の対応関係を端末に送信する。
【０１７７】
フィードバック時間の関連情報の2つの集合、および前述の対応関係を受信した後、端末は、フィードバック時間の関連情報の2つの集合、および前述の対応関係を格納しうる。
【０１７８】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、次に、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０１７９】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定することができる。
【０１８０】
ネットワークデバイスは、ダウンリンク制御情報を端末に送信してもよい。ダウンリンク制御情報は、第2の指示情報を搬送する。
【０１８１】
端末は、第1のデータブロックおよび第2の指示情報を受信し、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の第1の集合をフィードバック時間の関連情報のN個の集合から決定し、次に、第2の指示情報に基づいて、フィードバック時間の関連情報の第1の集合からフィードバック時間の第1の関連情報を決定して取得する。
【０１８２】
端末は、フィードバック時間の第1の関連情報に対応する値に、端末において予め設定された時間単位を乗じることによって、第1のデータブロックのフィードバック時間を取得しうる。
【０１８３】
フィードバック時間の関連情報の第1の集合が、第1のデータブロック伝送シナリオに対応する場合、第1のデータブロックのフィードバック時間を端末が取得した後、第1のケースにおいて、(より高いレイヤのシグナリング指示情報もしくは動的なシグナリング指示情報であってもよく、また第1の指示情報もしくは第2の指示情報であってもよい)他の指示情報に基づいて、複数の他のデータブロックに対する応答メッセージとともに第1のデータブロックに対する応答メッセージがフィードバックされると端末が決定する場合、端末は、複数のデータブロックの受信終了時刻を開始点として使用することによって、フィードバック時間の中で、第1のデータブロックに対する応答メッセージをネットワークデバイスに送信すること、または第2のケースにおいて、他の指示情報に基づいて、第1のデータブロックがデータブロックの冗長バージョン(RV)であると端末が決定する場合、端末は、正しくデコードされたRVの受信終了時刻を開始点として使用することによって、フィードバック時間の中で、第1のデータブロックに対する応答メッセージをネットワークデバイスに送信すること、または、そうでなければ、第1のデータブロックの受信終了時刻を開始点として使用することによって、フィードバック時間の中で、第1のデータブロックに対する応答メッセージをネットワークデバイスに送信すること、を行う。
【０１８４】
フィードバック時間の関連情報の第1の集合が、第2のデータブロック伝送シナリオに対応する場合、第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０１８５】
第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０１８６】
それに対応して、ネットワークデバイスは、第1のデータブロックに対する、端末によって送信された応答メッセージを受信する。
【０１８７】
第3の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０１８８】
フィードバック時間の関連情報の2つの集合において、フィードバック時間の各関連情報に対応するフィードバック時間に含まれる時間単位の長さは、現在のデータブロックの伝送時間の長さに等しい。
【０１８９】
ネットワークデバイスは、第1の指示情報を使用することによって、フィードバック時間の関連情報の2つの集合、およびフィードバック時間の関連情報の2つの集合と2つのデータブロック伝送シナリオとの間の対応関係を端末に送信する。例えば、端末がネットワークデバイスと同期した後、ネットワークデバイスは、ブロードキャスト手法で、フィードバック時間の関連情報の2つの集合、および前述の対応関係を端末に送信する。
【０１９０】
フィードバック時間の関連情報の2つの集合、および前述の対応関係を受信した後、端末は、フィードバック時間の関連情報の2つの集合、および前述の対応関係を格納することができる。
【０１９１】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、次に、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０１９２】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定しうる。
【０１９３】
ネットワークデバイスは、より高いレイヤのシグナリングを使用することによって、ダウンリンク制御情報を端末に送信してもよい。ダウンリンク制御情報は、第2の指示情報を搬送する。
【０１９４】
端末は、第1のデータブロックおよび第2の指示情報を受信し、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の第1の集合をフィードバック時間の関連情報のN個の集合から決定し、次に、第2の指示情報に基づいて、フィードバック時間の関連情報の第1の集合からフィードバック時間の第1の関連情報を決定して取得する。
【０１９５】
端末は、フィードバック時間の第1の関連情報に対応する値に、第1のデータブロックの伝送時間の長さを乗じることによって、第1のデータブロックのフィードバック時間を取得しうる。
【０１９６】
フィードバック時間の関連情報の第1の集合が、第1のデータブロック伝送シナリオに対応する場合、第1のデータブロックのフィードバック時間を端末が取得した後、第1のケースにおいて、(より高いレイヤのシグナリング指示情報もしくは動的なシグナリング指示情報であってもよく、また第1の指示情報もしくは第2の指示情報であってもよい)他の指示情報に基づいて、複数の他のデータブロックに対する応答メッセージとともに第1のデータブロックに対する応答メッセージがフィードバックされると端末が決定する場合、端末は、複数のデータブロックの受信終了時刻を開始点として使用することによって、フィードバック時間の中で、第1のデータブロックに対する応答メッセージをネットワークデバイスに送信すること、または第2のケースにおいて、他の指示情報に基づいて、第1のデータブロックがデータブロックの冗長バージョン(RV)であると端末が決定する場合、端末は、正しくデコードされたRVの受信終了時刻を開始点として使用することによって、フィードバック時間の中で、第1のデータブロックに対する応答メッセージをネットワークデバイスに送信すること、または、そうでなければ、第1のデータブロックの受信終了時刻を開始点として使用することによって、フィードバック時間の中で、第1のデータブロックに対する応答メッセージをネットワークデバイスに送信すること、を行う。
【０１９７】
フィードバック時間の関連情報の第1の集合が、第2のデータブロック伝送シナリオに対応する場合、第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０１９８】
それに対応して、ネットワークデバイスは、第1のデータブロックに対する、端末によって送信された応答メッセージを受信する。
【０１９９】
第4の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０２００】
フィードバック時間の関連情報の2つの集合において、フィードバック時間の各関連情報に対応するフィードバック時間に含まれる時間単位は、アップリンク制御チャネルを通じて端末によってレポートされる時間単位である。
【０２０１】
ネットワークデバイスは、第1の指示情報を使用することによって、フィードバック時間の関連情報の2つの集合、およびフィードバック時間の関連情報の2つの集合と2つのデータブロック伝送シナリオとの間の対応関係を端末に送信する。例えば、端末がネットワークデバイスと同期した後、ネットワークデバイスは、ブロードキャスト手法で、フィードバック時間の関連情報の2つの集合、および前述の対応関係を端末に送信する。
【０２０２】
フィードバック時間の関連情報の2つの集合、および前述の対応関係を受信した後、端末は、フィードバック時間の関連情報の2つの集合、および前述の対応関係を格納することができる。
【０２０３】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、次に、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０２０４】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定しうる。
【０２０５】
ネットワークデバイスは、より高いレイヤのシグナリングを使用することによって、ダウンリンク制御情報を端末に送信してもよい。ダウンリンク制御情報は、第2の指示情報を搬送する。
【０２０６】
端末は、第1のデータブロックおよび第2の指示情報を受信し、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の第1の集合をフィードバック時間の関連情報のN個の集合から決定し、次に、第2の指示情報に基づいて、フィードバック時間の関連情報の第1の集合からフィードバック時間の第1の関連情報を決定して取得する。
【０２０７】
端末は、フィードバック時間の第1の関連情報に対応する値に、第1のデータブロックに対応するアップリンク制御チャネルの時間単位を乗じることによって、第1のデータブロックのフィードバック時間を取得しうる。
【０２０８】
フィードバック時間の関連情報の第1の集合が、第1のデータブロック伝送シナリオに対応する場合、第1のデータブロックのフィードバック時間を端末が取得した後、第1のケースにおいて、(より高いレイヤのシグナリング指示情報もしくは動的なシグナリング指示情報であってもよく、また第1の指示情報もしくは第2の指示情報であってもよい)他の指示情報に基づいて、複数の他のデータブロックに対する応答メッセージとともに第1のデータブロックに対する応答メッセージがフィードバックされると端末が決定する場合、端末は、複数のデータブロックの受信終了時刻を開始点として使用することによって、フィードバック時間の中で、第1のデータブロックに対する応答メッセージをネットワークデバイスに送信すること、または第2のケースにおいて、他の指示情報に基づいて、第1のデータブロックがデータブロックの冗長バージョン(RV)であると端末が決定する場合、端末は、正しくデコードされたRVの受信終了時刻を開始点として使用することによって、フィードバック時間の中で、第1のデータブロックに対する応答メッセージをネットワークデバイスに送信すること、または、そうでなければ、第1のデータブロックの受信終了時刻を開始点として使用することによって、フィードバック時間の中で、第1のデータブロックに対する応答メッセージをネットワークデバイスに送信すること、を行う。
【０２０９】
フィードバック時間の関連情報の第1の集合が、第2のデータブロック伝送シナリオに対応する場合、第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０２１０】
それに対応して、ネットワークデバイスは、第1のデータブロックに対する、端末によって送信された応答メッセージを受信する。
【０２１１】
第5の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０２１２】
フィードバック時間の関連情報の2つの集合において、フィードバック時間の各関連情報に対応するフィードバック時間に含まれる時間単位は、前述の2つの具体的な実施形態において説明された様々な時間単位のうちの任意の1つでありうる。
【０２１３】
ネットワークデバイスは、第1の指示情報を使用することによって、フィードバック時間の関連情報の2つの集合を端末に送信する。例えば、端末がネットワークデバイスと同期した後、ネットワークデバイスは、ブロードキャスト手法で、フィードバック時間の関連情報の2つの集合を端末に送信する。
【０２１４】
端末は、フィードバック時間の関連情報の2つの集合を受信し、フィードバック時間の関連情報の2つの集合を格納しうる。
【０２１５】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、フィードバック時間の関連情報の第1の集合を示すために使用される第3の指示情報を送信すること、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０２１６】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定しうる。
【０２１７】
ネットワークデバイスは、ダウンリンク制御情報を端末に送信してもよい。ダウンリンク制御情報は、第2の指示情報および第3の指示情報を搬送する。
【０２１８】
端末は、第1のデータブロック、第2の指示情報、および第3の指示情報を受信し、第3の指示情報に基づいて、フィードバック時間の関連情報のN個の集合の中のフィードバック時間の関連情報の第1の集合を決定し、次に、第2の指示情報に基づいて、フィードバック時間の関連情報の第1の集合の中のフィードバック時間の第1の関連情報を決定する。
【０２１９】
端末は、フィードバック時間の第1の関連情報に対応する値に、対応する時間単位を乗じることによって、第1のデータブロックのフィードバック時間を取得してもよい。
【０２２０】
第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０２２１】
それに対応して、ネットワークデバイスは、第1のデータブロックに対する、端末によって送信された応答メッセージを受信する。
【０２２２】
前述は、本出願の実施形態における通信方法を説明する。以下は、本出願の実施形態におけるネットワークデバイスおよび端末を説明する。
【０２２３】
図6は、本出願の実施形態によるネットワークデバイスの概略構造図である。図6に示されるネットワークデバイス600は例にすぎないということが理解されよう。本出願の本実施形態におけるネットワークデバイスは、他のモジュールもしくはユニットをさらに含んでもよく、または図6におけるモジュールの機能に類似の機能を有するモジュールを含んでもよく、または図6における全てのモジュールを必ずしも含む必要はない。
【０２２４】
送信モジュール610は、第1の指示情報を端末に送信するように構成され、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０２２５】
送信モジュール610は、第2の指示情報を端末に送信するようにさらに構成され、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである。
【０２２６】
受信モジュール620は、第1のデータブロックに対する、第1の指示情報および第2の指示情報に基づいて端末によって送信された応答メッセージを受信するように構成される。
【０２２７】
ネットワークデバイスは、第2の指示情報を端末に送信する。端末は、第2の指示情報に基づいて、フィードバック時間の第1の関連情報を決定し、フィードバック時間の第1の関連情報に基づいて第1のデータブロックに対する応答メッセージを送信することができ、その結果、通信信頼性が向上されうる。
【０２２８】
任意選択で、第2の指示情報は、フィードバック時間の関連情報の第1の集合の中の第1のデータブロックのフィードバック時間の第1の関連情報の位置を示すために使用されてもよい。
【０２２９】
この場合、フィードバック時間の関連情報の第1の集合は、フィードバック時間の関連情報のN個の集合のうちの1つである。言い換えると、フィードバック時間の関連情報は、フィードバック時間の関連情報のN個の集合にグループ化されうる。したがって、フィードバック時間の第1の関連情報の位置を示すとき、第2の指示情報は、フィードバック時間の関連情報の第1の集合の中のフィードバック時間の第1の関連情報の位置のみを示し、その結果、第2の指示情報において、より少ないビットが使用されうる。このことは、第2の指示情報の通信オーバヘッドを低減させることができ、このことにより、通信効率を向上させる。
【０２３０】
任意選択で、フィードバック時間の関連情報のN個の集合において、フィードバック時間の関連情報の異なる集合の中のフィードバック時間の関連情報に対応する時間単位は、同じであってもよい。
【０２３１】
任意選択で、フィードバック時間の関連情報の集合の中のフィードバック時間の関連情報に対応する時間単位は、予め設定されてもよい。
【０２３２】
任意選択で、フィードバック時間の関連情報の集合の中のフィードバック時間の関連情報に対応する時間単位の長さは、第1のデータブロックの伝送時間の長さに等しくてよい。
【０２３３】
任意選択で、フィードバック時間の関連情報のN個の集合において、フィードバック時間の関連情報の異なる集合の中のフィードバック時間の関連情報に対応する時間単位は、異なってもよい。
【０２３４】
任意選択で、フィードバック時間の関連情報の集合の中のフィードバック時間の関連情報に対応する時間単位は、第1のデータブロックに対応するアップリンク制御チャネルによって占有された時間単位であってもよい。
【０２３５】
任意選択で、送信モジュール610は、第3の指示情報を端末に送信するようにさらに構成されてもよく、ここで、第3の指示情報は、フィードバック時間の関連情報のN個の集合の中のフィードバック時間の関連情報の第1の集合を示すために使用される。
【０２３６】
図6に示されるネットワークデバイスは、図3に示される通信方法におけるネットワークデバイスによって行われるステップを行ってもよく、具体的には、図3に示される通信方法におけるネットワークデバイスの技術的特徴は、図6に示されるネットワークデバイスにも適用可能である。簡潔さのために、詳細は本明細書において説明されない。
【０２３７】
図7は、本出願の実施形態による端末の概略構造図である。図7に示される端末700は例にすぎないということが理解されよう。本出願の本実施形態における端末は、他のモジュールもしくはユニットをさらに含んでもよく、または図7におけるモジュールの機能に類似の機能を有するモジュールを含んでもよく、または図7における全てのモジュールを必ずしも含む必要はない。
【０２３８】
受信モジュール710は、ネットワークデバイスによって送信された第1の指示情報を受信するように構成され、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０２３９】
受信モジュール710は、ネットワークデバイスによって送信された第2の指示情報を受信するようにさらに構成され、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである。
【０２４０】
送信モジュール720は、第1の指示情報および第2の指示情報に基づいて、第1のデータブロックに対する応答メッセージをネットワークデバイスに送信するように構成される。
【０２４１】
ネットワークデバイスによって送信された第2の指示情報を受信した後、端末は、第2の指示情報に基づいて、フィードバック時間の関連情報の第1の集合の中のフィードバック時間の第1の関連情報を決定し、フィードバック時間の第1の関連情報によって示される数量に基づいて、第1のデータブロックに対する応答メッセージを端末が送信すべきフィードバック時間を決定することができ、その結果、端末は、第1のデータブロックに対する応答メッセージをネットワークデバイスに送信することができる。このことは、通信信頼性を向上させることができる。
【０２４２】
任意選択で、第2の指示情報は、フィードバック時間の関連情報の第1の集合の中の第1のデータブロックのフィードバック時間の第1の関連情報の位置またはインデックスを示すために使用されてもよい。
【０２４３】
このように、フィードバック時間の関連情報の第1の集合は、フィードバック時間の関連情報のN個の集合のうちの1つであり、具体的には、フィードバック時間の関連情報の第1の集合は、フィードバック時間の関連情報のN個の集合の中にフィードバック時間のいくつかの関連情報を含みうる。したがって、フィードバック時間の関連情報の第1の集合の中のフィードバック時間の第1の関連情報の位置を第2の指示情報が示すとき、比較的少ないビット数が使用されうる。このことは、第2の指示情報の通信オーバヘッドを低減させうる。
【０２４４】
任意選択で、フィードバック時間の関連情報のN個の集合において、フィードバック時間の関連情報の異なる集合の中のフィードバック時間の関連情報に対応する時間単位は、同じであってもよい。
【０２４５】
任意選択で、フィードバック時間の関連情報の集合の中のフィードバック時間の関連情報に対応する時間単位が設定されてもよい。
【０２４６】
任意選択で、フィードバック時間の関連情報の集合の中のフィードバック時間の関連情報に対応する時間単位の長さは、第1のデータブロックの伝送時間の長さに等しくてよい。
【０２４７】
任意選択で、フィードバック時間の関連情報のN個の集合において、フィードバック時間の関連情報の異なる集合の中のフィードバック時間の関連情報に対応する時間単位は、異なってもよい。
【０２４８】
任意選択で、フィードバック時間の関連情報の集合の中のフィードバック時間の関連情報に対応する時間単位は、第1のデータブロックに対応するアップリンク制御チャネルによって占有された時間単位であってもよい。
【０２４９】
任意選択で、受信モジュール710は、ネットワークデバイスによって送信された第3の指示情報を受信するようにさらに構成され、ここで、第3の指示情報は、フィードバック時間の関連情報のN個の集合の中のフィードバック時間の関連情報の第1の集合を示すために使用される。
【０２５０】
図7に示される端末は、図4に示される通信方法における端末によって行われるステップを行ってもよく、具体的には、図4に示される通信方法における端末の技術的特徴は、図7に示される端末にも適用可能である。簡潔さのために、詳細は本明細書において説明されない。
【０２５１】
図8は、本出願の他の実施形態によるネットワークデバイスの概略構造図である。図8に示されるネットワークデバイス800は例にすぎないということが理解されよう。本出願の本実施形態におけるネットワークデバイスは、他のモジュールもしくはユニットをさらに含んでもよく、または図8におけるモジュールの機能に類似の機能を有するモジュールを含んでもよい。
【０２５２】
プロセッサ830は、プログラムコードを実行するように構成されうる。送信器810は、図6における送信モジュール610によって実施されうる動作またはステップを実施するように構成されうる。受信器820は、図6における受信モジュール620によって実施されうる動作またはステップを実施するように構成されうる。
【０２５３】
受信器820および送信器810は、送受信器に統合されてもよい。
【０２５４】
図8に示されるネットワークデバイスは、プロセッサによって実行されるプログラムコードを格納するように構成されたメモリをさらに含んでもよい。メモリは、プロセッサ830に統合されてもよい。
【０２５５】
図9は、本出願の他の実施形態による端末の概略構造図である。図9に示される端末900は例にすぎないということが理解されよう。本出願の本実施形態における端末は、他のモジュールもしくはユニットをさらに含んでもよく、または図9におけるモジュールの機能に類似の機能を有するモジュールを含んでもよい。
【０２５６】
プロセッサ930は、プログラムコードを実行するように構成されうる。受信器910は、図7における受信モジュール710によって実施されうる動作またはステップを実施するように構成されうる。送信器920は、図7における送信モジュール720によって実施されうる動作またはステップを実施するように構成されうる。
【０２５７】
受信器910および送信器920は、送受信器に統合されてもよい。
【０２５８】
図9に示される端末は、プロセッサによって実行されるプログラムコードを格納するように構成されたメモリをさらに含んでもよい。メモリは、プロセッサ930に統合されてもよい。
【０２５９】
以下は、本出願の他の実施形態における通信方法を説明する。
【０２６０】
本出願の他の実施形態における通信方法は、第1の指示情報を第1の端末に送信することであって、第1の指示情報は、フィードバック時間の関連情報の第1の集合を示すために使用され、フィードバック時間の関連情報の第1の集合は、フィードバック時間の少なくとも1つの関連情報を含み、フィードバック時間の各関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む、送信することと、第2の指示情報を第1の端末に送信することであって、第2の指示情報は、第1のデータブロックのフィードバック時間の第1の関連情報を示すために使用され、フィードバック時間の第1の関連情報は、フィードバック時間の関連情報の第1の集合に属する、送信することと、第1のデータブロックに対する、第1の指示情報および第2の指示情報に基づいて第1の端末によって送信された応答メッセージを受信することと、を含みうる。
【０２６１】
通信方法は、ネットワークデバイスによって行われうる。具体的には、ネットワークデバイスは、第1の端末に対するフィードバック時間の関連情報の集合を設定しうる。一般的なケースにおいて、第1の端末がネットワークデバイスと同期した後、ネットワークデバイスは、フィードバック時間の関連情報の集合の設定情報を第1の端末に送信してもよく、例えば、より高いレイヤのシグナリングを使用することによって、フィードバック時間の関連情報の集合の設定情報を第1の端末に送信する。フィードバック時間の各関連情報は、具体的には、データブロックのフィードバック時間に含まれる時間単位の数量といった値でありうる。時間単位は、1つの時間ドメインのシンボルから複数のスロット(slot)まで異なりうる。
【０２６２】
任意選択で、第2の指示情報は、具体的には、フィードバック時間の関連情報の第1の集合の中の第1のデータブロックのフィードバック時間の第1の関連情報の位置またはインデックスを示すために使用されうる。
【０２６３】
第2の指示情報に含まれるビット数は、フィードバック時間の関連情報の第1の集合のサイズに基づいて決定されうることが理解されよう。フィードバック時間の関連情報の第1の集合のサイズが8であること、具体的には、フィードバック時間の関連情報の第1の集合は、フィードバック時間の8つの第1の関連情報を含むことが想定される。この場合、対応する第2の指示情報は、フィードバック時間の関連情報の第1の集合の中のフィードバック時間の全ての第1の関連情報を示すために、少なくとも3ビットを含む。フィードバック時間の関連情報の第1の集合のサイズがPである場合、第2の指示情報は、フィードバック時間の全ての第1の関連情報を示すために、少なくともH個のビットを含み、ここで、Hは、log2P以上の最も小さい整数である。
【０２６４】
通信方法によれば、第1の端末は、第1の指示情報および第2の指示情報に基づいて、応答メッセージを送信するための時間を決定することができ、その結果、通信信頼性が向上されうる。
【０２６５】
本出願の本実施形態における通信方法は、第3の指示情報を第2の端末に送信することであって、第3の指示情報は、フィードバック時間の関連情報の第2の集合を示すために使用され、フィードバック時間の関連情報の第2の集合は、フィードバック時間の少なくとも1つの関連情報を含み、フィードバック時間の各関連情報は、第3のデータブロックのフィードバック時間に含まれる時間単位の数量を示すために使用され、第3のデータブロックのフィードバック時間は、第3のデータブロックに対する応答メッセージの送信時間と第3のデータブロックの受信時間との間の時間差を含む、送信することと、第4の指示情報を第2の端末に送信することであって、第4の指示情報は、第3のデータブロックのフィードバック時間の第2の関連情報を示すために使用され、フィードバック時間の第2の関連情報は、フィードバック時間の関連情報の第2の集合に属する、送信することと、第3のデータブロックに対する、第3の指示情報および第4の指示情報に基づいて第2の端末によって送信された応答メッセージを受信することと、をさらに含むことができる。
【０２６６】
フィードバック時間の関連情報の第1の集合は、フィードバック時間の関連情報の第2の集合とは異なってもよい。具体的には、フィードバック時間の関連情報の第1の集合のサイズは、フィードバック時間の関連情報の第2の集合のサイズとは異なってもよい。
【０２６７】
フィードバック時間の関連情報の第1の集合のサイズが、フィードバック時間の関連情報の第2の集合のサイズとは異なるとき、第2の指示情報の中で使用されるビット数は、第4の指示情報の中で使用されるビット数とは異なるということが理解されよう。
【０２６８】
任意選択で、フィードバック時間の関連情報の第1の集合のサイズは、フィードバック時間の関連情報の第2の集合のサイズと同じであってもよい。この場合、フィードバック時間の関連情報の第1の集合の中の少なくとも1つの要素は、フィードバック時間の関連情報の第2の集合の中の少なくとも1つの要素とは異なってもよい。
【０２６９】
フィードバック時間の関連情報の第1の集合の中の少なくとも1つの要素が、フィードバック時間の関連情報の第2の集合の中の少なくとも1つの要素とは異なるとき、第2の指示情報の中で使用されるビット数は、第4の指示情報の中で使用されるビット数と同じであってもよいことが理解されよう。
【０２７０】
言い換えると、異なる端末のフィードバック時間の関連情報の集合は、フィードバック時間の異なる数量の関連情報を含みうる。例えば、第1の端末に対して設定されたフィードバック時間の関連情報の第1の集合は、{1, 2, 4, 8}でありえ、第2の端末に対して設定されたフィードバック時間の関連情報の第2の集合は、{3, 5, 7, 9, 11}でありうる。この場合、第2の指示情報は、フィードバック時間の関連情報の第1の集合の中のフィードバック時間の第1の関連情報のインデックスを示すために、2ビットを使用してもよく、第4の指示情報は、フィードバック時間の関連情報の第2の集合の中のフィードバック時間の第2の関連情報のインデックスを示すために、3ビットを使用してもよい。
【０２７１】
異なる端末のフィードバック時間の関連情報の集合は、フィードバック時間の同じ量の関連情報を含むことができるが、異なる端末のフィードバック時間の関連情報の集合の中には、少なくとも1つの異なる要素がある。例えば、第1の端末に対して設定されたフィードバック時間の関連情報の第1の集合は、{1, 2, 4, 8}であってもよく、第2の端末に対して設定されたフィードバック時間の関連情報の第2の集合は、{3, 5, 7, 9}である。この場合、第1の端末に送信された第2の指示情報および第2の端末に送信された第4の指示情報は、それぞれ、フィードバック時間の関連情報の個々の集合の中のフィードバック時間の個々の関連情報のインデックスを示すために、2ビットを使用しうる。
【０２７２】
さらに、通信方法において、可能な実装形態において、データブロックのフィードバック時間に含まれる時間単位は、データブロックの伝送時間の長さに基づいて決定される。データブロックのフィードバック時間に含まれる時間単位は、データブロックの伝送時間の長さに基づいて決定され、データブロックは、第1のデータブロックまたは第3のデータブロックであってもよいので、伝送時間の長さが異なるデータブロックのフィードバック時間は、フィードバック時間の同じ関連情報を使用することによって示されてもよく、その結果、伝送時間の長さが異なるデータブロックのフィードバック時間は、フィードバック時間の関連情報の同じ集合を使用することによって決定されることができる。このことは、フィードバック時間の関連情報の伝送されるべき集合の数量を低減させることができ、第1の指示情報の伝送オーバヘッドを低減させるのに役立つ。他の観点から、このことは、フィードバック時間の関連情報の総数を低減させることができ、このことにより、第2の指示情報の伝送オーバヘッドを低減させるのに役立つ。結論として、通信効率が向上されることができる。
【０２７３】
任意選択で、第1のデータブロックの前にある第2のデータブロックの伝送時間の長さが、第1のデータブロックの伝送時間の長さより長いとき、フィードバック時間の第1の関連情報に対応するフィードバック時間に含まれる時間単位の長さは、第2のデータブロックの伝送時間の長さであってもよい。
【０２７４】
あるいは、第1のデータブロックの前にある第2のデータブロックの伝送時間の長さが、第1のデータブロックの伝送時間の長さ以下であるとき、フィードバック時間の第1の関連情報に対応するフィードバック時間に含まれる時間単位の長さは、第1のデータブロックの伝送時間の長さであってもよい。
【０２７５】
本明細書において、第2のデータブロックが第1のデータブロックの前にあるということは、第2のデータブロックの伝送時間が第1のデータブロックの伝送時間の前にあるということを意味してもよく、より具体的には、第2のデータブロックの伝送時間が第1のデータブロックの伝送時間の前にあり、第2のデータブロックの伝送時間と第1のデータブロックの伝送時間との間の間隔が特定の時間範囲より小さいか、それ以下であるということを意味してもよく、その結果、第1のデータブロックに対する応答メッセージは、第1のデータブロックの伝送時間の長さを時間単位として使用することによって送信されることができない、ということが理解されよう。
【０２７６】
あるいは、第1のデータブロックの伝送時間と第2のデータブロックの伝送時間との間の間隔が、特定の時間範囲より大きいか、それ以上であるとき、フィードバック時間の第1の関連情報に対応するフィードバック時間に含まれる時間単位の長さは、第1のデータブロックの伝送時間の長さであってもよい。
【０２７７】
この場合、第1のデータブロックに対する応答メッセージおよび第2のデータブロックの応答メッセージは、互いに影響を及ぼさないということが理解されよう。
【０２７８】
通信方法において、任意選択で、データブロックの伝送時間の長さに基づいて、異なる伝送シナリオが決定されうる。異なる伝送シナリオにおいて、フィードバック時間の関連情報の集合は、異なる時間単位に対応する。
【０２７９】
具体的には、異なる伝送シナリオにおいてネットワークデバイスがデータブロックを端末に伝送するとき、端末は、伝送シナリオに基づいて、フィードバック時間の関連情報の集合に対応する特定のタイプの時間単位を決定してもよく、また第2の指示情報によって示されるフィードバック時間の第1の関連情報に基づいて、データブロックのフィードバック時間を決定してもよい。
【０２８０】
フィードバック時間の関連情報の集合と時間単位との間の対応関係については、図3に示される2つの伝送シナリオにおけるフィードバック時間の関連情報の異なる集合と時間単位との間の対応関係を参照されたい。
【０２８１】
第2の可能な実装形態において、データブロックのフィードバック時間に含まれる時間単位は、予め設定される。具体的には、データブロックのフィードバック時間に含まれる時間単位は、システムにおいて予め設定された固定時間単位、またはプロトコルにおいて予め定義された固定時間単位でありうる。このことは、ネットワークデバイスと端末の間の通信の複雑性をさらに低減させることができる。
【０２８２】
第3の可能な実装形態において、データブロックのフィードバック時間に含まれる時間単位は、第1のデータブロックに対応するアップリンク制御チャネルによって占有された時間単位である。このことは、通信柔軟性を向上させることができる。
【０２８３】
本出願の他の実施形態における通信方法は、第1の端末によって、ネットワークデバイスによって送信された第1の指示情報を受信することであって、第1の指示情報は、フィードバック時間の関連情報の第1の集合を示すために使用され、フィードバック時間の関連情報の第1の集合は、フィードバック時間の少なくとも1つの関連情報を含み、フィードバック時間の関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む、受信することと、第1の端末によって、ネットワークデバイスによって送信された第2の指示情報を受信することであって、第2の指示情報は、第1のデータブロックのフィードバック時間の第1の関連情報を示すために使用され、フィードバック時間の第1の関連情報は、フィードバック時間の関連情報の第1の集合に属する、受信することと、第1の端末によって、第1の指示情報および第2の指示情報に基づいて、第1のデータブロックに対する応答メッセージをネットワークデバイスに送信することと、を含むことができる。
【０２８４】
通信方法によれば、端末は、第1の指示情報および第2の指示情報に基づいて、応答メッセージを送信するための時間を決定することができ、その結果、通信信頼性が向上されうる。
【０２８５】
本実施形態における第1の端末は、前述の実施形態における第1の端末であることが可能であり、具体的には、前述の実施形態における第1の端末に関する技術的特徴は、本実施形態における第1の端末にも適用可能である。詳細は本明細書において説明されない。
【０２８６】
本出願の他の実施形態における通信方法は、第2の端末によって、第3の指示情報を受信することであって、第3の指示情報は、フィードバック時間の関連情報の第2の集合を示すために使用され、フィードバック時間の関連情報の第2の集合は、フィードバック時間の少なくとも1つの関連情報を含み、フィードバック時間の各関連情報は、第3のデータブロックのフィードバック時間に含まれる時間単位の数量を示すために使用され、第3のデータブロックのフィードバック時間は、第3のデータブロックに対する応答メッセージの送信時間と第3のデータブロックの受信時間との間の時間差を含む、受信することと、第2の端末によって、第4の指示情報を受信することであって、第4の指示情報は、第3のデータブロックのフィードバック時間の第2の関連情報を示すために使用され、フィードバック時間の第2の関連情報は、フィードバック時間の関連情報の第2の集合に属する、受信することと、第2の端末によって、第3の指示情報および第4の指示情報に基づいて、第3のデータブロックに対する応答メッセージを送信することと、を含みうる。
【０２８７】
フィードバック時間の関連情報の第2の集合は、以前の実施形態におけるフィードバック時間の関連情報の第1の集合とは異なってもよい。具体的には、フィードバック時間の関連情報の第1の集合のサイズは、フィードバック時間の関連情報の第2の集合のサイズとは異なってもよい。この場合、以前の実施形態における第2の指示情報の中で使用されるビット数は、第4の指示情報の中で使用されるビット数とは異なってもよい。
【０２８８】
任意選択で、フィードバック時間の関連情報の第1の集合のサイズは、フィードバック時間の関連情報の第2の集合のサイズと同じでありうる。この場合、フィードバック時間の関連情報の第1の集合の中の少なくとも1つの要素は、フィードバック時間の関連情報の第2の集合の中の少なくとも1つの要素とは異なってもよい。この場合、第2の指示情報の中で使用されるビット数は、第4の指示情報の中で使用されるビット数と同じである。
【０２８９】
本実施形態における第2の端末は、前述の実施形態における第2の端末であってもよく、具体的には、前述の実施形態における第2の端末に関する技術的特徴は、本実施形態における第2の端末にも適用可能である。詳細は本明細書において説明されない。
【０２９０】
本出願の他の実施形態におけるネットワークデバイスは、送信モジュールおよび受信モジュールを含みうる。
【０２９１】
送信モジュールは、第1の指示情報を第1の端末に送信するように構成され、ここで、第1の指示情報は、フィードバック時間の関連情報の第1の集合を示すために使用され、フィードバック時間の関連情報の第1の集合は、フィードバック時間の少なくとも1つの関連情報を含み、フィードバック時間の各関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む。
【０２９２】
送信モジュールは、第2の指示情報を第1の端末に送信するようにさらに構成され、ここで、第2の指示情報は、第1のデータブロックのフィードバック時間の第1の関連情報を示すために使用され、フィードバック時間の第1の関連情報は、フィードバック時間の関連情報の第1の集合に属する。
【０２９３】
受信モジュールは、第1のデータブロックに対する、第2の指示情報および第1の指示情報に基づいて第1の端末によって送信された応答メッセージを受信するように構成される。
【０２９４】
ネットワークデバイスに応じて、第1の端末は、第1の指示情報および第2の指示情報に基づいて、応答メッセージを送信するための時間を決定することができ、その結果、通信信頼性が向上されうる。
【０２９５】
ネットワークデバイスの送信モジュールおよび受信モジュールは、前述の実施形態のいずれか1つにおける通信方法を実施するように構成されうる。簡潔さのために、詳細は本明細書において再び説明されない。
【０２９６】
本出願の他の実施形態における端末は、送信モジュールおよび受信モジュールを含みうる。
【０２９７】
受信モジュールは、ネットワークデバイスによって送信された第1の指示情報を受信するように構成され、ここで、第1の指示情報は、フィードバック時間の関連情報の集合を示すために使用され、フィードバック時間の関連情報の集合は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含む。
【０２９８】
受信モジュールは、ネットワークデバイスによって送信された第2の指示情報を受信するようにさらに構成され、ここで、第2の指示情報は、第1のデータブロックのフィードバック時間の第1の関連情報を示すために使用され、フィードバック時間の第1の関連情報は、フィードバック時間の関連情報の第1の集合に属する。
【０２９９】
送信モジュールは、第2の指示情報に基づいて、第1のデータブロックに対する応答メッセージをネットワークデバイスに送信するように構成される。
【０３００】
端末に応じて、端末は、第1の指示情報および第2の指示情報に基づいて、応答メッセージを送信するための時間を決定することができ、その結果、通信信頼性が向上されうる。
【０３０１】
端末の送信モジュールおよび受信モジュールは、前述の実施形態における通信方法を実施するように構成されうる。簡潔さのために、詳細は本明細書において再び説明されない。
【０３０２】
本明細書において開示された実施形態を参照しながら説明された例におけるユニットおよびアルゴリズムのステップは、電子ハードウェア、またはコンピュータソフトウェアと電子ハードウェアとの組合せによって実施されうることを、当業者は認識するであろう。機能がハードウェアによって行われるか、ソフトウェアによって行われるかは、技術的解決策の特定の用途および設計制約に依存する。当業者は、それぞれの特定の用途のための説明された機能を実施するために種々の方法を使用しうるが、実装形態が本出願の範囲を超えるものとみなされるべきではない。
【０３０３】
便利かつ簡単な説明のために、前述のシステム、装置、およびユニットの詳細な作業プロセスについては、前述の方法の実施形態における対応する処理を参照されたい、ということが当業者によって明確に理解されよう。詳細は本明細書において再び説明されない。
【０３０４】
本出願において提供されるいくつかの実施形態において、開示のシステム、装置、および方法は、他の手法で実施されうることが理解されよう。例えば、説明された装置の実施形態は例にすぎない。例えば、ユニット分割は論理機能分割にすぎず、実際の実装形態においては他の分割であってもよい。例えば、複数のユニットまたは構成要素は、他のシステムに組み合わされるか、統合されてもよく、また特徴の中には、無視されるか、行われなくてもよいものもある。さらに、表示されるか、論じられた相互連結もしくは直接連結または通信接続は、いくつかのインターフェースを使用することによって実施されることが可能である。装置またはユニット間の間接連結または通信接続は、電子的、機械的、または他の形式で実施されることが可能である。
【０３０５】
別個の部品として説明されたユニットは、物理的に別個であっても、そうでなくてもよく、ユニットとして表示された部品は、物理的なユニットであっても、そうでなくてもよく、1つの場所にあってもよく、または複数のネットワークユニット上に分散されてもよい。ユニットのいくつかまたは全ては、実施形態の解決策の目的を実現するために、実際の要件に基づいて選択されてもよい。
【０３０６】
さらに、本出願の実施形態における機能ユニットは、1つの処理ユニットに統合されてもよく、またユニットのそれぞれは、単独で物理的に存在してもよく、または2つ以上のユニットが1つのユニットに統合される。
【０３０７】
前述の実施形態の全てまたはいくつかは、ソフトウェア、ハードウェア、ファームウェア、またはこれらの任意の組合せを通じて実施されうる。実施形態を実施するためにソフトウェアが使用されるとき、実施形態は、コンピュータプログラム製品の形式で完全にまたは部分的に実施されることが可能である。コンピュータプログラム製品は、1つまたは複数のコンピュータ命令を含む。コンピュータプログラム命令がコンピュータ上にロードされ、実行されるとき、本発明の実施形態による手順または機能は、全てまたは部分的に生成される。コンピュータは、汎用コンピュータ、専用コンピュータ、コンピュータネットワーク、または他のプログラム可能装置でありうる。コンピュータ命令は、コンピュータ可読記録媒体に格納されてもよく、またはコンピュータ可読記録媒体から他のコンピュータ可読記録媒体に伝送されてもよい。例えば、コンピュータ命令は、有線(例えば、同軸ケーブル、光ファイバ、もしくはデジタル加入者線(DSL))、またはワイヤレス(例えば、赤外線、無線、またはマイクロ波)の手法で、ウェブサイト、コンピュータ、サーバ、またはデータセンタから、他のウェブサイト、コンピュータ、サーバ、またはデータセンタに伝送されうる。コンピュータ可読記録媒体は、コンピュータによってアクセス可能な任意の使用可能媒体、または1つもしくは複数の使用可能媒体を統合するサーバまたはデータセンタなどのデータストレージデバイスでありうる。使用可能媒体は、磁気媒体(例えば、フロッピーディスク、ハードディスク、または磁気テープ)、光媒体(例えば、DVD)、半導体媒体(例えば、ソリッドステートドライブ(Solid-State Drive、SSD))、または同様のものでありうる。
【０３０８】
前述の説明は本出願の特定の実装形態にすぎず、本出願の保護範囲を限定することを意図するものではない。本出願において開示された技術範囲内で当業者によって容易に考え出される任意の変形または置換は、本出願の保護範囲の範囲に含まれる。したがって、本出願の保護範囲は、特許請求の範囲の保護範囲に従うべきである。
【符号の説明】
【０３０９】
110  ネットワークデバイス
120  端末
600  ネットワークデバイス
610  送信モジュール
620  受信モジュール
700  端末
710  受信モジュール
720  送信モジュール
800  ネットワークデバイス
810  送信器
820  受信器
830  プロセッサ
900  端末
910  受信器
920  送信器
930  プロセッサ
【図１】
2020523903.tif 000003
【図２】
2020523903.tif 000004
【図３】
2020523903.tif 000005
【図４】
2020523903.tif 000006
【図５】
2020523903.tif 000007
【図６】
2020523903.tif 000008
【図７】
2020523903.tif 000009
【図８】
2020523903.tif 000010
【図９】
2020523903.tif 000011
【手続補正書】
【提出日】令和2年2月10日(2020.2.10)
【手続補正１】
【補正対象書類名】明細書
【補正対象項目名】全文
【補正方法】変更
【補正の内容】
【発明の詳細な説明】
【技術分野】
【０００１】
本出願は、通信分野に関連し、より詳細には、通信方法、ネットワークデバイス、および端末に関する。
【背景技術】
【０００２】
通信システムにおいて、物理ダウンリンク共有チャネル(physical downlink shared channel、PDSCH)において搬送されるダウンリンクデータを受信した後、ユーザ機器は、例えば、ダウンリンクデータがうまく受信されたことを示す肯定応答(acknowledgement、ACK)メッセージ、またはダウンリンクデータが受信されることに失敗したことを示す否定応答(negative acknowledgment、NACK)メッセージといった、データのデコード結果に基づいてハイブリッド自動再送要求(hybrid automatic repeat request、HARQ)応答メッセージをネットワークデバイスにフィードバックする。
【０００３】
一般的なケースにおいて、ユーザ機器がダウンリンクデータを受信する時間、およびユーザ機器がHARQ応答メッセージをネットワークデバイスに送信する時間は、n+k1という関係を満たす。本明細書において、nは、ユーザ機器がダウンリンクデータを受信する伝送時間単位の一連の番号であり、k1は、ユーザ機器がHARQ応答メッセージをネットワークデバイスに送信する時間とユーザ機器がダウンリンクデータを受信する時間との間の伝送時間単位の数量である。具体的には、ユーザ機器は、ダウンリンクデータが受信された時間を開始点として使用することによって、k1個の伝送時間単位の後、ダウンリンクデータに対するHARQ応答メッセージを送信する。
【０００４】
例えば、ロングタームエボリューション(long term evolution、LTE)システムにおいて、k1は4であり、伝送時間単位はサブフレームである。具体的には、LTEシステムにおいて、ユーザ機器は、ダウンリンクデータが受信されたサブフレームを開始点として使用することによって、4つのサブフレームの後、ダウンリンクデータに対するHARQ応答メッセージを送信する。
【０００５】
しかし、5G通信システムなどの新無線(new radio、NR)通信システムにおいて、基本伝送時間は、1つのシンボルから複数のスロット(slot)まで多様でありうる。HARQ応答メッセージをフィードバックする全てのシナリオにおいて前述の一般的な通信方法が使用される場合、いくつかのシナリオにおいて、HARQ応答メッセージは伝送されることができず、結果として通信信頼性が影響を受ける。
【０００６】
例えば、ネットワークデバイスは、まず、伝送時間が4つのスロットであるトランスポートブロック(transport block、TB)をユーザ機器に送信し、次に、伝送時間が2つのシンボルであるTBをユーザ機器に送信する。
【０００７】
2つのTBに対するHARQ応答メッセージが前述の通信方法に従ってフィードバックされ、k1が3に等しい場合、TBのフィードバック開始時間は、後者のTBが受信された後の第6のシンボルである。
【０００８】
しかし、前者のTBのデコード時間は、6つのシンボルを超過する。具体的には、ユーザ機器が後者のTBを受信した後の第6のシンボルの時に、ユーザ機器は、前者のTBに対するデコードを完了しておらず、したがって、順次デコードされる必要がある後者のTBをデコードできない。必然的に、ユーザ機器は、ユーザ機器が後者のTBを受信した後の第6のシンボルにおいて後者のTBに対するHARQ応答メッセージを伝送することができない。
【発明の概要】
【課題を解決するための手段】
【０００９】
本出願は、通信信頼性を向上させるのに役立つ通信方法、ネットワークデバイス、および端末を提供する。
【００１０】
第1の態様によれば、本出願は、通信方法を提供する。通信方法は、第1の指示情報を端末に送信することであって、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の各関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である、送信することと、第2の指示情報を端末に送信することであって、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである、送信することと、第1のデータブロックに対する、第1の指示情報および第2の指示情報に基づいて端末によって送信された応答メッセージを受信することと、を含む。
【００１１】
本通信方法において、ネットワークデバイスは、フィードバック時間の関連情報の第1の集合の中の第1のデータブロックのフィードバック時間の第1の関連情報を示すために第2の指示情報を端末に送信し、その結果、端末は、第2の指示情報に基づいてフィードバック時間の第1の関連情報を決定し、フィードバック時間の第1の関連情報に基づいて第1のデータブロックに対する応答メッセージを送信することができ、ネットワークデバイスは、応答メッセージに基づいて、再伝送が行われる必要があるかどうかを決定し、このことにより、通信信頼性を向上させる。
【００１２】
任意選択で、第1の指示情報は、より高いレイヤの設定情報であってもよく、第1の指示情報は、フィードバック時間の関連情報のN個の集合を含んでもよい。
【００１３】
任意選択で、前述の応答メッセージは、HARQ応答メッセージであってもよい。
【００１４】
任意選択で、第2の指示情報は、フィードバック時間の関連情報の第1の集合の中のフィードバック時間の第1の関連情報の位置を含んでもよく、その結果、端末は、第2の指示情報に基づいて、フィードバック時間の関連情報の第1の集合から第1のデータブロックのフィードバック時間の第1の関連情報を取得することができる。
【００１５】
この場合、フィードバック時間の関連情報の第1の集合は、フィードバック時間の関連情報のN個の集合のうちの任意の1つである。言い換えると、フィードバック時間の全ての可能な関連情報は、フィードバック時間の関連情報のN個の集合にグループ化されうる。したがって、フィードバック時間の第1の関連情報の位置を示すとき、第2の指示情報は、フィードバック時間の関連情報の第1の集合の中のフィードバック時間の第1の関連情報の位置のみを示す。全ての可能なフィードバック時間が示される方法と比較して、第2の指示情報において、より少なくビットが使用されうる。このことは、第2の指示情報の通信オーバヘッドを低減させることができ、このことにより、通信効率を向上させる。
【００１６】
フィードバック時間の関連情報の第1の集合の中の第1のデータブロックのフィードバック時間の第1の関連情報の位置は、フィードバック時間の関連情報の第1の集合の中の第1のデータブロックのフィードバック時間の第1の関連情報のインデックスとして理解されうることに留意されたい。
【００１７】
第1の態様を参照して、第1の可能な実装形態において、フィードバック時間の関連情報のN個の集合の中で、フィードバック時間の関連情報の異なる集合の中のフィードバック時間の関連情報は、同じ時間単位に対応する。このことは、ネットワークデバイスと端末の間の通信の複雑性を低減させることができる。
【００１８】
第1の可能な実装形態を参照して、第2の可能な実装形態において、フィードバック時間の関連情報の集合の中のフィードバック時間の関連情報に対応する時間単位は、予め設定される。
【００１９】
具体的には、フィードバック時間の関連情報の異なる集合の中のフィードバック時間の関連情報によって示されるフィードバック時間に含まれる時間単位は、同じであってもよいだけでなく、また、システムにおいて予め設定された固定時間単位、またはプロトコルにおいて予め定義された固定時間単位であってもよい。このことは、ネットワークデバイスと端末の間の通信の複雑性をさらに低減させることができる。
【００２０】
第1の可能な実装形態を参照して、第3の可能な実装形態において、フィードバック時間の関連情報の集合の中のフィードバック時間の関連情報に対応する時間単位の長さは、第1のデータブロックの伝送時間の長さに等しい。
【００２１】
具体的には、フィードバック時間の関連情報の異なる集合の中のフィードバック時間の関連情報によって示されるフィードバック時間に含まれる時間単位は、現在のデータブロック(すなわち、第1のデータブロック)の伝送時間の長さでありうる。現在のデータブロックの伝送時間の長さが異なる場合、フィードバック時間の関連情報によって示されるフィードバック時間に含まれる時間単位は、異なりうる。このようにして、通信複雑性と通信柔軟性の両方が考慮されうる。
【００２２】
第1の態様を参照して、第4の可能な実装形態において、フィードバック時間の関連情報のN個の集合において、フィードバック時間の関連情報の異なる集合の中のフィードバック時間の関連情報は、異なる時間単位に対応する。このことは、通信柔軟性を向上させることができる。
【００２３】
第1の態様を参照して、第5の可能な実装形態において、フィードバック時間の関連情報の集合の中のフィードバック時間の関連情報に対応する時間単位は、第1のデータブロックに対応するアップリンク制御チャネルによって占有された時間単位である。このことは、通信柔軟性を向上させることができる。
【００２４】
第1の態様または前述の可能な実装形態のうちのいずれか1つを参照して、第6の可能な実装形態において、通信方法は、第3の指示情報を端末に送信することであって、第3の指示情報は、フィードバック時間の関連情報のN個の集合の中のフィードバック時間の関連情報の第1の集合を示すために使用される、送信すること、をさらに含む。
【００２５】
具体的には、第3の指示情報は、フィードバック時間の関連情報のN個の集合のうちのいずれの1つが、第2の指示情報によって示されるフィードバック時間の第1の関連情報が属するフィードバック時間の関連情報の第1の集合であるか、を示すために端末に送信され、その結果、端末は、シナリオ情報などの他の情報に依存せずに、フィードバック時間の関連情報の第1の集合を決定することができる。このことは、端末の複雑性を低減させることができる。
【００２６】
第2の態様によれば、本出願は、通信方法を提供する。通信方法は、ネットワークデバイスによって送信された第1の指示情報を受信することであって、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である、受信することと、ネットワークデバイスによって送信された第2の指示情報を受信することであって、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである、受信することと、第1の指示情報および第2の指示情報に基づいて、第1のデータブロックに対する応答メッセージをネットワークデバイスに送信することと、を含む。
【００２７】
通信方法において、ネットワークデバイスによって送信された第2の指示情報を受信した後、端末は、第2の指示情報に基づいて、第1のデータブロックのフィードバック時間の第1の関連情報を決定してもよく、その結果、端末は、第1のデータブロックに対する応答メッセージをネットワークデバイスに送信しうる。このことは、通信信頼性を向上させうる。
【００２８】
任意選択で、第1の指示情報は、より高いレイヤの設定情報であり、第1の指示情報は、フィードバック時間の関連情報のN個の集合を含みうる。
【００２９】
任意選択で、前述の応答メッセージは、HARQ応答メッセージであってもよい。
【００３０】
任意選択で、第2の指示情報は、フィードバック時間の関連情報の第1の集合の中のフィードバック時間の第1の関連情報の位置を含んでもよい。このようにして、端末は、第2の指示情報に基づいて、フィードバック時間の関連情報の第1の集合から第1のデータブロックのフィードバック時間の第1の関連情報を取得することができる。
【００３１】
この場合、フィードバック時間の関連情報の第1の集合は、フィードバック時間の関連情報のN個の集合のうちの任意の1つである。言い換えると、フィードバック時間の全ての可能な関連情報は、フィードバック時間の関連情報のN個の集合にグループ化されうる。したがって、フィードバック時間の第1の関連情報の位置を示すとき、第2の指示情報は、フィードバック時間の関連情報の第1の集合の中のフィードバック時間の第1の関連情報の位置のみを示す。全ての可能なフィードバック時間が示される方法と比較して、第2の指示情報において、より少なくビットが使用されうる。このことは、第2の指示情報の通信オーバヘッドを低減させることができ、このことにより、通信効率を向上させる。
【００３２】
フィードバック時間の関連情報の第1の集合の中の第1のデータブロックのフィードバック時間の第1の関連情報の位置は、フィードバック時間の関連情報の第1の集合の中の第1のデータブロックのフィードバック時間の第1の関連情報のインデックスとして理解されうることに留意されたい。
【００３３】
第2の態様を参照して、第1の可能な実装形態において、フィードバック時間の関連情報のN個の集合において、フィードバック時間の関連情報の異なる集合の中のフィードバック時間の関連情報は、同じ時間単位に対応する。このことは、ネットワークデバイスと端末の間の通信の複雑性を低減させることができる。
【００３４】
第1の可能な実装形態を参照して、第2の可能な実装形態において、フィードバック時間の関連情報の集合の中のフィードバック時間の関連情報に対応する時間単位は、予め設定される。
【００３５】
具体的には、フィードバック時間の関連情報の異なる集合の中のフィードバック時間の関連情報によって示されるフィードバック時間に含まれる時間単位は、同じであるだけでなく、システムにおいて予め設定された固定時間単位、またはプロトコルにおいて指定された固定時間単位であってもよい。このことは、ネットワークデバイスと端末の間の通信の複雑性をさらに低減させることができる。
【００３６】
第1の可能な実装形態を参照して、第3の可能な実装形態において、フィードバック時間の関連情報の集合の中のフィードバック時間の関連情報に対応する時間単位の長さは、第1のデータブロックの伝送時間の長さに等しい。
【００３７】
具体的には、フィードバック時間の関連情報の異なる集合の中のフィードバック時間の関連情報によって示されるフィードバック時間に含まれる時間単位は、現在のデータブロック(すなわち、第1のデータブロック)の伝送時間の長さでありうる。現在のデータブロックの伝送時間の長さが異なる場合、フィードバック時間の関連情報によって示されるフィードバック時間に含まれる時間単位は、異なりうる。このようにして、通信複雑性と通信柔軟性の両方が考慮されることができる。
【００３８】
第2の態様を参照して、第4の可能な実装形態において、フィードバック時間の関連情報のN個の集合において、フィードバック時間の関連情報の異なる集合の中のフィードバック時間の関連情報は、異なる時間単位に対応する。このことは、通信柔軟性を向上させることができる。
【００３９】
第2の態様を参照して、第5の可能な実装形態において、フィードバック時間の関連情報の集合の中のフィードバック時間の関連情報に対応する時間単位は、第1のデータブロックに対応するアップリンク制御チャネルによって占有された時間単位である。このことは、通信柔軟性を向上させることができる。
【００４０】
第2の態様または前述の可能な実装形態のうちのいずれか1つを参照して、第6の可能な実装形態において、通信方法は、ネットワークデバイスによって送信された第3の指示情報を受信することであって、第3の指示情報は、フィードバック時間の関連情報のN個の集合の中のフィードバック時間の関連情報の第1の集合を示すために使用される、受信すること、をさらに含む。
【００４１】
第3の態様によれば、本出願は、ネットワークデバイスを提供する。ネットワークデバイスは、第1の態様または第1の態様の可能な実装形態のうちのいずれか1つで通信方法を行うように構成されたモジュールを含む。
【００４２】
第4の態様によれば、本出願は、端末を提供する。端末は、第2の態様または第2の態様の可能な実装形態のうちのいずれか1つで通信方法を行うように構成されたモジュールを含む。
【００４３】
第5の態様によれば、本出願は、ネットワークデバイスを提供する。ネットワークデバイスは、プロセッサ、送信器、および受信器を含む。プロセッサは、プログラムコードを実行するように構成される。プロセッサがプログラムコードを実行するとき、プロセッサ、送信器、および受信器は、第1の態様または第1の態様の可能な実装形態のうちのいずれか1つで通信方法を実施する。
【００４４】
任意選択で、ネットワークデバイスは、メモリをさらに含んでもよく、メモリは、プロセッサによって実行されるコードを格納するように構成される。
【００４５】
第6の態様によれば、本出願は、端末を提供する。端末は、プロセッサ、受信器、および送信器を含む。プロセッサは、プログラムコードを実行するように構成される。プロセッサがプログラムコードを実行するとき、プロセッサ、受信器、および送信器は、第2の態様または第2の態様の可能な実装形態のうちのいずれか1つで通信方法を実施する。
【００４６】
任意選択で、端末は、メモリをさらに含んでもよく、メモリは、プロセッサによって実行されるプログラムコードを格納するように構成される。
【００４７】
第7の態様によれば、本出願は、コンピュータ可読記録媒体を提供する。コンピュータ可読記録媒体は、ネットワークデバイスによって実行されるべきプログラムコードを格納する。プログラムコードは、第1の態様または第1の態様の可能な実装形態のうちのいずれか1つで通信方法を行うために使用される命令を含む。
【００４８】
第8の態様によれば、本出願は、コンピュータ可読記録媒体を提供する。コンピュータ可読記録媒体は、端末によって実行されるべきプログラムコードを格納する。プログラムコードは、第2の態様または第2の態様の可能な実装形態のうちのいずれか1つで通信方法を行うために使用される命令を含む。
【００４９】
第9の態様によれば、本出願は、命令を含むコンピュータプログラム製品を提供する。コンピュータプログラム製品がネットワークデバイス上で動くとき、ネットワークデバイスは、第1の態様または第1の態様の可能な実装形態のうちのいずれか1つで通信方法を行うことを可能にされる。
【００５０】
第10の態様によれば、本出願は、命令を含むコンピュータプログラム製品を提供する。コンピュータプログラム製品が端末上で動くとき、端末は、第2の態様または第2の態様の可能な実装形態のうちのいずれか1つで通信方法を行うことを可能にされる。
【００５１】
第11の態様によれば、本出願は、通信方法を提供する。通信方法は、第1の指示情報を第1の端末に送信することであって、第1の指示情報は、フィードバック時間の関連情報の第1の集合を示すために使用され、フィードバック時間の関連情報の第1の集合は、フィードバック時間の少なくとも1つの関連情報を含み、フィードバック時間の各関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む、送信することと、第2の指示情報を第1の端末に送信することであって、第2の指示情報は、第1のデータブロックのフィードバック時間の第1の関連情報を示すために使用され、フィードバック時間の第1の関連情報は、フィードバック時間の関連情報の第1の集合に属する、送信することと、第1のデータブロックに対する、第1の指示情報および第2の指示情報に基づいて第1の端末によって送信された応答メッセージを受信することと、を含む。
【００５２】
通信方法によれば、第1の端末は、第1の指示情報および第2の指示情報に基づいて、応答メッセージを送信するための時間を決定することができ、その結果、通信信頼性が向上されうる。
【００５３】
任意選択で、前述の応答メッセージは、HARQ応答メッセージであってもよい。
【００５４】
任意選択で、第2の指示情報は、ダウンリンク制御情報DCIの中で搬送され、第2の指示情報に含まれるビット数は、フィードバック時間の関連情報の第1の集合のサイズに基づいて決定されてもよい。
【００５５】
第11の態様を参照して、第1の可能な実装形態において、第1のデータブロックのフィードバック時間に含まれる時間単位は、第1のデータブロックの伝送時間の長さに基づいて決定される。第1のデータブロックのフィードバック時間に含まれる時間単位は、第1のデータブロックの伝送時間の長さに基づいて決定されるので、伝送時間の長さが異なるデータブロックのフィードバック時間は、フィードバック時間の同じ関連情報を使用することによって示されてもよく、その結果、伝送時間の長さが異なるデータブロックのフィードバック時間は、フィードバック時間の関連情報の同じ集合を使用することによって決定されうる。このことは、フィードバック時間の関連情報の伝送されるべき集合の数量を低減させることができ、第1の指示情報の伝送オーバヘッドおよび複雑性を低減させるのに役立つ。他の観点から、このことは、フィードバック時間の関連情報の総数を低減させることができ、このことにより、第2の指示情報の伝送オーバヘッドを低減させるのに役立つ。結論として、通信効率が向上されうる。
【００５６】
任意選択で、第1のデータブロックの前にある第2のデータブロックの伝送時間の長さが第1のデータブロックの伝送時間の長さより長いとき、フィードバック時間の第1の関連情報に対応するフィードバック時間に含まれる時間単位の長さは、第2のデータブロックの伝送時間の長さであってもよい。
【００５７】
あるいは、第1のデータブロックの前にある第2のデータブロックの伝送時間の長さが第1のデータブロックの伝送時間の長さ以下であるとき、フィードバック時間の第1の関連情報に対応するフィードバック時間に含まれる時間単位の長さは、第1のデータブロックの伝送時間の長さであってもよい。
【００５８】
本明細書において、第2のデータブロックが第1のデータブロックの前にあるということは、第2のデータブロックの伝送時間が第1のデータブロックの伝送時間の前にあるということを意味してもよく、より具体的には、第2のデータブロックの伝送時間が第1のデータブロックの伝送時間の前にあり、第2のデータブロックの伝送時間と第1のデータブロックの伝送時間との間の間隔が特定の時間範囲より小さいか、それ以下であるということを意味してもよく、その結果、第1のデータブロックに対する応答メッセージは、第1のデータブロックの伝送時間の長さを時間単位として使用することによって送信されることができない、ということが理解されよう。
【００５９】
あるいは、第1のデータブロックの伝送時間と第2のデータブロックの伝送時間との間の間隔が、特定の時間範囲より大きいか、それ以上であるとき、フィードバック時間の第1の関連情報に対応するフィードバック時間に含まれる時間単位の長さは、第1のデータブロックの伝送時間の長さであってもよい。
【００６０】
この場合、第1のデータブロックに対する応答メッセージおよび第2のデータブロックの応答メッセージは、互いに影響を及ぼさないということが理解されよう。
【００６１】
第11の態様を参照して、第2の可能な実装形態において、第1のデータブロックのフィードバック時間に含まれる時間単位は、予め設定される。
【００６２】
具体的には、データブロックのフィードバック時間に含まれる時間単位は、システムにおいて予め設定された固定時間単位、またはプロトコルにおいて予め定義された固定時間単位であってもよい。このことは、ネットワークデバイスと端末の間の通信の複雑性をさらに低減させうる。
【００６３】
第11の態様を参照して、第3の可能な実装形態において、フィードバック時間の第1の関連情報に対応するフィードバック時間に含まれる時間単位は、第1のデータブロックに対応するアップリンク制御チャネルによって占有された時間単位である。このことは、通信柔軟性を向上させうる。
【００６４】
第11の態様を参照して、第4の可能な実装形態において、通信方法は、第3の指示情報を第2の端末に送信することであって、第3の指示情報は、フィードバック時間の関連情報の第2の集合を示すために使用され、フィードバック時間の関連情報の第2の集合は、フィードバック時間の少なくとも1つの関連情報を含み、フィードバック時間の各関連情報は、第3のデータブロックのフィードバック時間に含まれる時間単位の数量を示すために使用され、第3のデータブロックのフィードバック時間は、第3のデータブロックに対する応答メッセージの送信時間と第3のデータブロックの受信時間との間の時間差を含む、送信することと、第4の指示情報を第2の端末に送信することであって、第4の指示情報は、第3のデータブロックのフィードバック時間の第2の関連情報を示すために使用され、フィードバック時間の第2の関連情報は、フィードバック時間の関連情報の第2の集合に属する、送信することと、第3のデータブロックに対する、第3の指示情報および第4の指示情報に基づいて第2の端末によって送信された応答メッセージを受信することと、をさらに含む。
【００６５】
任意選択で、フィードバック時間の関連情報の第1の集合は、フィードバック時間の関連情報の第2の集合とは異なる。具体的には、フィードバック時間の関連情報の第1の集合のサイズは、フィードバック時間の関連情報の第2の集合のサイズとは異なる。この場合、第2の指示情報の中で使用されるビット数は、第4の指示情報の中で使用されるビット数とは異なる。
【００６６】
任意選択で、フィードバック時間の関連情報の第1の集合のサイズは、フィードバック時間の関連情報の第2の集合のサイズと同じであり、フィードバック時間の関連情報の第1の集合の中の少なくとも1つの要素は、フィードバック時間の関連情報の第2の集合の中の少なくとも1つの要素とは異なる。この場合、第2の指示情報の中で使用されるビット数は、第4の指示情報の中で使用されるビット数と同じである。
【００６７】
第12の態様によれば、本出願は、通信方法を提供する。通信方法は、ネットワークデバイスによって送信された第1の指示情報を受信することであって、第1の指示情報は、フィードバック時間の関連情報の第1の集合を示すために使用され、フィードバック時間の関連情報の第1の集合は、フィードバック時間の少なくとも1つの関連情報を含み、フィードバック時間の関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む、受信することと、ネットワークデバイスによって送信された第2の指示情報を受信することであって、第2の指示情報は、第1のデータブロックのフィードバック時間の第1の関連情報を示すために使用され、フィードバック時間の第1の関連情報は、フィードバック時間の関連情報の第1の集合に属する、受信することと、第2の指示情報に基づいて、第1のデータブロックに対する応答メッセージをネットワークデバイスに送信することと、を含む。
【００６８】
通信方法によれば、端末は、第1の指示情報および第2の指示情報に基づいて、応答メッセージを送信するための時間を決定することができ、その結果、通信信頼性が向上されうる。
【００６９】
任意選択で、前述の応答メッセージは、HARQ応答メッセージであってもよい。
【００７０】
任意選択で、第2の指示情報に含まれるビット数は、フィードバック時間の関連情報の第1の集合のサイズに基づいて決定されてもよい。
【００７１】
第12の態様を参照して、第1の可能な実装形態において、データブロックのフィードバック時間に含まれる時間単位は、データブロックの伝送時間の長さに基づいて決定される。データブロックのフィードバック時間に含まれる時間単位は、データブロックの伝送時間の長さに基づいて決定されるので、伝送時間の長さが異なるデータブロックのフィードバック時間は、フィードバック時間の同じ関連情報を使用することによって示されてもよく、その結果、伝送時間の長さが異なるデータブロックのフィードバック時間は、フィードバック時間の関連情報の同じ集合を使用することによって決定されてもよい。このことは、フィードバック時間の関連情報の伝送されるべき集合の数量を低減させることができ、第1の指示情報の伝送オーバヘッドおよび複雑性を低減させるのに役立つ。他の観点から、このことは、フィードバック時間の関連情報の総数を低減させることができ、このことにより、第2の指示情報の伝送オーバヘッドを低減させるのに役立つ。結論として、通信効率が向上されうる。
【００７２】
任意選択で、第1のデータブロックの前にある第2のデータブロックの伝送時間の長さが第1のデータブロックの伝送時間の長さより長いとき、フィードバック時間の第1の関連情報に対応するフィードバック時間に含まれる時間単位の長さは、第2のデータブロックの伝送時間の長さであってもよい。
【００７３】
あるいは、第1のデータブロックの前にある第2のデータブロックの伝送時間の長さが第1のデータブロックの伝送時間の長さ以下であるとき、フィードバック時間の第1の関連情報に対応するフィードバック時間に含まれる時間単位の長さは、第1のデータブロックの伝送時間の長さであってもよい。
【００７４】
本明細書において、第2のデータブロックが第1のデータブロックの前にあるということは、第2のデータブロックの伝送時間が第1のデータブロックの伝送時間の前にあるということを意味してもよく、より具体的には、第2のデータブロックの伝送時間が第1のデータブロックの伝送時間の前にあり、第2のデータブロックの伝送時間と第1のデータブロックの伝送時間との間の間隔が特定の時間範囲より小さいか、それ以下であるということを意味してもよく、その結果、第1のデータブロックに対する応答メッセージは、第1のデータブロックの伝送時間の長さを時間単位として使用することによって送信されることができない、ということが理解されよう。
【００７５】
あるいは、第1のデータブロックの伝送時間と第2のデータブロックの伝送時間との間の間隔が、特定の時間範囲より大きいか、それ以上であるとき、フィードバック時間の第1の関連情報に対応するフィードバック時間に含まれる時間単位の長さは、第1のデータブロックの伝送時間の長さであってもよい。
【００７６】
この場合、第1のデータブロックに対する応答メッセージおよび第2のデータブロックの応答メッセージは、互いに影響を及ぼさないということが理解されよう。
【００７７】
第12の態様に関して、第2の可能な実装形態において、データブロックのフィードバック時間に含まれる時間単位は、予め設定される。
【００７８】
具体的には、データブロックのフィードバック時間に含まれる時間単位は、システムにおいて予め設定された固定時間単位、またはプロトコルにおいて予め定義された固定時間単位であってもよい。このことは、ネットワークデバイスと端末の間の通信の複雑性をさらに低減させうる。
【００７９】
第12の態様を参照して、第3の可能な実装形態において、フィードバック時間の関連情報に対応するフィードバック時間に含まれる時間単位は、データブロックに対応するアップリンク制御チャネルによって占有された時間単位である。このことは、通信柔軟性を向上させうる。
【００８０】
第12の態様を参照して、第4の可能な実装形態において、フィードバック時間の関連情報の第1の集合は、フィードバック時間の関連情報の第2の集合とは異なり、フィードバック時間の関連情報の第2の集合は、第2の端末のフィードバック時間の関連情報の集合である。
【００８１】
第4の可能な実装形態を参照して、第5の可能な実装形態において、フィードバック時間の関連情報の第1の集合のサイズは、フィードバック時間の関連情報の第2の集合のサイズとは異なり、第2の指示情報の中で使用されるビット数は、第4の指示情報の中で使用されるビット数とは異なり、第4の指示情報は、フィードバック時間の関連情報の第2の集合の中の第2の端末のフィードバック時間の第2の関連情報を示す。
【００８２】
第4の可能な実装形態を参照して、第6の可能な実装形態において、フィードバック時間の関連情報の第1の集合のサイズは、フィードバック時間の関連情報の第2の集合のサイズと同じであり、フィードバック時間の関連情報の第1の集合の中の少なくとも1つの要素は、フィードバック時間の関連情報の第2の集合の中の少なくとも1つの要素とは異なり、第2の指示情報の中で使用されるビット数は、第4の指示情報の中で使用されるビット数と同じである。
【００８３】
第13の態様によれば、本出願は、ネットワークデバイスを提供する。ネットワークデバイスは、第11の態様または第11の態様の可能な実装形態のうちのいずれか1つで通信方法を行うように構成されたモジュールを含む。
【００８４】
第14の態様によれば、本出願は、端末を提供する。端末は、第12の態様または第12の態様の可能な実装形態のうちのいずれか1つで通信方法を行うように構成されたモジュールを含む。
【００８５】
第15の態様によれば、本出願は、ネットワークデバイスを提供する。ネットワークデバイスは、プロセッサ、送信器、および受信器を含む。プロセッサは、プログラムコードを実行するように構成される。プロセッサがプログラムコードを実行するとき、プロセッサ、送信器、および受信器は、第11の態様または第11の態様の可能な実装形態のうちのいずれか1つで通信方法を実施する。
【００８６】
任意選択で、ネットワークデバイスは、メモリをさらに含んでもよく、メモリは、プロセッサによって実行されるプログラムコードを格納するように構成される。
【００８７】
第16の態様によれば、本出願は、端末を提供する。端末は、プロセッサ、受信器、および送信器を含む。プロセッサは、プログラムコードを実行するように構成される。プロセッサがプログラムコードを実行するとき、プロセッサ、受信器、および送信器は、第12の態様または第12の態様の可能な実装形態のうちのいずれか1つで通信方法を実施する。
【００８８】
任意選択で、端末は、メモリをさらに含んでもよく、メモリは、プロセッサによって実行されるプログラムコードを格納するように構成される。
【００８９】
第17の態様によれば、本出願は、コンピュータ可読記録媒体を提供する。コンピュータ可読記録媒体は、ネットワークデバイスによって実行されるべきプログラムコードを格納する。プログラムコードは、第11の態様または第11の態様の可能な実装形態のうちのいずれか1つで通信方法を行うために使用される命令を含む。
【００９０】
第18の態様によれば、本出願は、コンピュータ可読記録媒体を提供する。コンピュータ可読記録媒体は、端末によって実行されるべきプログラムコードを格納する。プログラムコードは、第12の態様または第12の態様の可能な実装形態のうちのいずれか1つで通信方法を行うために使用される命令を含む。
【００９１】
第19の態様によれば、本出願は、命令を含むコンピュータプログラム製品を提供する。コンピュータプログラム製品がネットワークデバイス上で動くとき、ネットワークデバイスは、第11の態様または第11の態様の可能な実装形態のうちのいずれか1つで通信方法を行うことが可能とされる。
【００９２】
第20の態様によれば、本出願は、命令を含むコンピュータプログラム製品を提供する。コンピュータプログラム製品が端末上で動くとき、端末は、第12の態様または第12の態様の可能な実装形態のうちのいずれか1つで通信方法を行うことが可能とされる。
【図面の簡単な説明】
【００９３】
【図１】本出願の実施形態による通信方法が適用されうる通信システムの概略アーキテクチャ図である。
【図２】本出願の実施形態による通信方法の応用シナリオの概略図である。
【図３】本出願の実施形態による通信方法の概略流れ図である。
【図４】本出願の他の実施形態による通信方法の概略流れ図である。
【図５】本出願の実施形態による通信方法の概略的な対話の流れ図である。
【図６】本出願の実施形態によるネットワークデバイスの概略構造図である。
【図７】本出願の実施形態による端末の概略構造図である。
【図８】本出願の他の実施形態によるネットワークデバイスの概略構造図である。
【図９】本出願の他の実施形態による端末の概略構造図である。
【発明を実施するための形態】
【００９４】
理解を容易にするために、本出願の実施形態における通信方法を実施することができる通信システムの概略アーキテクチャ図が、最初に全体的に説明される。本出願の実施形態は、図1に示されるシステムアーキテクチャに限定されないことが理解されよう。さらに、図1における装置はハードウェアであってもよく、または機能ソフトウェアまたはこれらの組合せであってもよい。
【００９５】
図1に示される通信システムのインスタンスは、5G通信システムなどのNR通信システムである。図1に示される通信システムは、ネットワークデバイス110および端末120を含みうる。ネットワークデバイス110および端末120は、互いに通信することができる。
【００９６】
ネットワークデバイス110の例は基地局である。基地局の具体的なタイプは、本出願における実施形態に限定されないということが理解されよう。異なる無線アクセス技術を使用するシステムにおいて、基地局の機能を有するデバイスの名前は異なりうる。説明を容易にするために、本出願の全ての実施形態において、例えば、将来のネットワークにおける基地局デバイスおよびピコ(pico)基地局デバイスなどの、端末にワイヤレス通信機能を提供するための装置は、基地局として総称される。
【００９７】
端末120は、ユーザ機器(user equipment、UE)でありうる。UEは、無線アクセスネットワーク(radio access network、RAN)上で1つまたは複数のコアネットワーク(core network、CN)と通信しうる。UEは、アクセス端末、端末デバイス、加入者ユニット、加入者局、移動局、モバイルコンソール、リモート局、リモート端末、モバイルデバイス、ユーザ端末、無線ネットワークデバイス、ユーザエージェント、またはユーザ装置と呼ばれてもよい。UEは、セルラー電話、コードレス電話、セッション開始プロトコル(session initiation protocol、SIP)電話、ワイヤレスローカルループ(wireless local loop、WLL)局、パーソナルデジタルアシスタント(personal digital assistant、PDA)、ワイヤレス通信機能を有するハンドヘルドデバイス、ワイヤレスモデムに接続されたコンピューティングデバイスもしくは他のデバイス、車載デバイス、ウェアラブルデバイス、モノのインターネットまたは車両のインターネットにおける端末デバイス、将来のネットワークにおける端末デバイスのいずれかの形式、または同様のものでありうる。
【００９８】
図2は、本出願の実施形態による応用シナリオの概略図である。図2に示される応用シナリオは例にすぎず、本出願の本実施形態における通信方法、ネットワークデバイス、および端末に対する限定とみなされるべきではないということが理解されよう。
【００９９】
図2に示されるように、ネットワークデバイス110は、データブロックを端末120に送信する。データブロックを受信した後、端末120は、データブロックをデコードする。データブロックの例は、TB、コードブロック(code block、CB)、またはコードブロックグループ(code block group、CBG)でありうる。
【０１００】
端末120によるデコードが成功した場合、これは、端末120がデータブロックをうまく受信したことを示しうる。端末120によるデコードが失敗した場合、これは、端末120がデータブロックの受信に失敗したことを示しうる。
【０１０１】
端末120は、ネットワークデバイス110に応答メッセージを送信するはずである。応答メッセージは、データブロックの受信ステータスが成功であるか、失敗であるかをネットワークデバイス110に通知するために、ACKおよび/またはNACKを搬送する。
【０１０２】
応答メッセージを受信した後、ネットワークデバイス110は、応答メッセージの中で搬送されたACKおよび/またはNACK情報に基づいて、データブロックが再伝送される必要があるかどうかを判断することができる。ネットワークデバイス110が、応答メッセージに基づいて、端末がデータブロックの受信に失敗したと判断する場合、ネットワークデバイス110は、通信信頼性を向上させるために、端末120にデータブロックを再伝送してもよい。
【０１０３】
端末120がデータブロックに対する応答メッセージを送信する時に、受信したデータブロックに対して端末120が処理を完了していること、例えばデコードを完了していること、を保証するために、端末120がデータブロックに対する応答メッセージを送信した時刻と端末120がデータブロックを受信した時刻との間に遅延が存在する必要がある。以下の説明を容易にするために、遅延は、データブロックのフィードバック時間と呼ばれる。端末120がデータブロックを受信した時刻は、データブロックの受信終了時刻とも呼ばれうる。
【０１０４】
端末120は、データブロックの受信終了時刻を直接的に決定することができるので、端末120は、データブロックの受信終了時刻およびデータブロックのフィードバック時間に基づいて、データブロックに対する応答メッセージのフィードバック時間を決定して、データブロックの受信ステータスをさらにフィードバックするために、データブロックのフィードバック時間を知る必要がある。
【０１０５】
本出願は、HARQ応答メッセージを送信してデータブロックの受信ステータスをフィードバックするために、端末120がデータブロックのフィードバック時間をどのように知るかについての問題に対する新しい通信方法を提案する。
【０１０６】
図3は、本出願の実施形態による通信方法の概略流れ図である。図3は、通信方法のステップまたは動作を示しているが、これらのステップまたは動作は例にすぎないということが理解されよう。本出願の本実施形態において、図3における他の動作または動作の変形形態が、さらに行われうる。本出願の本実施形態における通信方法は、ネットワークデバイス110などのネットワークデバイスによって行われうる。
【０１０７】
S310。第1の指示情報を端末に送信し、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０１０８】
具体的には、ネットワークデバイスは、第1の指示情報を端末に送信する。第1の指示情報は、フィードバック時間の関連情報のN個の集合を含む。次に、端末は、第1の指示情報に基づいて、フィードバック時間の関連情報のN個の集合を決定する。フィードバック時間の各関連情報は、具体的には、データブロックのフィードバック時間に含まれる時間単位の数量といった値でありうる。時間単位は、1つの時間ドメインのシンボルから複数のスロット(slot)まで異なり得る。
【０１０９】
応答メッセージは、HARQ応答メッセージでありうる。
【０１１０】
一般的なケースにおいて、端末がネットワークデバイスと同期した後、ネットワークデバイスは、フィードバック時間の関連情報のN個の集合の設定情報を端末に送信してもよく、例えば、より高いレイヤのシグナリングを使用することによってフィードバック時間の関連情報のN個の集合の設定情報を端末に送信する。異なる端末のフィードバック時間の関連情報の集合の数量は異なっていてよく、言い換えると、Nは異なってもよい。さらに、異なる端末に対して設定されたフィードバック時間の関連情報の集合は異なっていてもよく、具体的には、集合の中の要素は完全に同じというわけではない。さらに、フィードバック時間の関連情報の異なる集合の中のフィードバック時間の関連情報の数量は異なっていてよく、具体的には、フィードバック時間の関連情報の集合が4つの要素を含み、フィードバック時間の関連情報の他の集合が8つの要素を含む、などである。例えば、フィードバック時間の関連情報の2つの集合は、それぞれ{1, 2, 4, 8}および{2, 4, 8, 16}であり、第1の端末に対して設定され、フィードバック時間の関連情報の3つの集合は、それぞれ{1, 2, 6, 8}、{2, 3, 4, 6}、および{3, 5, 7, 9, 11}であり、他の端末に対して設定される。
【０１１１】
S320。第2の指示情報を端末に送信し、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである。
【０１１２】
具体的には、端末に対するフィードバック時間の関連情報のN個の集合を構成した後、ネットワークデバイスは、第1のデータブロックのフィードバック時間の第1の関連情報を示すために第2の指示情報を端末に送信し、データブロックを送信してもよい(その後の説明を容易にするために、データブロックは第1のデータブロックと呼ばれる)。
【０１１３】
第1のデータブロックのフィードバック時間の第1の関連情報は、応答メッセージの送信時間と第1のデータブロックの受信時間との間の時間差に含まれる時間単位の数量を示すために使用される。
【０１１４】
第1のデータブロックに対する応答メッセージの送信時間と第1のデータブロックの受信時間との間の時間差は、第1のデータブロックのフィードバック時間と呼ばれてもよい。具体的には、フィードバック時間の第1の関連情報は、第1のデータブロックのフィードバック時間に含まれる時間単位の数量を示すために使用される。
【０１１５】
ネットワークデバイスは、ダウンリンク制御情報を使用することによって、第2の指示情報を端末に送信してもよい。第2の指示情報は、ダウンリンク制御情報の中で搬送されうる。
【０１１６】
任意選択で、第2の指示情報は、具体的には、フィードバック時間の関連情報のN個の集合の中のフィードバック時間の関連情報の第1の集合におけるフィードバック時間の第1の関連情報の位置またはインデックスを示すために使用されてもよい。
【０１１７】
S330。第1のデータブロックに対する、第1の指示情報および第2の指示情報に基づいて端末によって送信された応答メッセージを受信する。
【０１１８】
第2の指示情報を受信した後、端末は、フィードバック時間の第1の関連情報に基づいて、第1のデータブロックのフィードバック時間に含まれる時間単位の数量を決定しうる。
【０１１９】
任意選択で、フィードバック時間の関連情報の第1の集合の中のフィードバック時間の第1の関連情報の位置を示すために第2の指示情報が使用される場合、端末は、第2の指示情報に基づいて、フィードバック時間の関連情報の第1の集合の中の対応する位置における、第1のデータブロックのフィードバック時間の第1の関連情報を取得し、フィードバック時間の第1の関連情報に基づいて、第1のデータブロックのフィードバック時間に含まれる時間単位の数量を決定しうる。
【０１２０】
次に、端末は、第1のデータブロックの受信終了時刻を開始点として使用することによって、第1のデータブロックのフィードバック時間の後、具体的には、時間単位の対応する数量の後、第1のデータブロックに対する応答メッセージをネットワークデバイスに送信することができる。
【０１２１】
それに対応して、ネットワークデバイスは、第1のデータブロックに対する、指示情報に基づいて端末によって送信された応答メッセージを受信し、第1のデータブロックに対する応答メッセージに基づいてその後の処理を行う。このことは、通信信頼性を向上させることができる。
【０１２２】
フィードバック時間の関連情報の第1の集合は、フィードバック時間の関連情報の複数の集合のうちの1つであるということに留意されたい。具体的には、フィードバック時間の全ての関連情報は、フィードバック時間の関連情報の複数の集合にグループ化されうる。フィードバック時間の全ての関連情報は、フィードバック時間の関連情報の1つの総合的な集合にグループ化される方法と比較して、フィードバック時間の関連情報の第1の集合は、フィードバック時間のより少ない数量の関連情報を含むことができる。例えば、全体でフィードバック時間の16個の関連情報がある。指示が直接行われる場合、第2の指示情報は、指示のために4ビットを必要とする。しかし、フィードバック時間の16個の関連情報は、フィードバック時間の関連情報の4つの集合にグループ化される場合、第2の指示情報は、2ビットしか必要としない。このようにして、フィードバック時間の関連情報の第1の集合の中のフィードバック時間の第1の関連情報の位置またはインデックスを第2の指示情報が示すとき、より少ないビット・オーバヘッドが使用されうる。このことは、第2の指示情報の通信オーバヘッドを低減させることができ、このことにより、通信効率を向上させる。
【０１２３】
本出願の本実施形態において、フィードバック時間の関連情報のN個の集合は、ネットワークデバイスにおいて予め設定されてもよい。フィードバック時間の関連情報の異なる集合は、異なるデータブロック伝送シナリオに対応しうる。
【０１２４】
例えば、フィードバック時間の関連情報の2つの集合は、以下の2つのデータブロック伝送シナリオ、すなわち、デフォルトのシナリオと呼ばれうる第1のデータブロック伝送シナリオであって、例えば、現在のデータブロック(すなわち、第1のデータブロック)のフィードバック時間に対する他のデータブロックのインパクトが考えられないシナリオ、すなわち、第1のデータブロックの前にあるデータブロックが、第1のデータブロックに対する応答に影響を及ぼさないシナリオと、第2のデータブロック伝送シナリオ、すなわち、第1のデータブロックの伝送時間の長さが第1のデータブロックの前に伝送される(第2のデータブロックと呼ばれうる)データブロックの伝送時間の長さより短く、第1のデータブロックの伝送時間と第2のデータブロックの伝送時間との間の間隔が、特定の時間範囲より小さいか、それ以下であり、それにより、デフォルトのシナリオにおける第1のデータブロックのフィードバック時間が、第2のデータブロックのフィードバック時間の前である、シナリオとのために、ネットワークデバイスにおいて設定されうる。
【０１２５】
2つのデータブロック伝送シナリオは、フィードバック時間の関連情報の2つの集合と1対1の対応関係である。フィードバック時間の関連情報の各集合は、フィードバック時間の関連情報の集合に対応するデータブロック伝送シナリオにおいて伝送時間の長さが異なる第1のデータブロックのフィードバック時間に含まれる時間単位の数量を含むことができる。
【０１２６】
第2の指示情報を送信するとき、ネットワークデバイスは、フィードバック時間の第1の関連情報を最初に決定することができる。具体的には、ネットワークデバイスは、第1のデータブロックのデータブロック伝送シナリオに基づいて、フィードバック時間の関連情報の2つの集合の中のフィードバック時間の関連情報の1つの集合、すなわち、フィードバック時間の関連情報の第1の集合を最初に決定し、次に、フィードバック時間の関連情報の第1の集合の中のフィードバック時間の1つの関連情報、すなわち、フィードバック時間の第1の関連情報を決定することができる。このようにして、フィードバック時間の関連情報の第1の集合の中のフィードバック時間の第1の関連情報の位置またはインデックスが送信されうる。
【０１２７】
前述の2つのデータブロック伝送シナリオは例にすぎないということが理解されよう。フィードバック時間の関連情報の異なる集合に対応する特定のシナリオは、本出願の本実施形態において限定されない。本出願の本実施形態は、他のデータブロック伝送シナリオにも適用可能である。
【０１２８】
さらに、第1の指示情報を使用することによって、端末に対するフィードバック時間の関連情報のN個の集合を設定するとき、ネットワークデバイスは、フィードバック時間の関連情報のN個の集合とデータブロック伝送シナリオとの間の対応関係をさらに設定することができる。
【０１２９】
このようにして、端末は、第1のデータブロックのデータブロック伝送シナリオに基づいて、フィードバック時間の関連情報のN個の集合の中の対応するフィードバック時間の関連情報の第1の集合を最初に決定すること、および受信した第2の指示情報に基づいて、フィードバック時間の関連情報の第1の集合の中にあり、第2の指示情報によって示される位置にある、フィードバック時間の関連情報をフィードバック時間の第1の関連情報と決定することができる。最終的に、端末は、フィードバック時間の第1の関連情報によって示される値に、フィードバック時間の第1の関連情報に対応する時間単位を乗じて、第1のデータブロックのフィードバック時間を取得することができる。
【０１３０】
たしかに、あるいは、ネットワークデバイスは、フィードバック時間の関連情報のN個の集合とデータブロック伝送シナリオとの間の対応関係を端末に対して設定する必要がないことがある。この場合、ネットワークデバイスは、第3の指示情報を端末に送信してもよい。第3の指示情報は、第1のデータブロックのフィードバック時間の第1の関連情報を含むフィードバック時間の関連情報のN個の集合の中のフィードバック時間の関連情報の特定の集合を示すため、具体的には、フィードバック時間の関連情報のN個の集合の中のフィードバック時間の関連情報の第1の集合を示すために使用される。
【０１３１】
フィードバック時間の関連情報のN個の集合とデータブロック伝送シナリオとの間の対応関係をネットワークデバイスが設定する方法は、フィードバック時間の関連情報のN個の集合とデータブロック伝送シナリオとの間の対応関係をネットワークデバイスが設定しない方法と比較され、第1の方法において、ネットワークデバイスは、第2の指示情報を後で送信するときに第3の指示情報をもはや送信する必要がなく、その結果、第3の指示情報のオーバヘッドが回避されることができ、通信効率がさらに向上されることができ、第2の方法において、フィードバック時間の関連情報のN個の集合とデータブロック伝送シナリオとの間の対応関係は端末に格納されて維持される必要がなく、その結果、端末の実行複雑性が低減されることができる。
【０１３２】
本出願の本実施形態において、任意選択で、フィードバック時間の関連情報のN個の集合において、フィードバック時間の関連情報の異なる集合の中のフィードバック時間の関連情報によって示されたフィードバック時間に含まれる時間単位は、同じであってもよい。このことは、ネットワークデバイスおよび端末の複雑性をさらに低減させうる。
【０１３３】
言い換えると、フィードバック時間の第1の関連情報は、第1のデータブロックのフィードバック時間に含まれる第1の時間単位の数量を示すために使用される。フィードバック時間の関連情報のN個の集合において、フィードバック時間の関連情報の第2の集合の中のフィードバック時間の第2の関連情報は、第2のデータブロックのフィードバック時間に含まれる第2の時間単位の数量を示すために使用され、第1の時間単位と第2の時間単位は同じ時間単位である。
【０１３４】
フィードバック時間の関連情報の異なる集合の中のフィードバック時間の関連情報によって示されるフィードバック時間に含まれる時間単位が同じであるとき、または、言い換えると、第1の時間単位と第2の時間単位が同じ時間単位であるとき、任意選択で、同じ時間単位は、システムにおいて予め設定された時間単位であってもよい。例えば、同じ時間単位は、通信規格もしくはプロトコルの中で指定された時間単位、またはより高いレイヤのシグナリングを使用することによって予め設定された時間単位であってもよい。本明細書における予め設定された時間単位は、1つもしくは複数のシンボル、1つもしくは複数のスロット(slot)、1つもしくは複数のサブフレーム、または同様のものであってもよい。このことは、ネットワークデバイスと端末の間の通信の複雑性を低減させることができる。
【０１３５】
フィードバック時間の関連情報の異なる集合の中のフィードバック時間の関連情報によって示されるフィードバック時間に含まれる時間単位が同じであるとき、または、言い換えると、第1の時間単位と第2の時間単位が同じ時間単位であるとき、任意選択で、第1の時間単位の時間の長さは、第1のデータブロックの伝送時間の長さに等しくともよい。
【０１３６】
具体的には、フィードバック時間の第1の関連情報を決定した後、端末は、例えば、フィードバック時間の第1の関連情報に対応する値に、第1のデータブロックの伝送時間の長さを乗じることによって、第1のデータブロックの伝送時間の長さに基づいて第1のデータブロックのフィードバック時間を決定する。第1のデータブロックの伝送時間の長さは、1つの時間ドメインのシンボルから複数のスロットまで異なってもよく、第1のデータブロックの伝送時間は、時間ドメインの中で不連続であってもよい。この場合、本明細書における伝送時間の長さは、伝送のために実際に使用される時間単位の全体の長さである。例えば、時間ドメインの中の3つの不連続の時間ドメインのシンボルを第1のデータブロックが占有する場合、第1のデータブロックの対応する伝送時間の長さは、3つの時間ドメインのシンボルの全体の時間の長さである。
【０１３７】
任意選択で、フィードバック時間の関連情報のN個の集合において、フィードバック時間の関連情報の異なる集合の中のフィードバック時間の関連情報によって示されるフィードバック時間に含まれる時間単位は、異なってもよい。このことは、フィードバック時間の指示の柔軟性を向上させることができる。
【０１３８】
言い換えると、フィードバック時間の関連情報のN個の集合において、フィードバック時間の関連情報の第3の集合の中のフィードバック時間の第3の関連情報は、第3のデータブロックのフィードバック時間に含まれる第3の時間単位の数量を示すために使用され、第1の時間単位と第3の時間単位は異なる時間単位である。例えば、シナリオ1において、第1のデータブロックのフィードバック時間の第1の関連情報に対応する時間単位の長さは、第1のデータブロックの伝送時間単位の長さに等しい。シナリオ2において、第1のデータブロックのフィードバック時間の第1の関連情報に対応する時間単位の長さは、第2のトランスポートブロックの伝送時間単位の長さに等しい。
【０１３９】
任意選択で、フィードバック時間の関連情報のN個の集合の中のフィードバック時間の関連情報の集合の中のフィードバック時間の関連情報に対応する時間単位は、第1のデータブロックに対応するアップリンク制御チャネルによって占有された時間単位であってもよく、本明細書におけるアップリンク制御チャネルは、第1のデータブロックに対する応答メッセージを伝送するために使用される。例えば、第1のデータブロックに対応するアップリンク制御チャネルが、2つの時間ドメインのシンボルを占有する場合、フィードバック時間の第1の関連情報に対応する時間単位は、2つの時間ドメインのシンボルである。このことは、データブロックのフィードバック時間の指示の柔軟性を向上させることができる。
【０１４０】
図4は、本出願の他の実施形態による通信方法の概略流れ図である。図4は、通信方法のステップまたは動作を示すが、これらのステップまたは動作は例にすぎないということが理解されよう。本出願の本実施形態において、図4における他の動作または動作の変形形態がさらに行われうる。本出願の本実施形態における通信方法は、端末120などの端末によって行われうる。
【０１４１】
S410。ネットワークデバイスによって送信された第1の指示情報を受信し、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０１４２】
データブロックに対する応答メッセージは、データブロックに対するHARQ応答メッセージであってもよい。
【０１４３】
S420。ネットワークデバイスによって送信された第2の指示情報を受信し、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである。
【０１４４】
S430。第1の指示情報および第2の指示情報に基づいて、第1のデータブロックに対する応答メッセージをネットワークデバイスに送信する。
【０１４５】
通信方法において、端末は、ネットワークデバイスから第2の指示情報を受信し、第2の指示情報に基づいて、第1のデータブロックのフィードバック時間の第1の関連情報を決定する。このようにして、第1のデータブロックに対する応答メッセージは、フィードバック時間の第1の関連情報に対応するフィードバック時間において送信されることができ、このことにより、通信信頼性を向上させる。
【０１４６】
さらに、第2の指示情報は、フィードバック時間の関連情報のN個の集合のうちの1つにおけるフィードバック時間の第1の関連情報の位置を示す。したがって、第2の指示情報において、より少ないビットが使用されうる。このことは、第2の指示情報のシグナリングオーバヘッドを低減させることができ、このことにより、通信効率を向上させる。
【０１４７】
任意選択で、端末は、ネットワークデバイスによって送信された第3の指示情報をさらに受信してもよい。第3の指示情報は、フィードバック時間の関連情報のN個の集合の中のフィードバック時間の関連情報の第1の集合を示すために使用される。
【０１４８】
図4に示される通信方法は、図3に示される通信方法における端末によって行われてもよい。したがって、図3に示される通信方法における端末の技術的特徴は、図4に示される通信方法にも適用可能である。簡潔さのために、詳細は本明細書において説明されない。
【０１４９】
図5は、本出願の他の実施形態による通信方法の概略的な対話の流れ図である。図5は、通信方法のステップまたは動作を示しているが、これらのステップまたは動作は例にすぎないということが理解されよう。本出願の本実施形態において、図5における他の動作または動作の変形形態がさらに行われうる。
【０１５０】
S510。ネットワークデバイスは、第1の指示情報を端末に送信し、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０１５１】
それに対応して、端末は、第1の指示情報を受信する。
【０１５２】
S520。ネットワークデバイスは、第2の指示情報を端末に送信し、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報の複数の集合のうちの1つである。
【０１５３】
それに対応して、端末は、第2の指示情報を受信する。
【０１５４】
S530。端末は、第1の指示情報および第2の指示情報に基づいて、第1のデータブロックに対する応答メッセージを送信する。
【０１５５】
それに対応して、ネットワークデバイスは、第1のデータブロックに対する応答メッセージを受信する。
【０１５６】
通信方法において、ネットワークデバイスは、フィードバック時間の関連情報のN個の集合を示すために、第1の指示情報を端末に送信し、フィードバック時間の関連情報の第1の集合の中の第1のデータブロックのフィードバック時間の第1の関連情報を示すために、第2の指示情報を送信する。このようにして、端末は、第1の指示情報および第2の指示情報に基づいて、フィードバック時間の第1の関連情報を決定し、フィードバック時間の第1の関連情報に基づいて第1のデータブロックに対する応答メッセージを送信することができ、その結果、ネットワークデバイスは、応答メッセージに基づいて、再伝送が行われる必要があるかどうかを決定し、このことにより、通信信頼性を向上させる。
【０１５７】
ネットワークデバイスは、図3に示される通信方法におけるネットワークデバイスであってもよい。端末は、図3に示される通信方法における端末であってもよい。具体的には、図3に示される通信方法におけるネットワークデバイスおよび端末の技術的特徴は、図5に示される通信方法におけるネットワークデバイスおよび端末にも適用可能である。簡潔さのために、詳細は本明細書において説明されない。
【０１５８】
以下は、いくつかのより具体的な実施形態を使用することによって、本出願における通信方法を詳細にさらに説明する。
【０１５９】
第1の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０１６０】
第1のデータブロック伝送シナリオに対応するフィードバック時間の関連情報の集合において、フィードバック時間の各関連情報に対応するフィードバック時間に含まれる時間単位の長さは、第2の指示情報に対応するデータブロックの伝送時間の長さに等しい。
【０１６１】
第2のデータブロック伝送シナリオに対応するフィードバック時間の関連情報の集合において、フィードバック時間の各関連情報に対応するフィードバック時間に含まれる時間単位は、第2の指示情報に対応するデータブロックの前にあるデータブロックの伝送時間の長さと同じである。
【０１６２】
ネットワークデバイスは、第1の指示情報を使用することによって、フィードバック時間の関連情報の2つの集合、およびフィードバック時間の関連情報の2つの集合と2つのデータブロック伝送シナリオとの間の対応関係を端末に送信する。例えば、端末がネットワークデバイスと同期した後、ネットワークデバイスは、より高いレイヤのシグナリングを使用することによって、フィードバック時間の関連情報の2つの集合、および前述の対応関係を端末に送信する。
【０１６３】
フィードバック時間の関連情報の2つの集合、および前述の対応関係を受信した後、端末は、フィードバック時間の関連情報の2つの集合、および前述の対応関係を格納しうる。
【０１６４】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、次に、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０１６５】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定することができる。
【０１６６】
ネットワークデバイスは、ダウンリンク制御情報を端末に送信してもよい。ダウンリンク制御情報は、第2の指示情報を搬送する。
【０１６７】
端末は、第1のデータブロックおよび第2の指示情報を受信し、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の第1の集合をフィードバック時間の関連情報のN個の集合から決定し、次に、第2の指示情報に基づいて、フィードバック時間の関連情報の第1の集合からフィードバック時間の第1の関連情報を取得する。
【０１６８】
フィードバック時間の関連情報の第1の集合が、第1のデータブロック伝送シナリオに対応する場合、端末は、フィードバック時間の第1の関連情報に対応する値に、第1のデータブロックの伝送時間を乗じることによって、第1のデータブロックのフィードバック時間を取得しうる。
【０１６９】
第1のデータブロックのフィードバック時間を端末が取得した後、第1のケースにおいて、(より高いレイヤのシグナリング指示情報もしくは動的なシグナリング指示情報であってもよく、また第1の指示情報もしくは第2の指示情報であってもよい)他の指示情報に基づいて、複数の他のデータブロックに対する応答メッセージとともに第1のデータブロックに対する応答メッセージがフィードバックされると端末が決定する場合、端末は、複数のデータブロックの受信終了時刻を開始点として使用することによって、フィードバック時間の中で、第1のデータブロックに対する応答メッセージをネットワークデバイスに送信すること、または第2のケースにおいて、他の指示情報に基づいて、第1のデータブロックがデータブロックの冗長バージョン(RV)であると端末が決定する場合、端末は、正しくデコードされたRVの受信終了時刻を開始点として使用することによって、フィードバック時間の中で、第1のデータブロックに対する応答メッセージをネットワークデバイスに送信すること、または、そうでなければ、第1のデータブロックの受信終了時刻を開始点として使用することによって、フィードバック時間の中で、第1のデータブロックに対する応答メッセージをネットワークデバイスに送信すること、を行う。
【０１７０】
フィードバック時間の関連情報の第1の集合が、第2のデータブロック伝送シナリオに対応する場合、端末は、フィードバック時間の第1の関連情報に対応する値に、第1のデータブロックの前にある第2のデータブロックの伝送時間の長さを乗じることによって、第1のデータブロックのフィードバック時間を取得しうる。
【０１７１】
第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０１７２】
それに対応して、ネットワークデバイスは、第1のデータブロックに対する、端末によって送信された応答メッセージを受信する。
【０１７３】
第2の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０１７４】
フィードバック時間の関連情報の2つの集合において、フィードバック時間の各関連情報に対応するフィードバック時間に含まれる時間単位は、通信規格またはプロトコルに従ってネットワークデバイスによって設定された時間単位である。予め設定された時間単位は、1つもしくは複数のシンボル、または1つもしくは複数のスロット(slot)、または1つもしくは複数のサブフレームでありうる。
【０１７５】
ネットワークデバイスは、第1の指示情報を使用することによって、フィードバック時間の関連情報の2つの集合、およびフィードバック時間の関連情報の2つの集合と2つのデータブロック伝送シナリオとの間の対応関係を端末に送信する。例えば、端末がネットワークデバイスと同期した後、ネットワークデバイスは、より高いレイヤのシグナリングを使用することによって、フィードバック時間の関連情報の2つの集合、および前述の対応関係を端末に送信する。
【０１７６】
フィードバック時間の関連情報の2つの集合、および前述の対応関係を受信した後、端末は、フィードバック時間の関連情報の2つの集合、および前述の対応関係を格納しうる。
【０１７７】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、次に、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０１７８】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定することができる。
【０１７９】
ネットワークデバイスは、ダウンリンク制御情報を端末に送信してもよい。ダウンリンク制御情報は、第2の指示情報を搬送する。
【０１８０】
端末は、第1のデータブロックおよび第2の指示情報を受信し、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の第1の集合をフィードバック時間の関連情報のN個の集合から決定し、次に、第2の指示情報に基づいて、フィードバック時間の関連情報の第1の集合からフィードバック時間の第1の関連情報を決定して取得する。
【０１８１】
端末は、フィードバック時間の第1の関連情報に対応する値に、端末において予め設定された時間単位を乗じることによって、第1のデータブロックのフィードバック時間を取得しうる。
【０１８２】
フィードバック時間の関連情報の第1の集合が、第1のデータブロック伝送シナリオに対応する場合、第1のデータブロックのフィードバック時間を端末が取得した後、第1のケースにおいて、(より高いレイヤのシグナリング指示情報もしくは動的なシグナリング指示情報であってもよく、また第1の指示情報もしくは第2の指示情報であってもよい)他の指示情報に基づいて、複数の他のデータブロックに対する応答メッセージとともに第1のデータブロックに対する応答メッセージがフィードバックされると端末が決定する場合、端末は、複数のデータブロックの受信終了時刻を開始点として使用することによって、フィードバック時間の中で、第1のデータブロックに対する応答メッセージをネットワークデバイスに送信すること、または第2のケースにおいて、他の指示情報に基づいて、第1のデータブロックがデータブロックの冗長バージョン(RV)であると端末が決定する場合、端末は、正しくデコードされたRVの受信終了時刻を開始点として使用することによって、フィードバック時間の中で、第1のデータブロックに対する応答メッセージをネットワークデバイスに送信すること、または、そうでなければ、第1のデータブロックの受信終了時刻を開始点として使用することによって、フィードバック時間の中で、第1のデータブロックに対する応答メッセージをネットワークデバイスに送信すること、を行う。
【０１８３】
フィードバック時間の関連情報の第1の集合が、第2のデータブロック伝送シナリオに対応する場合、第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０１８４】
第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０１８５】
それに対応して、ネットワークデバイスは、第1のデータブロックに対する、端末によって送信された応答メッセージを受信する。
【０１８６】
第3の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０１８７】
フィードバック時間の関連情報の2つの集合において、フィードバック時間の各関連情報に対応するフィードバック時間に含まれる時間単位の長さは、現在のデータブロックの伝送時間の長さに等しい。
【０１８８】
ネットワークデバイスは、第1の指示情報を使用することによって、フィードバック時間の関連情報の2つの集合、およびフィードバック時間の関連情報の2つの集合と2つのデータブロック伝送シナリオとの間の対応関係を端末に送信する。例えば、端末がネットワークデバイスと同期した後、ネットワークデバイスは、ブロードキャスト手法で、フィードバック時間の関連情報の2つの集合、および前述の対応関係を端末に送信する。
【０１８９】
フィードバック時間の関連情報の2つの集合、および前述の対応関係を受信した後、端末は、フィードバック時間の関連情報の2つの集合、および前述の対応関係を格納することができる。
【０１９０】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、次に、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０１９１】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定しうる。
【０１９２】
ネットワークデバイスは、より高いレイヤのシグナリングを使用することによって、ダウンリンク制御情報を端末に送信してもよい。ダウンリンク制御情報は、第2の指示情報を搬送する。
【０１９３】
端末は、第1のデータブロックおよび第2の指示情報を受信し、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の第1の集合をフィードバック時間の関連情報のN個の集合から決定し、次に、第2の指示情報に基づいて、フィードバック時間の関連情報の第1の集合からフィードバック時間の第1の関連情報を決定して取得する。
【０１９４】
端末は、フィードバック時間の第1の関連情報に対応する値に、第1のデータブロックの伝送時間の長さを乗じることによって、第1のデータブロックのフィードバック時間を取得しうる。
【０１９５】
フィードバック時間の関連情報の第1の集合が、第1のデータブロック伝送シナリオに対応する場合、第1のデータブロックのフィードバック時間を端末が取得した後、第1のケースにおいて、(より高いレイヤのシグナリング指示情報もしくは動的なシグナリング指示情報であってもよく、また第1の指示情報もしくは第2の指示情報であってもよい)他の指示情報に基づいて、複数の他のデータブロックに対する応答メッセージとともに第1のデータブロックに対する応答メッセージがフィードバックされると端末が決定する場合、端末は、複数のデータブロックの受信終了時刻を開始点として使用することによって、フィードバック時間の中で、第1のデータブロックに対する応答メッセージをネットワークデバイスに送信すること、または第2のケースにおいて、他の指示情報に基づいて、第1のデータブロックがデータブロックの冗長バージョン(RV)であると端末が決定する場合、端末は、正しくデコードされたRVの受信終了時刻を開始点として使用することによって、フィードバック時間の中で、第1のデータブロックに対する応答メッセージをネットワークデバイスに送信すること、または、そうでなければ、第1のデータブロックの受信終了時刻を開始点として使用することによって、フィードバック時間の中で、第1のデータブロックに対する応答メッセージをネットワークデバイスに送信すること、を行う。
【０１９６】
フィードバック時間の関連情報の第1の集合が、第2のデータブロック伝送シナリオに対応する場合、第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０１９７】
それに対応して、ネットワークデバイスは、第1のデータブロックに対する、端末によって送信された応答メッセージを受信する。
【０１９８】
第4の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０１９９】
フィードバック時間の関連情報の2つの集合において、フィードバック時間の各関連情報に対応するフィードバック時間に含まれる時間単位は、アップリンク制御チャネルを通じて端末によってレポートされる時間単位である。
【０２００】
ネットワークデバイスは、第1の指示情報を使用することによって、フィードバック時間の関連情報の2つの集合、およびフィードバック時間の関連情報の2つの集合と2つのデータブロック伝送シナリオとの間の対応関係を端末に送信する。例えば、端末がネットワークデバイスと同期した後、ネットワークデバイスは、ブロードキャスト手法で、フィードバック時間の関連情報の2つの集合、および前述の対応関係を端末に送信する。
【０２０１】
フィードバック時間の関連情報の2つの集合、および前述の対応関係を受信した後、端末は、フィードバック時間の関連情報の2つの集合、および前述の対応関係を格納することができる。
【０２０２】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、次に、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０２０３】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定しうる。
【０２０４】
ネットワークデバイスは、より高いレイヤのシグナリングを使用することによって、ダウンリンク制御情報を端末に送信してもよい。ダウンリンク制御情報は、第2の指示情報を搬送する。
【０２０５】
端末は、第1のデータブロックおよび第2の指示情報を受信し、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の第1の集合をフィードバック時間の関連情報のN個の集合から決定し、次に、第2の指示情報に基づいて、フィードバック時間の関連情報の第1の集合からフィードバック時間の第1の関連情報を決定して取得する。
【０２０６】
端末は、フィードバック時間の第1の関連情報に対応する値に、第1のデータブロックに対応するアップリンク制御チャネルの時間単位を乗じることによって、第1のデータブロックのフィードバック時間を取得しうる。
【０２０７】
フィードバック時間の関連情報の第1の集合が、第1のデータブロック伝送シナリオに対応する場合、第1のデータブロックのフィードバック時間を端末が取得した後、第1のケースにおいて、(より高いレイヤのシグナリング指示情報もしくは動的なシグナリング指示情報であってもよく、また第1の指示情報もしくは第2の指示情報であってもよい)他の指示情報に基づいて、複数の他のデータブロックに対する応答メッセージとともに第1のデータブロックに対する応答メッセージがフィードバックされると端末が決定する場合、端末は、複数のデータブロックの受信終了時刻を開始点として使用することによって、フィードバック時間の中で、第1のデータブロックに対する応答メッセージをネットワークデバイスに送信すること、または第2のケースにおいて、他の指示情報に基づいて、第1のデータブロックがデータブロックの冗長バージョン(RV)であると端末が決定する場合、端末は、正しくデコードされたRVの受信終了時刻を開始点として使用することによって、フィードバック時間の中で、第1のデータブロックに対する応答メッセージをネットワークデバイスに送信すること、または、そうでなければ、第1のデータブロックの受信終了時刻を開始点として使用することによって、フィードバック時間の中で、第1のデータブロックに対する応答メッセージをネットワークデバイスに送信すること、を行う。
【０２０８】
フィードバック時間の関連情報の第1の集合が、第2のデータブロック伝送シナリオに対応する場合、第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０２０９】
それに対応して、ネットワークデバイスは、第1のデータブロックに対する、端末によって送信された応答メッセージを受信する。
【０２１０】
第5の具体的な実施形態において、2つのデータブロック伝送シナリオ、およびフィードバック時間の関連情報の2つの対応する集合は、ネットワークデバイスにおいて設定される。2つのデータブロック伝送シナリオについては、上述のデータブロック伝送シナリオを参照されたい。
【０２１１】
フィードバック時間の関連情報の2つの集合において、フィードバック時間の各関連情報に対応するフィードバック時間に含まれる時間単位は、前述の4つの具体的な実施形態において説明された様々な時間単位のうちの任意の1つでありうる。
【０２１２】
ネットワークデバイスは、第1の指示情報を使用することによって、フィードバック時間の関連情報の2つの集合を端末に送信する。例えば、端末がネットワークデバイスと同期した後、ネットワークデバイスは、ブロードキャスト手法で、フィードバック時間の関連情報の2つの集合を端末に送信する。
【０２１３】
端末は、フィードバック時間の関連情報の2つの集合を受信し、フィードバック時間の関連情報の2つの集合を格納しうる。
【０２１４】
第1のデータブロックを送信するとき、ネットワークデバイスは、第1のデータブロックのデータブロック伝送シナリオ、およびデータブロック伝送シナリオとフィードバック時間の関連情報の集合との間の対応関係に基づいて、第1のデータブロックに対応するフィードバック時間の関連情報の集合、すなわち、フィードバック時間の関連情報の第1の集合を決定すること、フィードバック時間の関連情報の第1の集合を示すために使用される第3の指示情報を送信すること、フィードバック時間の関連情報の第1の集合の中にあり、第1のデータブロックのフィードバック時間の第1の関連情報として使用されうる、フィードバック時間の特定の関連情報を決定すること、フィードバック時間の関連情報の第1の集合の中のフィードバック時間の第1の関連情報のインデックスを決定すること、ならびにインデックスを示すために使用される第2の指示情報を送信すること、ができる。
【０２１５】
ネットワークデバイスは、第1のデータブロックの伝送時間、端末のデータ処理能力(デコード能力など)、第1のデータブロックの前にある第2のデータブロックの伝送時間、第2のデータブロックのフィードバック時間、第1のデータブロックに対応するアップリンク制御チャネルの伝送時間、および同様のものという情報のタイプのうちの少なくとも1つに基づいて、フィードバック時間の関連情報の第1の集合の中にあり、第1のデータブロックのフィードバック時間の第1の関連情報として使用されうる、フィードバック時間の特定の関連情報を具体的に決定しうる。
【０２１６】
ネットワークデバイスは、ダウンリンク制御情報を端末に送信してもよい。ダウンリンク制御情報は、第2の指示情報および第3の指示情報を搬送する。
【０２１７】
端末は、第1のデータブロック、第2の指示情報、および第3の指示情報を受信し、第3の指示情報に基づいて、フィードバック時間の関連情報のN個の集合の中のフィードバック時間の関連情報の第1の集合を決定し、次に、第2の指示情報に基づいて、フィードバック時間の関連情報の第1の集合の中のフィードバック時間の第1の関連情報を決定する。
【０２１８】
端末は、フィードバック時間の第1の関連情報に対応する値に、対応する時間単位を乗じることによって、第1のデータブロックのフィードバック時間を取得してもよい。
【０２１９】
第1のデータブロックのフィードバック時間を取得した後、端末は、第1のデータブロックの受信終了時刻を開始点として使用することによって、フィードバック時間の中で、第1のデータブロックに対する応答メッセージをネットワークデバイスに送信する。
【０２２０】
それに対応して、ネットワークデバイスは、第1のデータブロックに対する、端末によって送信された応答メッセージを受信する。
【０２２１】
前述は、本出願の実施形態における通信方法を説明する。以下は、本出願の実施形態におけるネットワークデバイスおよび端末を説明する。
【０２２２】
図6は、本出願の実施形態によるネットワークデバイスの概略構造図である。図6に示されるネットワークデバイス600は例にすぎないということが理解されよう。本出願の本実施形態におけるネットワークデバイスは、他のモジュールもしくはユニットをさらに含んでもよく、または図6におけるモジュールの機能に類似の機能を有するモジュールを含んでもよく、または図6における全てのモジュールを必ずしも含む必要はない。
【０２２３】
送信モジュール610は、第1の指示情報を端末に送信するように構成され、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０２２４】
送信モジュール610は、第2の指示情報を端末に送信するようにさらに構成され、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである。
【０２２５】
受信モジュール620は、第1のデータブロックに対する、第1の指示情報および第2の指示情報に基づいて端末によって送信された応答メッセージを受信するように構成される。
【０２２６】
ネットワークデバイスは、第2の指示情報を端末に送信する。端末は、第2の指示情報に基づいて、フィードバック時間の第1の関連情報を決定し、フィードバック時間の第1の関連情報に基づいて第1のデータブロックに対する応答メッセージを送信することができ、その結果、通信信頼性が向上されうる。
【０２２７】
任意選択で、第2の指示情報は、フィードバック時間の関連情報の第1の集合の中の第1のデータブロックのフィードバック時間の第1の関連情報の位置を示すために使用されてもよい。
【０２２８】
この場合、フィードバック時間の関連情報の第1の集合は、フィードバック時間の関連情報のN個の集合のうちの1つである。言い換えると、フィードバック時間の関連情報は、フィードバック時間の関連情報のN個の集合にグループ化されうる。したがって、フィードバック時間の第1の関連情報の位置を示すとき、第2の指示情報は、フィードバック時間の関連情報の第1の集合の中のフィードバック時間の第1の関連情報の位置のみを示し、その結果、第2の指示情報において、より少ないビットが使用されうる。このことは、第2の指示情報の通信オーバヘッドを低減させることができ、このことにより、通信効率を向上させる。
【０２２９】
任意選択で、フィードバック時間の関連情報のN個の集合において、フィードバック時間の関連情報の異なる集合の中のフィードバック時間の関連情報に対応する時間単位は、同じであってもよい。
【０２３０】
任意選択で、フィードバック時間の関連情報の集合の中のフィードバック時間の関連情報に対応する時間単位は、予め設定されてもよい。
【０２３１】
任意選択で、フィードバック時間の関連情報の集合の中のフィードバック時間の関連情報に対応する時間単位の長さは、第1のデータブロックの伝送時間の長さに等しくてよい。
【０２３２】
任意選択で、フィードバック時間の関連情報のN個の集合において、フィードバック時間の関連情報の異なる集合の中のフィードバック時間の関連情報に対応する時間単位は、異なってもよい。
【０２３３】
任意選択で、フィードバック時間の関連情報の集合の中のフィードバック時間の関連情報に対応する時間単位は、第1のデータブロックに対応するアップリンク制御チャネルによって占有された時間単位であってもよい。
【０２３４】
任意選択で、送信モジュール610は、第3の指示情報を端末に送信するようにさらに構成されてもよく、ここで、第3の指示情報は、フィードバック時間の関連情報のN個の集合の中のフィードバック時間の関連情報の第1の集合を示すために使用される。
【０２３５】
図6に示されるネットワークデバイスは、図3に示される通信方法におけるネットワークデバイスによって行われるステップを行ってもよく、具体的には、図3に示される通信方法におけるネットワークデバイスの技術的特徴は、図6に示されるネットワークデバイスにも適用可能である。簡潔さのために、詳細は本明細書において説明されない。
【０２３６】
図7は、本出願の実施形態による端末の概略構造図である。図7に示される端末700は例にすぎないということが理解されよう。本出願の本実施形態における端末は、他のモジュールもしくはユニットをさらに含んでもよく、または図7におけるモジュールの機能に類似の機能を有するモジュールを含んでもよく、または図7における全てのモジュールを必ずしも含む必要はない。
【０２３７】
受信モジュール710は、ネットワークデバイスによって送信された第1の指示情報を受信するように構成され、ここで、第1の指示情報は、フィードバック時間の関連情報のN個の集合を示すために使用され、フィードバック時間の関連情報のN個の集合の各々は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含み、Nは1より大きい整数である。
【０２３８】
受信モジュール710は、ネットワークデバイスによって送信された第2の指示情報を受信するようにさらに構成され、ここで、第2の指示情報は、第1のデータブロックのフィードバック時間の第1の関連情報を示すために使用され、フィードバック時間の第1の関連情報は、フィードバック時間の関連情報の第1の集合に属し、フィードバック時間の関連情報の第1の集合は、フィードバック時間の関連情報のN個の集合のうちの1つである。
【０２３９】
送信モジュール720は、第1の指示情報および第2の指示情報に基づいて、第1のデータブロックに対する応答メッセージをネットワークデバイスに送信するように構成される。
【０２４０】
ネットワークデバイスによって送信された第2の指示情報を受信した後、端末は、第2の指示情報に基づいて、フィードバック時間の関連情報の第1の集合の中のフィードバック時間の第1の関連情報を決定し、フィードバック時間の第1の関連情報によって示される数量に基づいて、第1のデータブロックに対する応答メッセージを端末が送信すべきフィードバック時間を決定することができ、その結果、端末は、第1のデータブロックに対する応答メッセージをネットワークデバイスに送信することができる。このことは、通信信頼性を向上させることができる。
【０２４１】
任意選択で、第2の指示情報は、フィードバック時間の関連情報の第1の集合の中の第1のデータブロックのフィードバック時間の第1の関連情報の位置またはインデックスを示すために使用されてもよい。
【０２４２】
このように、フィードバック時間の関連情報の第1の集合は、フィードバック時間の関連情報のN個の集合のうちの1つであり、具体的には、フィードバック時間の関連情報の第1の集合は、フィードバック時間の関連情報のN個の集合の中にフィードバック時間のいくつかの関連情報を含みうる。したがって、フィードバック時間の関連情報の第1の集合の中のフィードバック時間の第1の関連情報の位置を第2の指示情報が示すとき、比較的少ないビット数が使用されうる。このことは、第2の指示情報の通信オーバヘッドを低減させうる。
【０２４３】
任意選択で、フィードバック時間の関連情報のN個の集合において、フィードバック時間の関連情報の異なる集合の中のフィードバック時間の関連情報に対応する時間単位は、同じであってもよい。
【０２４４】
任意選択で、フィードバック時間の関連情報の集合の中のフィードバック時間の関連情報に対応する時間単位が設定されてもよい。
【０２４５】
任意選択で、フィードバック時間の関連情報の集合の中のフィードバック時間の関連情報に対応する時間単位の長さは、第1のデータブロックの伝送時間の長さに等しくてよい。
【０２４６】
任意選択で、フィードバック時間の関連情報のN個の集合において、フィードバック時間の関連情報の異なる集合の中のフィードバック時間の関連情報に対応する時間単位は、異なってもよい。
【０２４７】
任意選択で、フィードバック時間の関連情報の集合の中のフィードバック時間の関連情報に対応する時間単位は、第1のデータブロックに対応するアップリンク制御チャネルによって占有された時間単位であってもよい。
【０２４８】
任意選択で、受信モジュール710は、ネットワークデバイスによって送信された第3の指示情報を受信するようにさらに構成され、ここで、第3の指示情報は、フィードバック時間の関連情報のN個の集合の中のフィードバック時間の関連情報の第1の集合を示すために使用される。
【０２４９】
図7に示される端末は、図4に示される通信方法における端末によって行われるステップを行ってもよく、具体的には、図4に示される通信方法における端末の技術的特徴は、図7に示される端末にも適用可能である。簡潔さのために、詳細は本明細書において説明されない。
【０２５０】
図8は、本出願の他の実施形態によるネットワークデバイスの概略構造図である。図8に示されるネットワークデバイス800は例にすぎないということが理解されよう。本出願の本実施形態におけるネットワークデバイスは、他のモジュールもしくはユニットをさらに含んでもよく、または図8におけるモジュールの機能に類似の機能を有するモジュールを含んでもよい。
【０２５１】
プロセッサ830は、プログラムコードを実行するように構成されうる。送信器810は、図6における送信モジュール610によって実施されうる動作またはステップを実施するように構成されうる。受信器820は、図6における受信モジュール620によって実施されうる動作またはステップを実施するように構成されうる。
【０２５２】
受信器820および送信器810は、送受信器に統合されてもよい。
【０２５３】
図8に示されるネットワークデバイスは、プロセッサによって実行されるプログラムコードを格納するように構成されたメモリをさらに含んでもよい。メモリは、プロセッサ830に統合されてもよい。
【０２５４】
図9は、本出願の他の実施形態による端末の概略構造図である。図9に示される端末900は例にすぎないということが理解されよう。本出願の本実施形態における端末は、他のモジュールもしくはユニットをさらに含んでもよく、または図9におけるモジュールの機能に類似の機能を有するモジュールを含んでもよい。
【０２５５】
プロセッサ930は、プログラムコードを実行するように構成されうる。受信器910は、図7における受信モジュール710によって実施されうる動作またはステップを実施するように構成されうる。送信器920は、図7における送信モジュール720によって実施されうる動作またはステップを実施するように構成されうる。
【０２５６】
受信器910および送信器920は、送受信器に統合されてもよい。
【０２５７】
図9に示される端末は、プロセッサによって実行されるプログラムコードを格納するように構成されたメモリをさらに含んでもよい。メモリは、プロセッサ930に統合されてもよい。
【０２５８】
以下は、本出願の他の実施形態における通信方法を説明する。
【０２５９】
本出願の他の実施形態における通信方法は、第1の指示情報を第1の端末に送信することであって、第1の指示情報は、フィードバック時間の関連情報の第1の集合を示すために使用され、フィードバック時間の関連情報の第1の集合は、フィードバック時間の少なくとも1つの関連情報を含み、フィードバック時間の各関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む、送信することと、第2の指示情報を第1の端末に送信することであって、第2の指示情報は、第1のデータブロックのフィードバック時間の第1の関連情報を示すために使用され、フィードバック時間の第1の関連情報は、フィードバック時間の関連情報の第1の集合に属する、送信することと、第1のデータブロックに対する、第1の指示情報および第2の指示情報に基づいて第1の端末によって送信された応答メッセージを受信することと、を含みうる。
【０２６０】
通信方法は、ネットワークデバイスによって行われうる。具体的には、ネットワークデバイスは、第1の端末に対するフィードバック時間の関連情報の集合を設定しうる。一般的なケースにおいて、第1の端末がネットワークデバイスと同期した後、ネットワークデバイスは、フィードバック時間の関連情報の集合の設定情報を第1の端末に送信してもよく、例えば、より高いレイヤのシグナリングを使用することによって、フィードバック時間の関連情報の集合の設定情報を第1の端末に送信する。フィードバック時間の各関連情報は、具体的には、データブロックのフィードバック時間に含まれる時間単位の数量といった値でありうる。時間単位は、1つの時間ドメインのシンボルから複数のスロット(slot)まで異なりうる。
【０２６１】
任意選択で、第2の指示情報は、具体的には、フィードバック時間の関連情報の第1の集合の中の第1のデータブロックのフィードバック時間の第1の関連情報の位置またはインデックスを示すために使用されうる。
【０２６２】
第2の指示情報に含まれるビット数は、フィードバック時間の関連情報の第1の集合のサイズに基づいて決定されうることが理解されよう。フィードバック時間の関連情報の第1の集合のサイズが8であること、具体的には、フィードバック時間の関連情報の第1の集合は、フィードバック時間の8つの第1の関連情報を含むことが想定される。この場合、対応する第2の指示情報は、フィードバック時間の関連情報の第1の集合の中のフィードバック時間の全ての第1の関連情報を示すために、少なくとも3ビットを含む。フィードバック時間の関連情報の第1の集合のサイズがPである場合、第2の指示情報は、フィードバック時間の全ての第1の関連情報を示すために、少なくともH個のビットを含み、ここで、Hは、log2P以上の最も小さい整数である。
【０２６３】
通信方法によれば、第1の端末は、第1の指示情報および第2の指示情報に基づいて、応答メッセージを送信するための時間を決定することができ、その結果、通信信頼性が向上されうる。
【０２６４】
本出願の本実施形態における通信方法は、第3の指示情報を第2の端末に送信することであって、第3の指示情報は、フィードバック時間の関連情報の第2の集合を示すために使用され、フィードバック時間の関連情報の第2の集合は、フィードバック時間の少なくとも1つの関連情報を含み、フィードバック時間の各関連情報は、第3のデータブロックのフィードバック時間に含まれる時間単位の数量を示すために使用され、第3のデータブロックのフィードバック時間は、第3のデータブロックに対する応答メッセージの送信時間と第3のデータブロックの受信時間との間の時間差を含む、送信することと、第4の指示情報を第2の端末に送信することであって、第4の指示情報は、第3のデータブロックのフィードバック時間の第2の関連情報を示すために使用され、フィードバック時間の第2の関連情報は、フィードバック時間の関連情報の第2の集合に属する、送信することと、第3のデータブロックに対する、第3の指示情報および第4の指示情報に基づいて第2の端末によって送信された応答メッセージを受信することと、をさらに含むことができる。
【０２６５】
フィードバック時間の関連情報の第1の集合は、フィードバック時間の関連情報の第2の集合とは異なってもよい。具体的には、フィードバック時間の関連情報の第1の集合のサイズは、フィードバック時間の関連情報の第2の集合のサイズとは異なってもよい。
【０２６６】
フィードバック時間の関連情報の第1の集合のサイズが、フィードバック時間の関連情報の第2の集合のサイズとは異なるとき、第2の指示情報の中で使用されるビット数は、第4の指示情報の中で使用されるビット数とは異なるということが理解されよう。
【０２６７】
任意選択で、フィードバック時間の関連情報の第1の集合のサイズは、フィードバック時間の関連情報の第2の集合のサイズと同じであってもよい。この場合、フィードバック時間の関連情報の第1の集合の中の少なくとも1つの要素は、フィードバック時間の関連情報の第2の集合の中の少なくとも1つの要素とは異なってもよい。
【０２６８】
フィードバック時間の関連情報の第1の集合の中の少なくとも1つの要素が、フィードバック時間の関連情報の第2の集合の中の少なくとも1つの要素とは異なるとき、第2の指示情報の中で使用されるビット数は、第4の指示情報の中で使用されるビット数と同じであってもよいことが理解されよう。
【０２６９】
言い換えると、異なる端末のフィードバック時間の関連情報の集合は、フィードバック時間の異なる数量の関連情報を含みうる。例えば、第1の端末に対して設定されたフィードバック時間の関連情報の第1の集合は、{1, 2, 4, 8}でありえ、第2の端末に対して設定されたフィードバック時間の関連情報の第2の集合は、{3, 5, 7, 9, 11}でありうる。この場合、第2の指示情報は、フィードバック時間の関連情報の第1の集合の中のフィードバック時間の第1の関連情報のインデックスを示すために、2ビットを使用してもよく、第4の指示情報は、フィードバック時間の関連情報の第2の集合の中のフィードバック時間の第2の関連情報のインデックスを示すために、3ビットを使用してもよい。
【０２７０】
異なる端末のフィードバック時間の関連情報の集合は、フィードバック時間の同じ量の関連情報を含むことができるが、異なる端末のフィードバック時間の関連情報の集合の中には、少なくとも1つの異なる要素がある。例えば、第1の端末に対して設定されたフィードバック時間の関連情報の第1の集合は、{1, 2, 4, 8}であってもよく、第2の端末に対して設定されたフィードバック時間の関連情報の第2の集合は、{3, 5, 7, 9}である。この場合、第1の端末に送信された第2の指示情報および第2の端末に送信された第4の指示情報は、それぞれ、フィードバック時間の関連情報の個々の集合の中のフィードバック時間の個々の関連情報のインデックスを示すために、2ビットを使用しうる。
【０２７１】
さらに、通信方法において、可能な実装形態において、データブロックのフィードバック時間に含まれる時間単位は、データブロックの伝送時間の長さに基づいて決定される。データブロックのフィードバック時間に含まれる時間単位は、データブロックの伝送時間の長さに基づいて決定され、データブロックは、第1のデータブロックまたは第3のデータブロックであってもよいので、伝送時間の長さが異なるデータブロックのフィードバック時間は、フィードバック時間の同じ関連情報を使用することによって示されてもよく、その結果、伝送時間の長さが異なるデータブロックのフィードバック時間は、フィードバック時間の関連情報の同じ集合を使用することによって決定されることができる。このことは、フィードバック時間の関連情報の伝送されるべき集合の数量を低減させることができ、第1の指示情報の伝送オーバヘッドを低減させるのに役立つ。他の観点から、このことは、フィードバック時間の関連情報の総数を低減させることができ、このことにより、第2の指示情報の伝送オーバヘッドを低減させるのに役立つ。結論として、通信効率が向上されることができる。
【０２７２】
任意選択で、第1のデータブロックの前にある第2のデータブロックの伝送時間の長さが、第1のデータブロックの伝送時間の長さより長いとき、フィードバック時間の第1の関連情報に対応するフィードバック時間に含まれる時間単位の長さは、第2のデータブロックの伝送時間の長さであってもよい。
【０２７３】
あるいは、第1のデータブロックの前にある第2のデータブロックの伝送時間の長さが、第1のデータブロックの伝送時間の長さ以下であるとき、フィードバック時間の第1の関連情報に対応するフィードバック時間に含まれる時間単位の長さは、第1のデータブロックの伝送時間の長さであってもよい。
【０２７４】
本明細書において、第2のデータブロックが第1のデータブロックの前にあるということは、第2のデータブロックの伝送時間が第1のデータブロックの伝送時間の前にあるということを意味してもよく、より具体的には、第2のデータブロックの伝送時間が第1のデータブロックの伝送時間の前にあり、第2のデータブロックの伝送時間と第1のデータブロックの伝送時間との間の間隔が特定の時間範囲より小さいか、それ以下であるということを意味してもよく、その結果、第1のデータブロックに対する応答メッセージは、第1のデータブロックの伝送時間の長さを時間単位として使用することによって送信されることができない、ということが理解されよう。
【０２７５】
あるいは、第1のデータブロックの伝送時間と第2のデータブロックの伝送時間との間の間隔が、特定の時間範囲より大きいか、それ以上であるとき、フィードバック時間の第1の関連情報に対応するフィードバック時間に含まれる時間単位の長さは、第1のデータブロックの伝送時間の長さであってもよい。
【０２７６】
この場合、第1のデータブロックに対する応答メッセージおよび第2のデータブロックの応答メッセージは、互いに影響を及ぼさないということが理解されよう。
【０２７７】
通信方法において、任意選択で、データブロックの伝送時間の長さに基づいて、異なる伝送シナリオが決定されうる。異なる伝送シナリオにおいて、フィードバック時間の関連情報の集合は、異なる時間単位に対応する。
【０２７８】
具体的には、異なる伝送シナリオにおいてネットワークデバイスがデータブロックを端末に伝送するとき、端末は、伝送シナリオに基づいて、フィードバック時間の関連情報の集合に対応する特定のタイプの時間単位を決定してもよく、また第2の指示情報によって示されるフィードバック時間の第1の関連情報に基づいて、データブロックのフィードバック時間を決定してもよい。
【０２７９】
フィードバック時間の関連情報の集合と時間単位との間の対応関係については、図3に示される2つの伝送シナリオにおけるフィードバック時間の関連情報の異なる集合と時間単位との間の対応関係を参照されたい。
【０２８０】
第2の可能な実装形態において、データブロックのフィードバック時間に含まれる時間単位は、予め設定される。具体的には、データブロックのフィードバック時間に含まれる時間単位は、システムにおいて予め設定された固定時間単位、またはプロトコルにおいて予め定義された固定時間単位でありうる。このことは、ネットワークデバイスと端末の間の通信の複雑性をさらに低減させることができる。
【０２８１】
第3の可能な実装形態において、データブロックのフィードバック時間に含まれる時間単位は、第1のデータブロックに対応するアップリンク制御チャネルによって占有された時間単位である。このことは、通信柔軟性を向上させることができる。
【０２８２】
本出願の他の実施形態における通信方法は、第1の端末によって、ネットワークデバイスによって送信された第1の指示情報を受信することであって、第1の指示情報は、フィードバック時間の関連情報の第1の集合を示すために使用され、フィードバック時間の関連情報の第1の集合は、フィードバック時間の少なくとも1つの関連情報を含み、フィードバック時間の関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む、受信することと、第1の端末によって、ネットワークデバイスによって送信された第2の指示情報を受信することであって、第2の指示情報は、第1のデータブロックのフィードバック時間の第1の関連情報を示すために使用され、フィードバック時間の第1の関連情報は、フィードバック時間の関連情報の第1の集合に属する、受信することと、第1の端末によって、第1の指示情報および第2の指示情報に基づいて、第1のデータブロックに対する応答メッセージをネットワークデバイスに送信することと、を含むことができる。
【０２８３】
通信方法によれば、端末は、第1の指示情報および第2の指示情報に基づいて、応答メッセージを送信するための時間を決定することができ、その結果、通信信頼性が向上されうる。
【０２８４】
本実施形態における第1の端末は、前述の実施形態における第1の端末であることが可能であり、具体的には、前述の実施形態における第1の端末に関する技術的特徴は、本実施形態における第1の端末にも適用可能である。詳細は本明細書において説明されない。
【０２８５】
本出願の他の実施形態における通信方法は、第2の端末によって、第3の指示情報を受信することであって、第3の指示情報は、フィードバック時間の関連情報の第2の集合を示すために使用され、フィードバック時間の関連情報の第2の集合は、フィードバック時間の少なくとも1つの関連情報を含み、フィードバック時間の各関連情報は、第3のデータブロックのフィードバック時間に含まれる時間単位の数量を示すために使用され、第3のデータブロックのフィードバック時間は、第3のデータブロックに対する応答メッセージの送信時間と第3のデータブロックの受信時間との間の時間差を含む、受信することと、第2の端末によって、第4の指示情報を受信することであって、第4の指示情報は、第3のデータブロックのフィードバック時間の第2の関連情報を示すために使用され、フィードバック時間の第2の関連情報は、フィードバック時間の関連情報の第2の集合に属する、受信することと、第2の端末によって、第3の指示情報および第4の指示情報に基づいて、第3のデータブロックに対する応答メッセージを送信することと、を含みうる。
【０２８６】
フィードバック時間の関連情報の第2の集合は、以前の実施形態におけるフィードバック時間の関連情報の第1の集合とは異なってもよい。具体的には、フィードバック時間の関連情報の第1の集合のサイズは、フィードバック時間の関連情報の第2の集合のサイズとは異なってもよい。この場合、以前の実施形態における第2の指示情報の中で使用されるビット数は、第4の指示情報の中で使用されるビット数とは異なってもよい。
【０２８７】
任意選択で、フィードバック時間の関連情報の第1の集合のサイズは、フィードバック時間の関連情報の第2の集合のサイズと同じでありうる。この場合、フィードバック時間の関連情報の第1の集合の中の少なくとも1つの要素は、フィードバック時間の関連情報の第2の集合の中の少なくとも1つの要素とは異なってもよい。この場合、第2の指示情報の中で使用されるビット数は、第4の指示情報の中で使用されるビット数と同じである。
【０２８８】
本実施形態における第2の端末は、前述の実施形態における第2の端末であってもよく、具体的には、前述の実施形態における第2の端末に関する技術的特徴は、本実施形態における第2の端末にも適用可能である。詳細は本明細書において説明されない。
【０２８９】
本出願の他の実施形態におけるネットワークデバイスは、送信モジュールおよび受信モジュールを含みうる。
【０２９０】
送信モジュールは、第1の指示情報を第1の端末に送信するように構成され、ここで、第1の指示情報は、フィードバック時間の関連情報の第1の集合を示すために使用され、フィードバック時間の関連情報の第1の集合は、フィードバック時間の少なくとも1つの関連情報を含み、フィードバック時間の各関連情報は、第1のデータブロックのフィードバック時間に含まれる時間単位の数量を示すために使用され、第1のデータブロックのフィードバック時間は、第1のデータブロックに対する応答メッセージの送信時間と第1のデータブロックの受信時間との間の時間差を含む。
【０２９１】
送信モジュールは、第2の指示情報を第1の端末に送信するようにさらに構成され、ここで、第2の指示情報は、第1のデータブロックのフィードバック時間の第1の関連情報を示すために使用され、フィードバック時間の第1の関連情報は、フィードバック時間の関連情報の第1の集合に属する。
【０２９２】
受信モジュールは、第1のデータブロックに対する、第2の指示情報および第1の指示情報に基づいて第1の端末によって送信された応答メッセージを受信するように構成される。
【０２９３】
ネットワークデバイスに応じて、第1の端末は、第1の指示情報および第2の指示情報に基づいて、応答メッセージを送信するための時間を決定することができ、その結果、通信信頼性が向上されうる。
【０２９４】
ネットワークデバイスの送信モジュールおよび受信モジュールは、前述の実施形態のいずれか1つにおける通信方法を実施するように構成されうる。簡潔さのために、詳細は本明細書において再び説明されない。
【０２９５】
本出願の他の実施形態における端末は、送信モジュールおよび受信モジュールを含みうる。
【０２９６】
受信モジュールは、ネットワークデバイスによって送信された第1の指示情報を受信するように構成され、ここで、第1の指示情報は、フィードバック時間の関連情報の集合を示すために使用され、フィードバック時間の関連情報の集合は、フィードバック時間の少なくとも1つの関連情報を含み、フィードバック時間の関連情報は、データブロックのフィードバック時間に含まれる時間単位の数量を示すために使用され、データブロックのフィードバック時間は、データブロックに対する応答メッセージの送信時間とデータブロックの受信時間との間の時間差を含む。
【０２９７】
受信モジュールは、ネットワークデバイスによって送信された第2の指示情報を受信するようにさらに構成され、ここで、第2の指示情報は、第1のデータブロックのフィードバック時間の第1の関連情報を示すために使用され、フィードバック時間の第1の関連情報は、フィードバック時間の関連情報の第1の集合に属する。
【０２９８】
送信モジュールは、第2の指示情報に基づいて、第1のデータブロックに対する応答メッセージをネットワークデバイスに送信するように構成される。
【０２９９】
端末に応じて、端末は、第1の指示情報および第2の指示情報に基づいて、応答メッセージを送信するための時間を決定することができ、その結果、通信信頼性が向上されうる。
【０３００】
端末の送信モジュールおよび受信モジュールは、前述の実施形態における通信方法を実施するように構成されうる。簡潔さのために、詳細は本明細書において再び説明されない。
【０３０１】
本明細書において開示された実施形態を参照しながら説明された例におけるユニットおよびアルゴリズムのステップは、電子ハードウェア、またはコンピュータソフトウェアと電子ハードウェアとの組合せによって実施されうることを、当業者は認識するであろう。機能がハードウェアによって行われるか、ソフトウェアによって行われるかは、技術的解決策の特定の用途および設計制約に依存する。当業者は、それぞれの特定の用途のための説明された機能を実施するために種々の方法を使用しうるが、実装形態が本出願の範囲を超えるものとみなされるべきではない。
【０３０２】
便利かつ簡単な説明のために、前述のシステム、装置、およびユニットの詳細な作業プロセスについては、前述の方法の実施形態における対応する処理を参照されたい、ということが当業者によって明確に理解されよう。詳細は本明細書において再び説明されない。
【０３０３】
本出願において提供されるいくつかの実施形態において、開示のシステム、装置、および方法は、他の手法で実施されうることが理解されよう。例えば、説明された装置の実施形態は例にすぎない。例えば、ユニット分割は論理機能分割にすぎず、実際の実装形態においては他の分割であってもよい。例えば、複数のユニットまたは構成要素は、他のシステムに組み合わされるか、統合されてもよく、また特徴の中には、無視されるか、行われなくてもよいものもある。さらに、表示されるか、論じられた相互連結もしくは直接連結または通信接続は、いくつかのインターフェースを使用することによって実施されることが可能である。装置またはユニット間の間接連結または通信接続は、電子的、機械的、または他の形式で実施されることが可能である。
【０３０４】
別個の部品として説明されたユニットは、物理的に別個であっても、そうでなくてもよく、ユニットとして表示された部品は、物理的なユニットであっても、そうでなくてもよく、1つの場所にあってもよく、または複数のネットワークユニット上に分散されてもよい。ユニットのいくつかまたは全ては、実施形態の解決策の目的を実現するために、実際の要件に基づいて選択されてもよい。
【０３０５】
さらに、本出願の実施形態における機能ユニットは、1つの処理ユニットに統合されてもよく、またユニットのそれぞれは、単独で物理的に存在してもよく、または2つ以上のユニットが1つのユニットに統合される。
【０３０６】
前述の実施形態の全てまたはいくつかは、ソフトウェア、ハードウェア、ファームウェア、またはこれらの任意の組合せを通じて実施されうる。実施形態を実施するためにソフトウェアが使用されるとき、実施形態は、コンピュータプログラム製品の形式で完全にまたは部分的に実施されることが可能である。コンピュータプログラム製品は、1つまたは複数のコンピュータ命令を含む。コンピュータプログラム命令がコンピュータ上にロードされ、実行されるとき、本発明の実施形態による手順または機能は、全てまたは部分的に生成される。コンピュータは、汎用コンピュータ、専用コンピュータ、コンピュータネットワーク、または他のプログラム可能装置でありうる。コンピュータ命令は、コンピュータ可読記録媒体に格納されてもよく、またはコンピュータ可読記録媒体から他のコンピュータ可読記録媒体に伝送されてもよい。例えば、コンピュータ命令は、有線(例えば、同軸ケーブル、光ファイバ、もしくはデジタル加入者線(DSL))、またはワイヤレス(例えば、赤外線、無線、またはマイクロ波)の手法で、ウェブサイト、コンピュータ、サーバ、またはデータセンタから、他のウェブサイト、コンピュータ、サーバ、またはデータセンタに伝送されうる。コンピュータ可読記録媒体は、コンピュータによってアクセス可能な任意の使用可能媒体、または1つもしくは複数の使用可能媒体を統合するサーバまたはデータセンタなどのデータストレージデバイスでありうる。使用可能媒体は、磁気媒体(例えば、フロッピーディスク、ハードディスク、または磁気テープ)、光媒体(例えば、DVD)、半導体媒体(例えば、ソリッドステートドライブ(Solid-State Drive、SSD))、または同様のものでありうる。
【０３０７】
前述の説明は本出願の特定の実装形態にすぎず、本出願の保護範囲を限定することを意図するものではない。本出願において開示された技術範囲内で当業者によって容易に考え出される任意の変形または置換は、本出願の保護範囲の範囲に含まれる。したがって、本出願の保護範囲は、特許請求の範囲の保護範囲に従うべきである。
【符号の説明】
【０３０８】
110  ネットワークデバイス
120  端末
600  ネットワークデバイス
610  送信モジュール
620  受信モジュール
700  端末
710  受信モジュール
720  送信モジュール
800  ネットワークデバイス
810  送信器
820  受信器
830  プロセッサ
900  端末
910  受信器
920  送信器
930  プロセッサ
【手続補正２】
【補正対象書類名】特許請求の範囲
【補正対象項目名】全文
【補正方法】変更
【補正の内容】
【特許請求の範囲】
【請求項１】
通信方法であって、
第1の指示情報を端末に送信するステップであって、前記第1の指示情報は、フィードバック時間の関連情報の第1の集合を示し、フィードバック時間の関連情報の前記第1の集合は、フィードバック時間の少なくとも1つの関連情報を含み、フィードバック時間の各関連情報は、第1のデータブロックのフィードバック時間に含まれる時間単位の数量を示し、前記第1のデータブロックの前記フィードバック時間は、前記第1のデータブロックに対する応答メッセージの送信時間と前記第1のデータブロックの受信時間との間の時間差を含む、ステップと、
第2の指示情報を前記端末に送信するステップであって、前記第2の指示情報は、前記第1のデータブロックのフィードバック時間の第1の関連情報を示し、フィードバック時間の前記第1の関連情報は、フィードバック時間の関連情報の前記第1の集合に属する、ステップと、
前記第1のデータブロックに対する、前記端末からの前記応答メッセージを受信するステップと
を含む、通信方法。
【請求項２】
通信方法であって、
ネットワークデバイスから第1の指示情報を受信するステップであって、前記第1の指示情報は、フィードバック時間の関連情報の第1の集合を示すために使用され、フィードバック時間の関連情報の前記第1の集合は、フィードバック時間の少なくとも1つの関連情報を含み、フィードバック時間の各関連情報は、第1のデータブロックのフィードバック時間に含まれる時間単位の数量を示し、前記第1のデータブロックの前記フィードバック時間は、前記第1のデータブロックに対する応答メッセージの送信時間と前記第1のデータブロックの受信時間との間の時間差を含む、ステップと、
前記ネットワークデバイスからの第2の指示情報を受信するステップであって、前記第2の指示情報は、前記第1のデータブロックのフィードバック時間の第1の関連情報を示すために使用され、フィードバック時間の前記第1の関連情報は、フィードバック時間の関連情報の前記第1の集合に属する、ステップと、
前記第2の指示情報および前記第1の指示情報に基づいて、前記第1のデータブロックに対する前記応答メッセージを前記ネットワークデバイスに送信するステップと
を含む、通信方法。
【請求項３】
フィードバック時間の関連情報の前記第1の集合の中のフィードバック時間の各関連情報は、フィードバック時間の16個の関連情報のうちの1つである、請求項1または2に記載の通信方法。
【請求項４】
フィードバック時間の前記第1の関連情報を示すために使用される前記第2の指示情報におけるビット数は、フィードバック時間の関連情報の前記第1の集合のサイズに基づいて決定され、フィードバック時間の関連情報の前記第1の集合の前記サイズは、Pであり、フィードバック時間の前記第1の関連情報を示すために使用される前記第2の指示情報の中に少なくともH個のビットがあり、Hは、log2P以上の最も小さい整数である、請求項1から3のいずれか一項に記載の通信方法。
【請求項５】
フィードバック時間の関連情報の前記第1の集合の前記サイズは、8であり、フィードバック時間の前記第1の関連情報を示すために使用される前記第2の指示情報における前記ビット数は、3である、請求項4に記載の通信方法。
【請求項６】
前記第2の指示情報は、フィードバック時間の関連情報の前記第1の集合の中の前記第1のデータブロックのフィードバック時間の前記第1の関連情報の位置またはインデックスを示す、請求項1から5のいずれか一項に記載の通信方法。
【請求項７】
前記第1のデータブロックの前記フィードバック時間に含まれる前記時間単位の長さは、予め定義される、請求項1から6のいずれか一項に記載の通信方法。
【請求項８】
通信装置であって、
第1の指示情報を端末に送信するように構成された送信モジュールであって、前記第1の指示情報は、フィードバック時間の関連情報の第1の集合を示し、フィードバック時間の関連情報の前記第1の集合は、フィードバック時間の少なくとも1つの関連情報を含み、フィードバック時間の各関連情報は、第1のデータブロックのフィードバック時間に含まれる時間単位の数量を示し、前記第1のデータブロックの前記フィードバック時間は、前記第1のデータブロックに対する応答メッセージの送信時間と前記第1のデータブロックの受信時間との間の時間差を含み、
第2の指示情報を前記端末に送信するようにさらに構成され、前記第2の指示情報は、前記第1のデータブロックのフィードバック時間の第1の関連情報を示し、フィードバック時間の前記第1の関連情報は、フィードバック時間の関連情報の前記第1の集合に属する、
送信モジュールと、
前記第1のデータブロックに対する、前記端末からの前記応答メッセージを受信するように構成された受信モジュールと
を備える、通信装置。
【請求項９】
通信装置であって、
ネットワークデバイスから第1の指示情報を受信するように構成された受信モジュールであって、前記第1の指示情報は、フィードバック時間の関連情報の第1の集合を示し、フィードバック時間の関連情報の前記第1の集合は、フィードバック時間の少なくとも1つの関連情報を含み、フィードバック時間の各関連情報は、第1のデータブロックのフィードバック時間に含まれる時間単位の数量を示し、前記第1のデータブロックの前記フィードバック時間は、前記第1のデータブロックに対する応答メッセージの送信時間と前記第1のデータブロックの受信時間との間の時間差を含み、
前記ネットワークデバイスから第2の指示情報を受信するようにさらに構成され、前記第2の指示情報は、前記第1のデータブロックのフィードバック時間の第1の関連情報を示し、フィードバック時間の前記第1の関連情報は、フィードバック時間の関連情報の前記第1の集合に属する、
受信モジュールと、
前記第2の指示情報に基づいて前記第1のデータブロックに対する前記応答メッセージを前記ネットワークデバイスに送信するように構成された送信モジュールと
を備える、通信装置。
【請求項１０】
フィードバック時間の関連情報の前記第1の集合の中のフィードバック時間の各関連情報は、フィードバック時間の16個の関連情報のうちの1つである、請求項8または9に記載の通信装置。
【請求項１１】
フィードバック時間の前記第1の関連情報を示すために使用される前記第2の指示情報におけるビット数は、フィードバック時間の関連情報の前記第1の集合のサイズに基づいて決定され、フィードバック時間の関連情報の前記第1の集合の前記サイズは、Pであり、フィードバック時間の前記第1の関連情報を示すために使用される前記第2の指示情報の中に少なくともH個のビットがあり、Hは、log2P以上の最も小さい整数である、請求項8から10のいずれか一項に記載の通信装置。
【請求項１２】
フィードバック時間の関連情報の前記第1の集合の前記サイズは、8であり、フィードバック時間の前記第1の関連情報を示すために使用される前記第2の指示情報における前記ビット数は、3である、請求項11に記載の通信装置。
【請求項１３】
前記第2の指示情報は、フィードバック時間の関連情報の前記第1の集合の中の前記第1のデータブロックのフィードバック時間の前記第1の関連情報の位置またはインデックスを示す、請求項8から12のいずれか一項に記載の通信装置。
【請求項１４】
前記第1のデータブロックの前記フィードバック時間に含まれる前記時間単位の長さは、予め定義される、請求項8から13のいずれか一項に記載の通信装置。
【請求項１５】
通信装置であって、
プロセッサと、
前記プロセッサによって実行されるべきプログラムを格納したコンピュータ可読媒体であって、前記プログラムは、請求項1から7のいずれか一項に記載の方法を行うための命令を含む、コンピュータ可読媒体と、
を備える、通信装置。
【請求項１６】
命令を含むコンピュータプログラムであって、前記命令は、通信装置によって実行されるとき、前記通信装置に請求項1から7のいずれか一項に記載の方法を行わせる、コンピュータプログラム。
【請求項１７】
請求項9に記載の通信装置と、請求項8に記載の通信装置と、
を備える、通信システム。
【手続補正３】
【補正対象書類名】図面
【補正対象項目名】図２
【補正方法】変更
【補正の内容】
【図２】
2020523903.tif 000012
【国際調査報告】
2020523903.tif 000013
2020523903.tif 000014
2020523903.tif 000015
2020523903.tif 000016